(57)【要約】例示的なシステムは、電磁石、電磁石に電気的に結合された駆動回路、および駆動回路を制御して電磁石に電流を供給してパルス磁場を生成するように構成されたコントローラーを含み得る。電磁石は、第１の導電性巻線、第２の導電性巻線、および磁気コアを含み得る。第１の導電性巻線は三日月形であり得る。第１の導電性巻線は、内面および外面を規定し得る。第１の導電性巻線の外面は、凸部および凹部を含み得る。第２の導電性巻線は、第１の導電性巻線の外面の凹面部分に近接して存在し得る。第１の導電性巻線の外側の凹状セグメントは、凹面を規定し得、第２の導電性巻線の少なくとも一部は、第１の導電性巻線の凹面内に存在し得る。
2021514247.tif 000002
【特許請求の範囲】
【請求項１】
患者を治療または診断するためのシステムであって、
第１の導電性巻線および第２導電性巻線を含む電磁石と、
前記電磁石に電気的に結合されたドライブ回路と、
前記ドライブ回路を制御して、パルス状磁場を発生させるために前記電磁石に電流を提供するように構成されたコントローラーとを備え、 
前記第１の導電性巻線は、内側表面および外側表面を画定し、前記外側表面は、凸部および凹部を含み、前記第２の導電性巻線は、前記第１の導電性巻線の前記外側表面の凹面部分に近接して存在することを特徴とするシステム。
【請求項２】
請求項１に記載のシステムであって、前記第１の導電性巻線は、三日月形状である、ことを特徴とするシステム。
【請求項３】
請求項１に記載のシステムであって、前記第１の導電性巻線の外側凹形セグメントは、凹面を画定し、前記第２の導電性巻線の少なくとも一部分は、前記第１の導電性巻線の前記凹面の中に存在する、ことを特徴とするシステム。
【請求項４】
請求項１に記載のシステムであって、前記第１の導電性巻線は、前記第２の導電性巻線をカプセル化していない、ことを特徴とするシステム。
【請求項５】
請求項１に記載のシステムであって、前記第１の導電性巻線は、非円形または非楕円形を画定する、ことを特徴とするシステム。
【請求項６】
請求項１に記載のシステムであって、互いに、前記第１の導電性巻線および前記第２の導電性巻線は、腎臓形状を形成している、ことを特徴とするシステム。
【請求項７】
請求項１に記載のシステムであって、前記第１の導電性巻線および前記第２の導電性巻線は、互いに所定の相対的な距離に構成され、前記第１の導電性巻線および前記第２の導電性巻線が駆動されるときに、被験者の脳の中に少なくとも２つの独立した活性化ゾーンを発生させる、ことを特徴とするシステム。
【請求項８】
請求項７に記載のシステムであって、前記活性化ゾーンは、刺激ゾーンであり、前記刺激ゾーンは、誘導電流が前記脳のニューロンの脱分極閾値を上回っている前記脳の領域を含む、ことを特徴とするシステム。
【請求項９】
請求項８に記載のシステムであって、
第１の刺激ゾーンは、第１の方向に移動する電流を含み、
第２の刺激ゾーンは、第２の方向に移動する電流を含む、
ことを特徴とするシステム。
【請求項１０】
請求項７に記載のシステムであって、前記第１の刺激ゾーンおよび前記第２の刺激ゾーンは、前記脳の２つの異なる機能的な領域に関係する、ことを特徴とするシステム。
【請求項１１】
請求項１に記載のシステムであって、前記第１の導電性巻線は、第１の数のターンを含み、前記第２の導電性巻線は、第２の数のターンを含み、前記第１および前記第２の数のターンとは異なる、ことを特徴とするシステム。
【請求項１２】
請求項１に記載のシステムであって、前記電磁石は、磁気コアをさらに含む、ことを特徴とするシステム。
【請求項１３】
前記請求項１２に記載のシステムであって、前記磁気コアは、粉末状の磁気材料を含むことを特徴とするシステム。
【請求項１４】
請求項１２に記載のシステムであって、前記磁気コアは、積層された磁気材料を含む、ことを特徴とするシステム。
【請求項１５】
請求項１２に記載のシステムであって、前記磁気コアは、アモルファス磁気材料を含む、ことを特徴とするシステム。
【請求項１６】
請求項１２に記載のシステムであって、前記磁気コアは、鉄、ニッケル、もしくはコバルトの合金のうちの１つもしくは複数を含む、ことを特徴とするシステム。
【請求項１７】
請求項１２に記載のシステムであって、前記磁気コアは、ガドリニウム、ネオジム、またはホルミウムなどのレアアース元素もしくは合金を含む、ことを特徴とするシステム。
【請求項１８】
請求項１２に記載のシステムであって、前記磁気コアは、２つのポールを画定する単一の強磁性コンポーネントを含み 、第１のポールは、実質的に円形の断面形状を画定し、第２のポールは、三日月形の断面形状を画定する、ことを特徴とするシステム。
【請求項１９】
請求項１８に記載のシステムであって、前記第１のポールは第１のポール面を画定し、前記第２のポールは第２のポール面を画定し、前記第１のポールおよび前記第２のポール面とは、互いに非平面である、ことを特徴とするシステム。
【請求項２０】
請求項１２に記載のシステムであって、前記磁気コアは、複数の強磁性コンポーネントを含む、ことを特徴とするシステム。
【請求項２１】
患者を治療または診断するためのシステムであって、
磁気コアと、第１の巻線および第２の巻線を含む電磁石と、
前記電磁石に電気的に結合された駆動回路と、
前記駆動回路を制御して前記電磁石に電流を供給してパルス磁場を生成するように構成されたコントローラーと、
前記磁気コアは、第１のポール面、第２のポール面、および第３のポール面を含み、前記第３のポール面は、前記第１のポール面と前記第２のポール面との間に存在し、
前記第１のポール面は、第１の導電性巻線の開口内に少なくとも部分的に存在し、前記第２のポール面は、第２の導電性巻線の開口内に少なくとも部分的に存在し、その結果、前記第３のポール面は、前記第１導電性巻線および前記第２の導電性巻線の間に存在する、
ことを特徴とするシステム。
【請求項２２】
前記請求項２1に記載のシステムであって、前記磁気コアの前記第１のポール面と、第２のポール面および第３のポール面と、が直線的に配置されていることを特徴とするシステム。
【請求項２３】
前記請求項２１に記載のシステムであって、前記電磁石は、第３の導電性巻線をさらに含み、前記第３のポール面は、前記第３の導電性巻線内に少なくとも部分的に存在する、ことを特徴とするシステム。
【請求項２４】
前記請求項２３に記載のシステムであって、前記第３の導電性巻線は、前記第１の導電性巻線および前記第２の導電性巻線のそれぞれよりも多くの巻数を含む、ことを特徴とするシステム。
【請求項２５】
前記請求項２３に記載のシステムであって、前記第１の導電性巻線は、前記第２および第３の導電性巻線のそれぞれよりも多くの巻数を含む、ことを特徴とするシステム。
【請求項２６】
前記請求項２３に記載のシステムであって、前記第３の導電性巻線は、前記第３のポール面と同心ではない、ことを特徴とするシステム。
【請求項２７】
前記請求項２３に記載のシステムであって、前記電磁石が、前記第３の導電性巻線を少なくとも部分的に取り囲むように構成された第４の導電性巻線をさらに含む、ことを特徴とするシステム。
【請求項２８】
前記請求項２７に記載のシステムであって、前記電磁石が、前記第４の導電性巻線の少なくとも一部を覆うように構成されたリターンパス磁気コアをさらに備える、ことを特徴とするシステム。
【請求項２９】
前記請求項２７に記載のシステムであって、前記リターンパス磁気コアは、磁気コアの第１の側に存在するように構成された第１の部分と、および磁気コアの第２の側に存在するように構成された第２の部分と、からなる２つの部分、を含む、ことを特徴とするシステム。
【請求項３０】
前記請求項２７に記載のシステムであって、前記リターンパス磁気コアは、形状が非線形である、ことを特徴とするシステム。
【請求項３１】
前記請求項２７に記載のシステムであって、前記リターンパス磁気コアがチャネルを画定し、前記第４の導電性巻線が、前記ターンパス磁気コアのチャネル内に少なくとも部分的に存在するように構成される、ことを特徴とするシステム。
【請求項３２】
前記請求項２１に記載のシステムであって、駆動された場合、前記第１導電性巻線および第２の導電性巻線は、同じ方向に電流を循環させる、ことを特徴とするシステム。
【請求項３３】
前記請求項２１に記載のシステムであって、駆動された場合、前記第１導電性巻線および第２の導電性巻線は、反対方向に電流を循環させる、ことを特徴とするシステム。
【請求項３４】
前記請求項２１に記載のシステムであって、前記第１の導電性巻線は、前記第２の導電性巻線とは異なる巻数を含む、ことを特徴とするシステム。
【請求項３５】
前記請求項２１に記載のシステムであって、前記磁気コアは、前記第１のポール面を画定する第１の極、前記第２のポール面を規定する第２の極、前記第３のポール面を規定する第３の極、および前記第４のポール面を規定する第４の極を備え、
前記第３のポール面は、前記第１のポール面と、前記第４のポール面と、の間に存在し、前記第４の面は、前記第３のポール面と、前記第２のポール面と、の間に存在する、ことを特徴とするシステム。
【請求項３６】
前記請求項３５に記載のシステムであって、前記第１のポール面と、第２のポール面と、第３のポール面および第４のポール面と、が直線的に配置されている、ことを特徴とするシステム。
【請求項３７】
前記請求項３５に記載のシステムであって、前記第３の極は、前記第１の導電性要素の上面の一部を覆うように構成され、前記第４の極は、前記第２の導電性要素の上面の一部を覆うように構成される、ことを特徴とするシステム。
【請求項３８】
前記請求項２１に記載のシステムであって、前記磁気コアは、各活性化ゾーンの形状、活性化ゾーンの分離、または相対的な活性化方向を変更するために追加または削除されるように構成された複数のセグメントを含む、ことを特徴とするシステム。
【請求項３９】
前記請求項２１に記載のシステムであって、前記第１の導電性巻線は、前記電磁石によって生成される脈動磁場の形状を変更するために、前記第２の導電性巻線とは異なるレベルで駆動されるように構成される、ことを特徴とするシステム。
【請求項４０】
前記請求項２１に記載のシステムであって、前記電磁石が、前記磁気コアと、前記第１導電性巻線および前記第２の導電性巻線とを包むハウジングを備える、ことを特徴とするシステム。
【請求項４１】
前記請求項２１に記載のシステムであって、前記磁気コアが粉末磁性材料を含む、ことを特徴とするシステム。
【請求項４２】
前記請求項２１に記載のシステムであって、前記磁気コアが積層磁性材料を含む、ことを特徴とするシステム。
【請求項４３】
前記請求項２１に記載のシステムであって、前記磁気コアがアモルファス磁性材料を含む、ことを特徴とするシステム。
【請求項４４】
前記請求項２１に記載のシステムであって、前記磁気コアが、鉄、ニッケル、またはコバルトの合金のうちの１つまたは複数を含む、ことを特徴とするシステム。
【請求項４５】
前記請求項２１に記載のシステムであって、前記磁気コアが、ガドリニウム、ネオジム、またはホルミウムなどの希土類元素または合金を含む、ことを特徴とするシステム。
【請求項４６】
患者を治療または診断するためのシステムであって、
電磁石と、
電磁石に電気的に結合された駆動回路と、
駆動回路を制御して電磁石に電流を供給してパルス磁場を生成するように構成されたコントローラーと、を含み、
前記電磁石は、中心軸を有する第１の導電性要素、前記第１の導電性要素に近接して配置され中心軸を有する第２の導電性要素、および開口を画定する外部導電性要素を含み、
前記第１導電性要素および前記第２の導電性要素は、前記外部導電性要素の開口内に配置されないが、前記第１の導電性要素の中心軸および前記第２の導電性要素の中心軸は、前記外部導電性要素の開口内に構成される、ことを特徴とするシステム。
【請求項４７】
前記請求項４６に記載のシステムであって、前記第１導電性要素および前記第２の導電性要素は、前記外部導電性要素の中心軸から非対称にオフセットして配置される、ことを特徴とするシステム。
【請求項４８】
前記請求項４６に記載のシステムであって、前記第１の導電性要素の中心が、前記第２の導電性要素の中心よりも前記外部導電性要素に近い、ことを特徴とするシステム。
【請求項４９】
前記請求項４６に記載のシステムであって、前記外部導電性要素は、前記患者の冠状面を一周するように構成されたクラウンコイルである、ことを特徴とするシステム。
【請求項５０】
前記請求項４６に記載のシステムであって、
第１のポール面および第２のポール面を含む磁気コアをさら含み、
前記第１のポール面が前記第１の導電性要素の開口内に少なくとも部分的に存在し、
前記第２のポール面が前記第２の導電性要素の開口内少なくとも部分的に存在する、
ことを特徴とするシステム。
【請求項５１】
前記請求項５０に記載のシステムであって、前記磁気コアが粉末磁性材料を含む、ことを特徴とするシステム。
【請求項５２】
前記請求項５０に記載のシステムであって、前記磁気コアが積層磁性材料を含む、ことを特徴とするシステム。
【請求項５３】
前記請求項５０に記載のシステムであって、前記磁気コアが、アモルファス磁性材料を含む、ことを特徴とするシステム。
【請求項５４】
前記請求項５０に記載のシステムであって、前記磁気コアが、鉄、ニッケル、またはコバルトの合金のうちの１つまたは複数を含む、ことを特徴とするシステム。
【請求項５５】
前記請求項５０に記載のシステムであって、前記磁気コアが、ガドリニウム、ネオジム、またはホルミウムなどの希土類元素または合金を含む、ことを特徴とするシステム。
【請求項５６】
前記請求項４６に記載のシステムであって、前記第１の導電性要素および前記第２の導電性要素は、形状が円形であり、一緒になって８の字型コイルを形成する、ことを特徴とするシステム。
【請求項５７】
前記請求項４６に記載のシステムであって、前記第１の導電性要素および前記第２の導電性要素が一緒になってＢ字型コイルを形成する、ことを特徴とするシステム。
【請求項５８】
前記請求項４６に記載のシステムであって、前記第１の導電性要素および前記第２の導電性要素が異なる形状またはサイズである、ことを特徴とするシステム。
【請求項５９】
前記請求項４６に記載のシステムであって、前記外部導電性要素は、前記第１の導電性要素および前記第２の導電性要素と直列に電気的に結合されている、ことを特徴とするシステム。
【請求項６０】
前記請求項４６に記載のシステムであって、前記電磁石によって生成されるパルス磁場が、ヒト対象の脳内に第１の刺激ゾーンおよび第２の刺激ゾーンを誘導するように構成され、前記刺激ゾーンは、脳の領域を含み、誘導電流は、脳のニューロンの脱分極閾値を上回る、ことを特徴とするシステム。
【請求項６１】
前記請求項４６に記載のシステムであって、
さらに前記電磁石を収納するハウジングを含む、ことを特徴とするシステム。
【請求項６２】
前記請求項４６に記載のシステムであって、前記第１の導電性要素および前記第２の導電性要素が非円形コイルを形成する、ことを特徴とするシステム。
【請求項６３】
経頭蓋磁気刺激コイルであって、
複数の磁気コア部品を含むモジュラー磁気コアシステムと、複数の独立した刺激ゾーンを生成するように駆動されるように構成された導電性巻線と、含み、
TMSコイルは2つの独立した刺激ゾーンを作成するように構成され、前記モジュラー磁気コアシステムは、前記複数の磁気コアピースの異なる個別または組み合わせを使用して複数の異なる形状に再構成されるように適合され、前記導電性巻線は、前記モジュラー磁気の構成に基づいて異なる刺激ゾーンを生成するように構成される、ことを特徴とする経頭蓋磁気刺激コイル。
【請求項６４】
患者を治療または診断するためのシステムであって、
第１の導電性巻線と、第２の導電性巻線および第３の導電性巻線と、を含む電磁石と、
前記電磁石に電気的に結合された駆動回路と、
前記駆動回路を制御して前記電磁石に電流を供給してパルス磁場を生成するように構成されたコントローラーと、を含み、
前記第２の導電性巻線は、少なくとも部分的に第３の導電性巻線の開口内に存在し、前記第１導電性要素および前記第２の導電性要素の少なくとも１つは「Ｂ」字型である、ことを特徴とするシステム。
【請求項６５】
前記請求項６４に記載のシステムであって、
前記電磁石は、第１の磁気コアおよび第２の磁気コアをさらに含み、前記第１の磁気コアが第１のポール面および第２のポール面を画定し、第２の磁気コアが第１のポール面および第２のポール面を規定する、ことを特徴とするシステム。
【請求項６６】
前記請求項６５に記載のシステムであって、
前記第１磁気コアおよび前記第２の磁気コアの第１のポール面が、前記第１の導電性要素の開口内に少なくとも部分的に存在し、
前記第１磁気コアおよび前記第２の磁気コアの第２のポール面が、前記第２の導電性要素の開口内に少なくとも部分的に存在する、ことを特徴とするシステム。
【請求項６７】
前記請求項６４に記載のシステムであって、
前記第３の導電性要素は、前記第２の導電性要素の外面を取り囲むように構成される、ことを特徴とするシステム。
【発明の詳細な説明】
【技術分野】
【０００１】
本発明は、治療および診断手順のための磁気刺激コイルおよび強磁性コンポーネントに関する。
【背景技術】
【０００２】
いくつかの病気が、患者の身体の罹患部分への磁場の印加を通して治療および／または診断され得る。ニューロンおよび筋肉細胞は、生物学的回路の形態であり得、生物学的回路は、電気信号を運搬し、電磁刺激に応答する。導電性ワイヤーループが磁場を通過させられるかまたは変化する磁場の存在下にあるときには、電流がワイヤーの中に誘導され得る。同じ原理は、導電性の生物学的組織に関しても当てはまり得る。変化する磁場が身体の一部分に印加されているときには、ニューロンが、脱分極および刺激され得る。刺激されるニューロンと関連付けられた筋肉は、ニューロンが通常の原因によって発動しているかのように収縮し得る。
【０００３】
神経細胞またはニューロンは、たとえば、経頭蓋磁気刺激法（ＴＭＳ）を介して経皮的に、複数の方式で刺激され得る。ＴＭＳは、皮膚を切るまたは貫通する必要なく、神経細胞の上に電流を誘導するために、急速に変化する磁場を使用し得る。たとえば、神経のタイプ、周囲の組織の局所的なｐＨ、および／または末梢神経刺激に応じて、神経の中の膜電位がその通常のマイナスの環境レベルに対しておおよそ−９０ｍＶ上昇するときに、神経は「発動」し得る。
【０００４】
磁気刺激コンポーネントは、神経細胞の上に電流を誘導する急速に変化する磁場を作り出すために使用され得る。磁気刺激コンポーネントは、治療の間に故障するかまたは不適正に動作し得、それは、患者にとって不適正な治療を結果として生じさせ得る。たとえば、磁気コンポーネントは、正しく動作しているように見えるかもしれないが、実際には、設計されたデバイス仕様の外側の磁場パルスを作り出し得、それは、潜在的に、不適正な診断および／または療法が患者に施されることを結果として生じさせる。正しくない磁場パルスを患者に施すことは、磁気刺激の診断および／または治療に悪影響を与え得る。たとえば、治療提供者は、実際には、意図した治療が患者に施されていないときに、患者が治療に応答していないと考え得る。したがって、治療提供者および／または診断している臨床医は、誤った情報に基づいて治療決定を行うように導かれ得る。
【０００５】
典型的なＴＭＳ治療装置は、電気的に敏感な細胞（たとえば、神経細胞またはニューロン）の中に電流を誘導するパルス状磁場を発生させる。これらの誘導電流は、典型的に、身体の中に完全な回路を形成し、身体を通したゼロ電流の経路が生成されるようになっている。ＴＭＳ治療装置によって誘導される電流は、典型的に、この経路のおおよそ真ん中でゼロに降下する。この電流降下の速さは、たとえば、ＴＭＳ装置によって発生させられる電流密度を幅広い表面積にわたって波及させることによって遅くさせられ得る。しかし、このアプローチを用いることは、リターン電流を集中させ得、それは、望ましくない副作用（たとえば、被験者の脳のターゲットでない領域の刺激）のより高い発生率につながり得る。
【０００６】
典型的なＴＭＳ治療装置は、１つまたは複数の導電性の刺激コイルを含み得る。そのようなコイルは、単一の層で構成され得（たとえば、巻かれる）、刺激されるべき組織の可能な限り近くにコイルが配設され得るようになっている。そのようなコイルは、頭蓋骨に対して望ましい深さにおいて脳組織を刺激し得る。しかし、そのようなコイルは、伝統的に、被験者の中の単一の場所のみを刺激するように構成されており、複数の場所を刺激するために、複数のコイル（それは、大きくて扱いにくいことがあり得る）が必要とされ得る。
【発明の概要】
【０００７】
患者を治療または診断するための方法、システム、および装置が、本明細書で説明されている。例示的なシステムは、電磁石と、電磁石に電気的に連結されているドライブ回路と、パルス状磁場を発生させるために電磁石に電流を提供するためにドライブ回路を制御するように構成されているコントローラーとを含み得る。電磁石は、第１の導電性巻線および第２の導電性巻線を含み得る。第１の導電性巻線は、内側表面および外側表面を画定し得る。第１の導電性巻線の外側表面は、凸形部分および凹形部分を含み得る。第２の導電性巻線は、第１の導電性巻線の外側表面の凹形部分に近接して存在し得る。
【０００８】
第１の導電性巻線は、三日月形に形状決めされ得る（たとえば、弓形、腎臓、または鎌形に形状決めされ得る）。たとえば、第１の導電性巻線の外側凹形セグメントは、凹面を画定し得、第２の導電性巻線の少なくとも一部分は、第１の導電性巻線の凹面の中に存在し得る。したがって、第１の導電性巻線は、第２の導電性巻線をカプセル化していなくてもよい（たとえば、完全に取り囲んでいなくてもよい）。第１の導電性巻線は、任意の形状、たとえば、非円形の形状または非長円形の形状などを画定し得る。第１の導電性巻線および第２の導電性巻線は、一緒に腎臓形状を形成し得る。第１の導電性巻線は、第１の数のターンを含み得、第２の導電性巻線は、第２の数のターンを含み得る、ここで、第１の数のターンおよび第２の数のターンは、異なっていてもよい。
【０００９】
第１の導電性巻線および第２の導電性巻線は、ハウジングの中に互いに所定の相対的な距離に構成され得、第１の導電性巻線および第２の導電性巻線が駆動されるときに、それらが被験者の脳の中に少なくとも２つの独立した活性化ゾーンを発生させるようになっている。活性化ゾーンは、刺激ゾーンまたはサブ刺激ゾーンであり得る。刺激ゾーンは、誘導電流が脳のニューロンの脱分極閾値を上回っている脳の領域を含み得る。たとえば、第１の刺激ゾーンは、第１の方向に移動する電流を含み得、第２の刺激ゾーンは、第２の方向に移動する電流を含み得。第１の刺激ゾーンおよび第２の刺激ゾーンは、脳の２つの異なる機能的な領域に関係し得る。
【００１０】
電磁石は、磁気コア（たとえば、１つまたは複数の強磁性コンポーネント）をさらに含み得る。磁気コアは、粉末状の磁気材料と、積層された磁気材料と、アモルファス磁気材料と、鉄、ニッケル、もしくはコバルトの合金のうちの１つもしくは複数と、および／または、レアアース元素もしくは合金、たとえば、ガドリニウム、ネオジム、もしくはホルミウムなどとの任意の組み合わせから構成され得る。たとえば、磁気コアは、２つのポール、実質的に円形の断面形状を画定する第１のポールと、三日月形の断面形状を画定する第２のポールとを画定する単一の強磁性コンポーネントを含み得る。第１のポールは、第１のポール面を画定し得、第２のポールは、第２のポール面を画定し得る。第１のポール面および第２のポール面は、互いに非平面的になっていてもよい。磁気コアは、複数の強磁性コンポーネントを含み得る。
【００１１】
患者を治療または診断するための例示的なシステムは、電磁石と、電磁石に電気的に連結されているドライブ回路と、パルス状磁場を発生させるために電磁石に電流を提供するためにドライブ回路を制御するように構成されているコントローラーとを含み得る。電磁石は、磁気コアと、第１の巻線と、第２の巻線とを含み得る。磁気コアは、第１のポール面、第２のポール面、および第３のポール面を画定し得、第３のポール面は、第１のポール面と第２のポール面との間に存在している。磁気コアのたとえば、３つのポール面は、線形に配置され得る。さらに、第１のポール面は、第１の導電性巻線の開口部の中に少なくとも部分的に存在し得、第２のポール面は、第２の導電性巻線の開口部の中に少なくとも部分的に存在し得る。そうであるので、第３のポール面は、第１の導電性巻線と第２の導電性巻線との間に存在し得る。
【００１２】
電磁石は、第３の導電性巻線を含み得る。磁気コアの第３のポール面は、第３の導電性巻線の中に少なくとも部分的に存在し得る。第３の導電性巻線は、第１の導電性巻線および第２の導電性巻線のそれぞれよりも多くのターンを含み得る。あるいは、または追加的に、第１の導電性巻線は、第２の導電性巻線および／または第３の導電性巻線よりも多くのターンを含み得る。第３の導電性巻線は、第３のポール面と同心円状になっていなくてもよい。
【００１３】
電磁石は、第３の導電性巻線を少なくとも部分的に取り囲むように構成されている第４の導電性巻線を含み得る。また、電磁石は、第４の導電性巻線の少なくとも一部分をカバーするように構成されているリターン経路磁気コアを含み得る。たとえば、リターン経路磁気コアは、チャネルを画定し得、第３の導電性巻線および／または第４の導電性巻線のうちの１つまたは複数は、リターン経路磁気コアのチャネルの中に少なくとも部分的に存在するように構成され得る。いくつかの例では、リターン経路磁気コアは、２つの部分、磁気コアの第１の側に存在するように構成されている第１の部分と、磁気コアの第２の側に存在するように構成されている第２の部分とを含み得る。リターン経路磁気コアは、形状が非線形になっていてもよい。
【００１４】
磁気コアは、第１のポール面を画定する第１のポール、第２のポール面を画定する第２のポール、第３のポール面を画定する第３のポール、および、第４のポール面を画定する第４のポールを画定し得る。第３のポール面は、第１のポール面と第４のポール面との間に存在し得、第４の面 は、第３のポール面と第２のポール面との間に存在し得る。たとえば、第１、第２、第３、および第４のポール面は、線形に配置され得る。第３のポールは、第１の導電性エレメントの上部表面の一部分をカバーするように構成され得る。同様に、いくつかの例では、第４のポールは、第２の導電性エレメントの上部表面の一部分をカバーするように構成され得る。
【００１５】
磁気コアは、複数のセグメントを含み得、複数のセグメントは、それぞれの活性化ゾーンの形状、活性化ゾーンの分離、または、相対的な活性化方向を変化させるために、追加または除去されるように構成されている。駆動されるときには、第１の導電性巻線および第２の導電性巻線は、同じ方向（または、たとえば、反対方向）に電流を循環させ得る。第１の導電性巻線は、第２の導電性巻線とは異なる数のターンを含み得る。第１の導電性巻線は、たとえば、電磁石によって発生させられるパルス状磁場の形状を修正するために、第２の導電性巻線とは異なるレベルにおいて駆動されるように構成され得る。電磁石は、１つもしくは複数の磁気コアおよび／または電磁石の導電性巻線をケースに収めるハウジングを含み得る。磁気コアは、粉末状の磁気材料と、積層された磁気材料と、アモルファス磁気材料と、鉄、ニッケル、もしくはコバルトの合金のうちの１つもしくは複数と、および／または、レアアース元素もしくは合金、たとえば、ガドリニウム、ネオジム、もしくはホルミウムなどとの任意の組み合わせから構成され得る。
【００１６】
患者を治療または診断するための別の例示的なシステムは、電磁石と、電磁石に電気的に連結されているドライブ回路と、パルス状磁場を発生させるために電磁石に電流を提供するためにドライブ回路を制御するように構成されているコントローラーとを含み得る。電磁石は、中心軸線を有する第１の導電性エレメントと、第１の導電性エレメントに近接して位置付けされており、中心軸線を有する第２の導電性エレメントと、開口部を画定する外部導電性エレメントとを含み得る。第１の導電性エレメントおよび第２の導電性エレメントは、外部導電性エレメントの開口部の中に配設されていなくてもよいが、第１の導電性エレメントの中心軸線および第２の導電性エレメントの中心軸線は、外部導電性エレメントの開口部を通過し得る。
【００１７】
第１の導電性エレメントおよび第２の導電性エレメントは、外部導電性エレメントの中心軸線からオフセットされて非対称的に設置され得る。たとえば、第１の導電性エレメントの中心は、第２の導電性エレメントの中心よりも外部導電性エレメントの近くに存在し得る。外部導電性エレメントは、患者の冠状面の周りを回るように構成されているクラウンコイルであり得る。磁気コアは、第１のポール面および第２のポール面を含み得、第１のポール面は、第１の導電性エレメントの開口部の中に少なくとも部分的に存在しており、第２のポール面は、第２の導電性エレメントの開口部の中に少なくとも部分的に存在している。
【００１８】
第１の導電性エレメントおよび第２の導電性エレメントは、形状が円形または楕円形であり得、８の字コイルを一緒に形成し得る。第１の導電性エレメントおよび第２の導電性エレメントは、Ｂ字形状のコイルを一緒に形成し得る。たとえば、第１の導電性エレメントおよび第２の導電性エレメントは、非円形のコイルを形成し得る。第１および第２の導電性エレメントは、異なる形状またはサイズのものであってもよい。外部導電性エレメントは、第１の導電性エレメントおよび第２の導電性エレメントと直列に電気的に連結され得る。電磁石によって発生させられるパルス状磁場は、ヒト被験者の脳の中に第１の刺激ゾーンおよび第２の刺激ゾーンを誘導するように構成され得、刺激ゾーンは、誘導電流が脳のニューロンの脱分極閾値を上回っている脳の領域を含み得る。システムは、電磁石をケースに収めるハウジングをさらに含み得る。
【００１９】
患者を治療または診断するための別の例示的なシステムは、電磁石と、電磁石に電気的に連結されているドライブ回路と、パルス状磁場を発生させるために電磁石に電流を提供するためにドライブ回路を制御するように構成されているコントローラーとを含み得る。電磁石は、第１の導電性巻線、第２の導電性巻線、および第３の導電性巻線を含み得る。第２の導電性巻線は、第３の導電性巻線の開口部の中に少なくとも部分的に存在し得る。たとえば、第３の導電性エレメントは、第２の導電性エレメントの外側表面を取り囲むように構成され得る。第１の導電性エレメントおよび第２の導電性エレメントのうちの少なくとも１つは、「Ｂ」形状とすることができる。
【００２０】
また、電磁石は、第１の磁気コアおよび第２の磁気コアを含み得る。第１の磁気コアは、第１のポール面および第２のポール面を画定し得、第２の磁気コアは、第１のポール面および第２のポール面を画定し得る。第１の磁気コアの第１のポール面、および、第２の磁気コアの第１のポール面は、第１の導電性エレメントの開口部の中に少なくとも部分的に存在し得る。第１の磁気コアの第２のポール面、および、第２の磁気コアの第２のポール面は、第２の導電性エレメントの開口部の中に少なくとも部分的に存在し得る。
【図面の簡単な説明】
【００２１】
【図１】治療または診断システムの例の図である。
【図２】磁気刺激システムの例を図示するブロック図である。
【図３】被験者のターゲット生体構造の中に変化する磁場を発生させるように構成されている例示的な治療コイルの図である。
【図４Ａ】被験者のターゲット生体構造の中に変化する磁場を発生させるように構成されている例示的な治療コイルの下からの斜視図を図示する図である。
【図４Ｂ】被験者のターゲット生体構造の中に変化する磁場を発生させるように構成されている図４Ａの例示的な治療コイルの上からの斜視図を図示する図である。
【図５Ａ】被験者のターゲット生体構造の中に変化する磁場を発生させるように構成されている例示的な治療コイルの上からの斜視図を図示する図である。
【図５Ｂ】被験者のターゲット生体構造の中に変化する磁場を発生させるように構成されている図５Ａの例示的な治療コイルの下からの斜視図を図示する図である。
【図６Ａ】被験者のターゲット生体構造の中に変化する磁場を発生させるように構成されている例示的な治療コイルの上からの斜視図を図示する図である。
【図６Ｂ】被験者のターゲット生体構造の中に変化する磁場を発生させるように構成されている図６Ａの例示的な治療コイルの下からの斜視図を図示する図である。
【図６Ｃ】被験者のターゲット生体構造の中に変化する磁場を発生させるように構成されている図６Ａの例示的な治療コイルの上からの斜視図を図示する図である。
【図６Ｄ】被験者のターゲット生体構造の中に変化する磁場を発生させるように構成されている図６Ａの例示的な治療コイルの下からの斜視図を図示する図である。
【図７Ａ】被験者のターゲット生体構造の中に変化する磁場を発生させるように構成されている例示的な治療コイルの上からの斜視図を図示する図である。
【図７Ｂ】被験者のターゲット生体構造の中に変化する磁場を発生させるように構成されている図７Ａの例示的な治療コイルの下からの斜視図を図示する図である。
【図７Ｃ】被験者のターゲット生体構造の中に変化する磁場を発生させるように構成されている図７Ａの例示的な治療コイルの側面斜視図を図示する図である。
【図７Ｄ】異なる強磁性コンポーネントを含んだ状態の図７Ａの例示的な治療コイルの側面斜視図を図示する図である。
【図８Ａ】被験者のターゲット生体構造の中に変化する磁場を発生させるように構成されている例示的な治療コイルの側面斜視図を図示する図である。
【図８Ｂ】被験者のターゲット生体構造の中に変化する磁場を発生させるように構成されている図８Ａの例示的な治療コイルの下からの斜視図を図示する図である。
【図９Ａ】被験者のターゲット生体構造の中に変化する磁場を発生させるように構成されている例示的な治療コイルの上からの斜視図を図示する図である。
【図９Ｂ】被験者のターゲット生体構造の中に変化する磁場を発生させるように構成されている図９Ａの例示的な治療コイルの下からの斜視図を図示する図である。
【図１０Ａ】被験者のターゲット生体構造の中に変化する磁場を発生させるように構成されている例示的な治療コイルの上からの斜視図を図示する図である。
【図１０Ｂ】被験者のターゲット生体構造の中に変化する磁場を発生させるように構成されている図１０Ａの例示的な治療コイルの下からの斜視図を図示する図である。
【図１１Ａ】被験者のターゲット生体構造の中に変化する磁場を発生させるように構成されている例示的な治療コイルの一部分の上からの斜視図を図示する図である。
【図１１Ｂ】被験者のターゲット生体構造の中に変化する磁場を発生させるように構成されている図１１Ａの例示的な治療コイルの下からの斜視図を図示する図である。
【図１１Ｃ】強磁性コンポーネントを含んだ状態の図１１Ａの例示的な治療コイルの上からの斜視図を図示する図である。
【図１１Ｄ】図１１Ｃの例示的な治療コイルの下からの斜視図を図示する図である。
【図１１Ｅ】複数の強磁性コンポーネントを含んだ状態の図１１Ａの例示的な治療コイルの上からの斜視図を図示する図である。
【図１１Ｆ】図１１Ｅの例示的な治療コイルの下からの斜視図を図示する図である。
【図１１Ｇ】複数の強磁性コンポーネントを含んだ状態の図１１Ａの例示的な治療コイルの上からの斜視図を図示する図である。
【図１１Ｈ】図１１Ｇの例示的な治療コイルの下からの斜視図を図示する図である。
【図１２】例示的なＴＭＳ治療プロセスのフロー図である。
【発明を実施するための形態】
【００２２】
１８３１年、Ｍｉｃｈａｅｌ  Ｆａｒａｄａｙは、導体の上に誘導される電界の大きさが、導体を横切る磁束の変化率に比例するということを発見した。Ｆａｒａｄａｙの法則（当業者には周知である）は、Ｅ〜−（Ａ＊ｄＢ／ｄｔ）として表され得、ここで、Ｅは、誘導される電界（ボルト／メートル）であり、ｄＢ／ｄｔは、磁束密度の時間的変化率（テスラ／秒）である。換言すれば、導体などの物体の中に誘導される電界の量は、２つの因子：磁束の面積密度および時間的変化率を使用して決定され得る。磁束密度およびその微分係数が大きければ大きいほど、誘導される電界および結果として生じる電流密度は大きくなる。磁束は、距離の関数であり得る。たとえば、磁束密度は、磁場の供給源からの距離に関係して強度が減少し得るので（たとえば、１／ｒ３または１／ｒ５など）、導体が磁場の供給源に近ければ近いほど、磁束密度が大きくなり得る。導体がコイルであるときには、電界によってコイルの中に誘導される電流は、コイルのターンの数に比例して増加させられ得る。
【００２３】
さまざまな実施形態の態様が実装され得る磁気システムの例示的な動作および適用の概要が提供され得る。導体の上に誘導される電界の大きさは、導体を横切る磁束密度の変化率に比例し得る。電界が導体の中に誘導されるときには、電界は、導体の中に対応する電流フローを生成し得る。電流フローは、所与のポイントにおいて、電界ベクトルと同じ方向になり得る。ピーク電界は、磁束密度の時間的変化率が最大になるときに起こることができ、他の時間において減少し得る。磁気パルスの間に、電流は、磁場を持続しようとする方向に流れ得る（たとえば、Ｌｅｎｚの法則）。
【００２４】
生体構造の特定のパーツ（たとえば、神経、組織、筋肉、脳）は、導体として作用し得、パルス状の磁場が印加されるときに電流を運搬し得る。パルス状の磁場は、生体構造のこれらのパーツに経皮的に印加され得る。たとえば、ＴＭＳの文脈において、時間的に変化する磁場が、頭蓋骨を横切って印加され、脳組織の中に電界を生成し得、それは、電流を作り出し得る。誘導電流が十分な密度および／または持続期間のものである場合には、ニューロン活動電位は、膜ナトリウムチャネルが開き、活動電位応答が生成される程度まで低減され得る。電流の衝撃は、神経伝達物質の変調を介して他のニューロンに情報を伝達する軸索膜に沿って伝播され得る。そのような磁気刺激は、皮質組織の中のグルコース代謝および局所的な血流に急激に影響を与え得る。主だった鬱病性障害の場合、前頭前皮質および接続されている大脳辺縁系構造の中の神経伝達物質の異常調節および異常なグルコース代謝は、起こり得る病態生理であり得る。前頭前皮質への磁気刺激の繰り返しの印加は、神経伝達物質濃度、代謝、および／または、刺激閾値に対する神経変化の慢性的変化を作り出し得、たとえば、鬱病が軽減され得るようになっている。
【００２５】
非皮質ニューロン（たとえば、脳神経、末梢神経、感覚神経）は、誘導電界によって刺激され得る。たとえば、末梢神経は、たとえば、パルス状の磁場誘導刺激に応答して応答時間および伝導速度を観察することによって、神経病理を診断するために意図的に刺激され得る。末梢神経および／または脳神経に印加される誘導電界が非常に強烈であり、および／または、神経の小さいエリアに焦点を合わせられる場合には、不快感および／または疼痛が結果として生じることがある。たとえば、影響を受ける神経束の中の感覚神経を意図的に過剰刺激することによって、それらが外部疼痛刺激にもはや応答することができないようになっている、または、疼痛感覚を引き起こしている誘導電界の強度および／または焦点を低減させることによって、この不快感は減少させられ得る。
【００２６】
経皮的磁気刺激は、鬱病の治療に限定されなくてもよい。経皮的磁気刺激は、たとえば、てんかん、統合失調症、パーキンソン病、トゥレット症候群、筋萎縮性側索硬化症（ＡＬＳ）、多発性硬化症（ＭＳ）、アルツハイマー病、注意欠陥多動性障害、肥満、双極性障害／躁病、不安障害（たとえば、広場恐怖症、社会不安障害としても知られる社交恐怖、急性ストレス障害、および／または全般性不安障害を伴うおよび伴わないパニック障害）、心的外傷後ストレス障害（ＤＳＭにおける不安障害のうちの１つ）、強迫性障害（たとえば、ＤＳＭにおける不安障害のうちの１つ）、疼痛（たとえば、片頭痛および三叉神経痛、ならびに、慢性疼痛障害（神経因性疼痛、たとえば、糖尿病性神経障害、帯状疱疹後神経痛に起因する疼痛を含む）、ならびに、特発性疼痛障害、たとえば、線維筋痛症、局所的な筋膜性疼痛症候群など）、脳卒中後のリハビリテーション（神経可塑性誘導）、耳鳴り、統合を促進させるために植え込まれたニューロンの刺激、物質関連障害（たとえば、アルコール、コカイン、アンフェタミン、カフェイン、ニコチン、および大麻などに関する依存症、乱用、および離脱診断）、脊髄損傷および再生／リハビリテーション、脳卒中、頭部損傷、睡眠不足の逆転、原発性睡眠障害（原発性不眠症、原発性過眠症、概日リズム睡眠障害）、認知機能改善、認知症、月経前不快気分障害（ＰＭＳ）、薬物送達システム（薬物に対して細胞膜透過性を変化させること）、タンパク質合成の誘導（転写および翻訳の誘導）、吃音、失語症、嚥下障害、本態性振戦、自閉症スペクトラム障害、および／または摂食障害（たとえば、過食症、拒食症および多食症など）を患う患者（たとえば、ヒトなど）を治療するために使用され得る。
【００２７】
デバイスは、さまざまな用途において使用される電界を誘導するために、上記の原理を利用し得る。たとえば、磁気デバイスは、生体構造の電気的な刺激のために使用され得る。本明細書での議論は、解剖学的組織の磁気刺激に関連して使用される磁気デバイスに焦点を合わせているが、磁気デバイスは、どの活動分野においても利用され得る。さらに、本明細書で提供されるデバイスは、たとえば、経頭蓋磁気刺激法（ＴＭＳ）などのような磁気刺激を参照して説明されているので、デバイスは、任意の治療または診断手順に関して使用され得る。
【００２８】
強磁性コアは、磁場を作り出すために、磁気デバイスに関連して使用され得る。たとえば、強磁性コアは、円弧形状の（たとえば、おおよそ半球形の）磁気材料を含み得る。強磁性コアは、少なくとも０．５テスラの磁気飽和を有する高度に飽和可能な磁気材料を含み得る。強磁性コアは、治療エリアの中の磁場分布を最適化するために形状決めされ得る。たとえば、そのような磁場は、たとえば、経頭蓋磁気刺激法（ＴＭＳ）、反復ＴＭＳ（ｒＴＭＳ）、磁気けいれん療法（ＭＳＴ）、深部ＴＭＳ（ｄＴＭＳ）、制御および／または変化させられるパルス形状ＴＭＳ（ｃＴＭＳ）、末梢神経不快感の低減などのような、経皮的磁気刺激を実施する目的のためとすることができる。本明細書で説明されている例は、ＴＭＳおよびｒＴＭＳに関連して議論されている場合があるが、本明細書で説明されている例は、たとえば、経皮的磁気刺激などのような、任意のタイプの磁気刺激に関連して利用され得る。そのうえ、たとえば、エアコアなどのような、他のコア材料が使用され得るので、本明細書で提示されている実施形態は、強磁性コア磁気刺激システムの使用に限定されない。
【００２９】
図１は、治療または診断システム１００の例の図である。治療または診断システム１００は、プロセッサー（図示せず）、電力供給部（図示せず）、メモリー（図示せず）、トランシーバー、（図示せず）、治療コイル１０２、関節式アーム１０４、ディスプレイデバイス１０６、および／またはヒト被験者位置決め装置１２２を含み得る。治療システム１００は、静止式であってもよく、または、可動式であってもよい。たとえば、治療システム１００は、たとえば、図１に示されているように、可動カートの中へ一体化され得る。１つまたは複数の例において、治療システム１００は、ＴＭＳ治療システム（たとえば、ＮｅｕｒｏＳｔａｒ（登録商標））および／または任意の他の診療および／または診断手順システムとすることができる。
【００３０】
治療コイル１０２は、たとえば、ＴＭＳなど、診療および／または診断手順をヒト被験者１２０に施すために使用され得る。例示的な治療コイル１０２は、１つまたは複数の治療コイルと、１つまたは複数の強磁性コンポーネントとを含み得、１つまたは複数の強磁性コンポーネントは、１つまたは複数の治療コイルのうちの対応するものに近接して配設されるように構成されている。それぞれのＴＭＳデバイスの１つまたは複数の治療コイルおよび強磁性コンポーネントは、１つまたは複数の治療コイルだけによって発生させられる磁場のものとは異なる１つまたは複数の特質を示す磁場を協働的に発生させ得る。治療コイル１０２を含むことが図示されており、主としてＴＭＳに関して説明されているが、治療システム１００は、ヒト被験者の診療および／または診断手順を施すための任意のデバイスを含み得。いくつかの例では、治療システム１００は、診断手順のために（たとえば、診断手順のためだけに）使用され得る。
【００３１】
治療システム１００のプロセッサーは、汎用プロセッサー、専用プロセッサー、従来のプロセッサー、デジタル信号プロセッサー（ＤＳＰ）、複数のマイクロプロセッサー、ＤＳＰコアと関連した１つまたは複数のマイクロプロセッサー、コントローラー、マイクロコントローラー、特定用途向け集積回路（ＡＳＩＣ）、フィールドプログラマブルゲートアレイ（ＦＰＧＡ）回路、任意の他のタイプの集積回路（ＩＣ）、およびステートマシンなどであってもよい。プロセッサーは、信号コーディング、データ処理、電力制御、入力／出力処理、および／または、治療システム１００が動作することを可能にする任意の他の機能性を実施し得る。プロセッサーは、電子的なパッケージまたはチップの中の治療システム１００の１つまたは複数の他のコンポーネントとともに一体化され得る。
【００３２】
治療システム１００のプロセッサーは、治療コイル１０２、関節式アーム１０４、ディスプレイデバイス１０６（たとえば、液晶ディスプレイ（ＬＣＤ）ディスプレイユニットもしくは有機発光ダイオード（ＯＬＥＤ）ディスプレイユニット）、および／またはヒト被験者位置決め装置１２２に連結され得、また、ユーザー入力データをそれらから受け取ることおよび／または出力ユーザー入力データをそれらに送り得る。プロセッサーは、任意のタイプの適切なメモリー（たとえば、非可搬型メモリーおよび／または可搬型メモリーなど）からの情報にアクセスし得、また、任意のタイプの適切なメモリーの中にデータを記憶し得る。非可搬型メモリーは、ランダムアクセスメモリー（ＲＡＭ）、リードオンリーメモリー（ＲＯＭ）、ハードディスク、または、任意の他のタイプのメモリーストレージデバイスを含み得る。可搬型メモリーは、加入者識別モジュール（ＳＩＭ）カード、メモリースティック、およびセキュアデジタル（ＳＤ）メモリーカードなどを含み得る。プロセッサーは、メモリーからの情報にアクセスし得、また、メモリーの中にデータを記憶し得、メモリーは、治療システム１００の中に物理的に位置付けされておらず、たとえば、サーバー（図示せず）の上などに位置付けられている。
【００３３】
プロセッサーは、電力供給部から電力を受け取り得、治療システム１００の中の他のコンポーネントへの電力を分配および／または制御するように構成され得る。電力供給部は、治療システム１００に給電するための任意の適切なデバイスとすることができる。
【００３４】
ヒト被験者１２０は、ヒト被験者位置決め装置１２２の中に位置決めされ得る。ヒト被験者位置決め装置１２２は、椅子、リクライナー、ベッド、および／またはスツールなどとすることができる。治療を実施するときに、治療コイル１０２は、ヒト被験者の頭部が治療コイル１０２の下に位置決めされるように位置し得る。治療コイル１０２は、関節式アーム１０４および／またはそれに類するものなどによって調節され得る。
【００３５】
治療システム１００は、プロセッサーの上で実行する１つまたは複数のコンピューターソフトウェアアプリケーションを含み得る。コンピューターソフトウェアアプリケーションは、ディスプレイデバイス１０６の上にシステムグラフィカルユーザーインターフェース（ＧＵＩ）（たとえば、ＴＭＳシステムＧＵＩ）を提供し得る。コンピューターソフトウェアアプリケーションは、ワークフロー管理を組み込み、診療および／もしくは診断手順を通じて技師をガイドし、ならびに／または、治療システム１００の１つもしくは複数のサブシステムを監視および／もしくは制御し得る。たとえば、コンピューターソフトウェアアプリケーションは、内部システム機能を制御し、安全な動作を保証するためにシステム状況をモニタリングし、ならびに／または、診療および／もしくは診断手順のための準備および／もしくは診療および／もしくは診断手順を施すことを管理するために、グラフィカル手段をユーザーに提供し得る。
【００３６】
コンピューターソフトウェアアプリケーションとの相互作用は、ユーザーインターフェースを介して提供され得る。１つまたは複数の実施形態において、ユーザーインターフェースは、ディスプレイデバイス１０６とすることができ、ディスプレイデバイス１０６は、タッチスクリーンディスプレイとすることができる。ディスプレイデバイス１０６は、治療システム１００とのユーザーインタラクションのための英数字キーおよび／またはボタンのタッチ活性化イメージを含み得る。ディスプレイデバイス１０６は、システム活動、メッセージ、および／またはアラームのグラフィック表現を提供し得る。インタラクティブなボタン、フィールド、および／またはイメージが、ディスプレイデバイス１０６を介して表示され得、技師がシステム機能に指示することおよび／またはシステム機能と相互作用することを可能にすることができ、システム機能は、たとえば、データを入力すること、手順を開始および停止すること、診断を実行すること、治療コイル１０２の位置決めおよび／もしくは構成を調節すること、ならびに／または、１つもしくは複数のセンサーの位置を調節することなどである。
【００３７】
治療システム１００は、任意の診療および／または診断手順のために使用され得る。たとえば、治療システムは、ＴＭＳ、経頭蓋直流刺激法（ｔＤＣＳ）、脳波記録法（ＥＥＧ）、脳深部刺激法（ＤＢＳ）、および／または診断手順などのために使用され得る。たとえば、治療システム１００は、ヒト被験者の上への（たとえば、ヒト被験者の頭部の表面の上など）電極、センサー、および／またはプローブなどの設置を含む任意の診療および／または診断手順のために使用され得る。頭部モデルを参照して説明されているが、治療システム１００は、それに限定されないが、腕、首、胸部、および／または脚などのような、ヒト被験者１２０の任意のパーツのモデルを発生させるように構成され得る。
【００３８】
図２は、磁気刺激システム２００の例を図示するブロック図である。磁気刺激システム２００は、治療システム１００の例であり得る。磁気刺激システム２００は、センサー２１０、コントローラー２２０、ユーザーインターフェース２３０、電力供給部２４０、および磁気刺激コンポーネント２５０を含み得る。磁気刺激コンポーネント２５０は、図１の治療システム１００の治療コイル１０２の例とすることができる。
【００３９】
磁気刺激コンポーネント２５０は、患者の治療エリアに磁気刺激療法を行うために、パルス状磁場２６０を発生させるように構成され得る。磁気刺激療法は、たとえば、経頭蓋磁気刺激法（ＴＭＳ）とすることができる。ＴＭＳは、ＴＭＳ、反復経頭蓋磁気刺激法（ｒＴＭＳ）、深部ＴＭＳ（ｄＴＭＳ）、またはｃＴＭＳなどを指すことがある。磁気刺激コンポーネント２５０は、治療コイルとすることができる。磁気刺激コンポーネント２５０は、単一の治療コイル、複数の治療コイル、および／または、治療コイルのアレイとすることができる。治療エリアは、たとえば、前頭前皮質とすることができる。磁気刺激コンポーネント２５０は、コア（たとえば、磁気コア（たとえば、強磁性コア）など）を含んでもよく、または、含まなくてもよい。パルス状磁場２６０は、１つまたは複数のパルスバーストとすることができる。パルス状磁場２６０のパルスバースト（たとえば、それぞれのパルスバースト）は、１つまたは複数のパルスとすることができる。
【００４０】
センサー２１０は、パルス状磁場２６０と関連付けられた信号を発生させるように構成され得る。センサー２１０は、磁気刺激コンポーネント２５０と患者の治療エリアとの間に設置され得る。センサー２１０は、磁気刺激コンポーネント２５０のパルス状磁場２６０と関連付けられた信号（たとえば、パルス状磁場２６０によって誘導される信号）を発生させるように構成され得る。たとえば、センサー２１０は、物理的特性（たとえば、パルス状磁場２６０の強度）を対応する電気信号（たとえば、電流信号または電圧信号）に変換し得る。そうであるので、センサー２１０は、パルス状磁場の物理的なパラメーターを検出および／または測定し、検出された／測定された物理的なパラメーターを使用して、パルス状磁場と関連付けられた信号を発生させ得る。発生させられる信号は、パルス状磁場２６０の変化に比例し得る電圧信号および／または電流信号などとすることができる。たとえば、電流は、センサー２１０の中に発生させられ得、それは、パルス状磁場２６０に比例し得る。センサー２１０は、パルス状磁場２６０の磁束密度（ｄＢ／ｄｔ）に比例し得る電圧を発生させ得る。
【００４１】
センサー２１０は、導電性コイル、ループ（たとえば、パルス状磁場に基づいて複数のターンを有している）、Ｈａｌｌセンサー、磁気抵抗材料、Ｆａｒａｄａｙ効果センサー、Ｋｅｒｒ効果センサー、フラックスゲートセンサー、インダクタンス変化エレメント、神経組織応答測定デバイス、および／または（たとえば、導電性場の中の）電界センサーなどのうちの１つまたは複数を含み得る。センサー２１０は、２つ以上の信号、たとえば、磁気刺激コンポーネント２５０によって発生させられるパルス状磁場２６０と関連付けられる２つ以上の信号を発生させるように構成され得る。
【００４２】
コントローラー２２０は、任意のタイプのハードウェア、ソフトウェア、またはそれらの組み合わせとすることができる。コントローラー２２０は、たとえば、磁気刺激療法を行うために、磁気刺激システム２００のコンポーネント（たとえば、センサー２１０、ユーザーインターフェース２３０、電力供給部２４０、および／または磁気刺激コンポーネント２５０など）のうちの１つまたは複数を制御するように構成され得る。たとえば、コントローラー２２０は、汎用プロセッサー、専用プロセッサー、従来のプロセッサー、デジタル信号プロセッサー（ＤＳＰ）、複数のマイクロプロセッサー、ＤＳＰコアと関連した１つまたは複数のマイクロプロセッサー、マイクロコントローラー、任意の他のタイプの集積回路（ＩＣ）、および／またはステートマシンなどを含み得る。
【００４３】
コントローラー２２０は、ユーザーインターフェース２３０および／またはセンサー２１０から入力を受け取り、それにしたがって、磁気刺激療法を行うように構成され得る。たとえば、コントローラー２２０は、信号コーディング、データ処理、電力制御、入力／出力処理、および／または、コントローラー２２０が磁気刺激のために磁気刺激コンポーネントを動作させることを可能にする任意の他の機能性を実施し得る。コントローラー２２０は、ドライブ回路を含み得、ドライブ回路は、磁気シミュレーション コンポーネント２５０を駆動する（たとえば、給電する、たとえば、パルスを与えるなど）ためのドライブ信号を発生させる。いくつかの例では、ドライブ回路は、コントローラー２２０から分離され得、磁気刺激コンポーネント２５０に電気的に連結され得る。
【００４４】
さらに、コントローラー２２０は、ユーザーインターフェース２３０および／またはセンサー２１０から受け取られる入力に基づいて磁気刺激コンポーネント２５０に提供されるドライブ信号を変更するように構成され得る。コントローラー２２０は、センサー２１０によって発生させられる信号と関連付けられた（たとえば、信号の１つまたは複数のピークと関連付けられた）特質を推定する（たとえば、測定する）ように構成され得る。コントローラー２２０は、信号のパルスのサブセットを推定し得、または、信号を連続的に推定し得る。信号の特質を推定することによって、コントローラー２２０は、パルス状磁場に応答して患者の脳の中に起こるもののモデルを推定し得る。
【００４５】
さらに、コントローラー２２０は、センサー２１０によって発生させられる信号の１つまたは複数の特質に基づいて、故障が起こったかどうかを決定し得る。故障が起こったと決定される場合に、コントローラー２２０は、故障モードに進入し得る。故障モードにおいて、コントローラー２２０は、磁気刺激手順を休止し、磁気刺激コンポーネント２５０を停止させ、磁気刺激システム２００のユーザーに警告し、および／または、磁気刺激コンポーネント２５０に印加される電流を変更し得る。たとえば、コントローラー２２０が故障モードに進入するときには、コントローラー２２０は、それが発生信号の特質を推定する周波数を調節し得る。たとえば、コントローラー２２０は、第１の故障が検出された後に、より頻繁に故障をチェックし得る。さらに、磁気刺激システム２００は、インジケーターを含み得、インジケーターは、故障が起こったということを磁気刺激システム２００のユーザーに示し得る。たとえば、インジケーターは、ライト、スピーカー、および／または、ユーザーインターフェース２３０の上に表示されるアイコンなどとすることができる。
【００４６】
ユーザーインターフェース２３０は、磁気刺激システム２００のユーザーが磁気刺激手順を開始させ、調節し、および／または終了させることができる任意のタイプのインターフェースとすることができる。たとえば、ユーザーインターフェース は、パーソナルコンピューター（ＰＣ）、キーボード、マウス、タッチスクリーン、および／またはワイヤレスデバイスなどを含み得、それは、ユーザーと磁気刺激システム２００との間のインターフェースを可能にする。
【００４７】
電力供給部２４０は、磁気刺激コンポーネント２５０がその意図した目的のために（たとえば、ＴＭＳ、ｒＴＭＳ、ＭＳＴ、または任意の他のタイプの用途のために）パルス状磁場２６０を発生させるのに十分なエネルギーを提供する任意のタイプの電源とすることができる。たとえば、電力供給部２４０は、従来の１２０ＶＡＣまたは２４０ＶＡＣの主電源とすることができる。
【００４８】
図３〜図１１Ｈは、治療システム１００および／または磁気刺激システム２００の中で使用され得る治療コイルの例である。図３〜図１１Ｈを参照して説明されている治療コイルは、治療または診断システムの中の治療コイル（たとえば、治療または診断システム１００の中の治療コイル１０２）として、および／または、磁気刺激システムの磁気刺激コンポーネント（たとえば、磁気刺激システム２００の磁気刺激コンポーネント２５０）の一部として使用され得る。さらに、単一のドライブ回路によって駆動されるものとして説明されているが、図３〜図１１Ｈを参照して説明されている治療コイルは、複数のドライブ回路によって駆動され得、たとえば、それぞれの導電性エレメントのためのまたは治療コイルの導電性エレメントのサブセットのためのドライブ回路によって駆動され得る。また、図３〜図１１Ｈを参照して説明されている導電性エレメントは、Ｌｉｔｚワイヤーなどのような任意の適切な材料を含み得る。
【００４９】
図３〜図１１Ｈを参照して説明されている治療コイルは、１つまたは複数の強磁性コンポーネントを含み得。いくつかの例では、強磁性コンポーネントは、磁気コアと称され得る。強磁性コンポーネントは、粉末状の磁気材料と、積層された磁気材料と、アモルファス磁気材料と、鉄、ニッケル、もしくはコバルトの合金のうちの１つもしくは複数と、および／または、レアアース元素もしくは合金、たとえば、ガドリニウム、ネオジム、もしくはホルミウムなどとの任意の組み合わせから構成され得る。たとえば、本明細書で説明されている強磁性コンポーネントは、任意の適切な材料から構成され得、いくつかの例では、強磁性コンポーネントは、複数の異なる材料から作製され得、ここで、材料は、異なる飽和レベルを定義している。治療コイルのうちのいくつかの例は、強磁性コンポーネントを含んだ状態で説明されているが、本明細書で説明されている治療コイルのうちのいずれかは、図示されている強磁性コンポーネントのサブセットを含み得、および／または、強磁性コンポーネントは省略され得る。
【００５０】
また、直流電流（ＤＣ）磁場および／または永久磁石が、本明細書で説明されている治療コイルのいずれかの中で使用され、たとえば、強磁性コンポーネントの磁化率を修正し、磁場を再成形し、および／または、治療コイルによって生成される活性化ゾーンの分離を変更し得るということが認識されるべきである。
【００５１】
最後に、本明細書で説明されている治療コイルのうちのいずれかは（たとえば、治療コイル３００、４００、５００、６００、７００、８００、９００、１０００、および／または１１００）、被験者の中に（たとえば、１つまたは複数のターゲット場所において）１つまたは複数の活性化ゾーン（たとえば、２つの活性化ゾーン）を誘導する磁場を発生させるように構成され得るということが認識されるべきである。したがって、治療コイルは、２つの活性化ゾーンを誘導する磁場を発生させるものとして主として説明されているが、本明細書で説明されている治療コイルのいずれかは、２つよりも多いまたは少ない活性化ゾーンを誘導する磁場を発生させるように構成され得る。
【００５２】
図３は、例示的な治療コイル３００を示しており、例示的な治療コイル３００は、ヒト被験者（図示せず）などのような被験者のターゲット生体構造の中に変化する磁場を発生させるように構成されている。被験者のターゲット生体構造は、たとえば、被験者の脳組織とすることができる。治療コイル３００は、第１の導電性エレメント３１０、第２の導電性エレメント３２０、および第３の導電性エレメント３３０を含む。治療コイル３００は、たとえば、図１に示されているように、ＴＭＳ治療の準備のために、または、ＴＭＳ治療の間に、被験者の頭部に近接して配設され得る。図示されていないが、治療コイル３００は、強磁性コンポーネントをさらに含み得。導電性エレメント３１０、３２０、３３０および強磁性コンポーネントの組み合わせは、集合的に、たとえば、電磁石と称され得る。治療コイル３００は、図示されているものよりも多いまたは少ない導電性エレメントを含み得るということが認識されるべきである。導電性エレメントは、導電性巻線と称され得る。
【００５３】
導電性エレメント３１０、３２０、３３０は、銅などのような、適切な電気伝導度を示す任意の材料から作製され得る。第１および第２の導電性エレメント３１０、３２０は、材料の異なるピース、または、材料のモノリシックのピースから製作され得る。たとえば、所定の長さの材料（たとえば、ワイヤー）は、第１および第２の導電性エレメント３１０、３２０のそれぞれを画定するように、連続的に巻かれ得る。導電性エレメント３１０、３２０、３３０は、互いに対して別個に製作および支持されており、たとえば、１つまたは複数の取り付け部材（図示せず）を使用して互いに取り付けられ得る。別個に製作される複数の導電性エレメント（たとえば、第１および第２の導電性エレメント３１０、３２０）は、たとえば、導電性エレメントのそれぞれを相互接続する１つまたは複数の導電性の取り付け部材を使用して、互いに電気的に連通した状態で設置され得る。
【００５４】
導電性エレメント３１０、３２０、３３０は、任意の適切な形状、たとえば、図示されているように、実質的に円形の形状を画定し得る。たとえば、導電性エレメント３１０、３２０、３３０は、図示されているものと同じまたは異なる形状とすることができ、互いに同じまたは異なる形状を有し得る（たとえば、円形、楕円形、長円形、長方形など）。さらに、導電性エレメント３１０、３２０、３３０のうちの１つまたは複数は、被験者の頭部の領域に一致する幾何学形状を画定するように構成され得る。たとえば、導電性エレメントのうちの１つまたは複数は（それらの全体のうちの一部）、被験者の頭部の一部分（または、たとえば、他のターゲット生体構造）に一致する凹形のバンド形状のコイル幾何学形状を画定し得る。
【００５５】
治療コイル３００は、非対称の８の字コイルを画定し得る（たとえば、「８」の一方のループが「８」の他方のループとは異なってサイズ決めまたは形決めされている８の字コイル、および／または、１つもしくは複数の追加的な導電性エレメントが「８」の対称性を破壊するように伝統的な８の字コイルに追加されている８の字コイル、など）。たとえば、治療コイル３００は、「８」の一方のループを画定する２つの導電性エレメント３１０、３２０と、「８」の他方のループを画定する１つの導電性エレメント３３０とを含み得る。そうであるので、治療コイル３００は、非対称の８の字コイルを画定し得る。さらに、導電性エレメント３１０は、導電性エレメント３２０によって画定される周囲、および／または、導電性エレメント３３０によって画定される周囲よりも大きい周囲を画定し得る。さらに、いくつかの例では、導電性エレメント３３０によって画定される周囲は、導電性エレメント３２０によって画定される周囲に等しくし得る。しかし、いくつかの例では、導電性エレメント３３０によって画定される周囲は、導電性エレメント３２０によって画定される周囲よりも大きくなっていてもよく、または、小さくなっていてもよいということが認識されるべきである。
【００５６】
導電性エレメント３１０、３２０、および３３０は、第１の導電性エレメント３１０によって画定される開口部の中に第２の導電性エレメント３２０が設置されるように位置し得る。さらに、第２の導電性エレメント３２０の中心軸線３２２は、第１の導電性エレメント３１０の中心軸線３１２からオフセットされ得る。そうであるので、第１および第２の導電性エレメント３１０、３２０は、同心円状になっていない。第２の導電性エレメント３２０と第１の導電性エレメント３１０との間の距離は、任意の適切な距離であり得る（たとえば、第１および第２の導電性エレメントが同心円状にならないようになっている）。他の例において、第１および第２の導電性エレメント３１０、３２０は、同心円状になっていてもよい。第３の導電性エレメント３３０は、第１の導電性エレメント３１０の周辺部の外側に位置付けされ得るが、第１および第３の導電性エレメント３１０、３３０は、互いに近接して位置付けされ得る。第１および第３の導電性エレメント３１０、３３０の近接する側部同士の間に小さいギャップ（図示せず）が位置付けされていてもよく、一方、いくつかの例では、第１および第３の導電性エレメント３１０、３３０が互いに接触し得る。さらに、いくつかの例では、導電性エレメント３１０は、導電性エレメント３２０よりも、導電性エレメント３３０の近くに配設され得る。
【００５７】
診断手順の治療の間に、治療コイル３００は、第１の導電性エレメント３１０が第３の導電性エレメント３３０に近接しているエリア３４０が、被験者のターゲット刺激ゾーンの上方に設置されるように配設され得る。その後に、治療コイル３００は、治療システムおよび／または磁気刺激システムのドライブ回路によって駆動され得る。たとえば、駆動されるときに、電流が、第１および第２の導電性エレメントを通って第１の方向（たとえば、図示されているように、上の視点から見たときに時計回り方向）に循環し、一方、電流が、第３の導電性エレメントを通って反対の第２の方向に（たとえば、図示されているように、上の視点から見たときに反時計回りに）循環するように、治療コイル３００が構成され得る。
【００５８】
結果として、治療コイル３００は、第３の導電性エレメント３３０の実質的に反対側のエリア（たとえば、エリア３５０など）と比較して、第１の導電性エレメント３１０が第３の導電性エレメント３３０に近接しているエリア３４０に近接して（たとえば、より強力なパルス状磁場を介して）、増加した刺激を引き起こす磁場を発生させるように構成され得る。そうであるので、治療コイル３００のコイル構成は、治療エリアの周りに（たとえば、エリア３４０に近接して、たとえば、エリア３４０の下方に）、増加した刺激を提供し得、ターゲット刺激ゾーンの外側のエリア（たとえば、エリア３５０）の中に低減された刺激（たとえば、低減されたリターン電流）を提供し得る。
【００５９】
さらに、導電性エレメント３１０は、導電性エレメント３２０よりも導電性エレメント３３０の近くに配設され得る。導電性エレメント３２０および３３０に対する導電性エレメント３１０の相対的な場所とともに導電性エレメント３１０を含めることは（たとえば、導電性エレメント３１０は、導電性エレメント３２０よりも導電性エレメント３３０の近くに配設されている）、導電性エレメント３１０が含まれていない状況と比較して（たとえば、対称的な８の字コイルと比較して）、および／または、導電性エレメント３１０が導電性エレメント３３０よりも導電性エレメント３２０の近くに配設されている状況と比較して、矢印３６０によって画定される方向に治療コイル３００によって発生させられる磁場をエリア３５０の近くにシフトさせ得る。たとえば、導電性エレメント３２０よりも導電性エレメント３３０の近くに配設されている導電性エレメント３１０を含めることは、エリア３５０に近接して誘導される電流レベルを増加させない状態で、直接的に導電性エレメント３２０と導電性エレメント３３０との間のエリアから、エリア３５０のより近くにシフトされたエリア３４０へ、矢印３６０によって画定される方向に沿って、磁場をシフトさせ得る。
【００６０】
エリア３５０に近接して誘導される電流レベルを増加させない状態で、（たとえば、対称的な８の字コイルの場合と同様に）直接的に導電性エレメント３２０と導電性エレメント３３０との間のエリアからエリア３５０のより近くへ磁場をシフトさせることは、特定の治療または診断手順にとって有益であり得る。たとえば、治療コイル３００が患者に近接した位置にあるときには、治療エリアは、エリア３４０に近接してもよく、また、エリア３５０の直ぐ向こうに刺激することが望ましくないエリアが存在し得る。たとえば、いくつかの手順の間に、患者の副鼻腔または鼻柱（そこでは、刺激の誘導が望ましくないことがある）に近接してエリア３５０を位置付けしながら、背内側皮質または前頭前皮質の刺激のために、背内側皮質または前頭前皮質に近接してエリア３４０を位置付けすることが望ましいことがある。
【００６１】
治療コイル３００は、直接的に導電性エレメント３２０と導電性エレメント３３０との間のエリアから、エリア３５０のより近くにシフトされたエリア３４０へ、矢印３６０によって画定される方向に磁場をシフトさせるために、他の配置で構成され得る。たとえば、導電性エレメント３３０がより小さい直径で作製されている場合には、導電性エレメント３１０および／もしくは３２０がより大きい直径で作製されている場合には、ならびに／または、導電性エレメント３２０が導電性エレメント３３０からより遠くに離れるように移動させられる場合には、発生させられる磁場は、エリア３５０のより近くにシフトされ得る。
【００６２】
図示されている例では、第１、第２、および第３の導電性エレメント３１０、３２０、３３０は、単一のループ（たとえば、単一のアンプターン（amp-turn））をそれぞれ画定している。いくつかの例では、治療コイル３００は、追加的な導電性エレメント、および／または、複数のループ（たとえば、アンプターン）を画定する導電性エレメントを含み得る。たとえば、治療コイル３００は、一方の側よりも他方の側において（たとえば、第１および第２の導電性エレメント３１０、３２０を有する側、または、第３の導電性エレメント３３０を有する側）、より多くの導電性エレメント（または、たとえば、より多くのループを画定する導電性エレメント）を含み得る。たとえば、第４の導電性エレメントが、第２の導電性エレメント３２０の開口部の中に含まれ得、さらなる例に関して、第５の導電性エレメントが、第３の導電性エレメント３３０の開口部の中に含まれ得る。第４および第５の導電性エレメントは、それぞれ、第２および第３の導電性エレメントと同心円状になっていなくてもよい。したがって、一方の側よりも他方の側においてより多くの導電性エレメントが存在している限りにおいて、治療コイル３００は、任意の数の追加的な導電性エレメント（または、たとえば、より多くのループを画定する導電性エレメント）を含み得る。さらに、駆動されるときには、電流が、第４の導電性エレメントを通って第１の方向（たとえば、第１および第２の導電性エレメント３１０、３２０と同じ方向）に循環し得、一方、電流が、第５の導電性エレメントを通って反対の第２の方向（たとえば、第３の導電性エレメント３３０と同じ方向）に循環し得る。
【００６３】
さらに、上記に述べられているように、刺激コイル３００は、強磁性コンポーネント（図示せず）を含み得る。強磁性コンポーネントは、治療コイル３００によって発生させられる磁場の１つまたは複数の特質を変化させるように構成され得る。強磁性コンポーネントは、適切な強磁性の特性を示す任意の材料、たとえば、粉末状の強磁性の鉄粒子などから作製され得る。さらに、強磁性コンポーネントは、任意の適切な形状、たとえば、円形形状、半楕円形のバンド形状などを画定し得る。
【００６４】
強磁性コンポーネントは、治療コイル３００に近接して位置付けされ得る。たとえば、強磁性コンポーネントは、（たとえば、第２の導電性エレメント３２０に加えて、または、第２の導電性エレメント３２０の代わりに）第１の導電性エレメント３１０の開口部の中に位置付けされ得る。強磁性コンポーネントの中心は、第１の導電性エレメント３１０（および、たとえば、含まれる場合には、第２の導電性エレメント３２０）の中心軸線３１２からオフセットされ得る。たとえば、強磁性コンポーネントが円形の断面を有する場合には、強磁性コンポーネントは、第１の導電性エレメント３１０と同心円状になっていなくてもよい。第１の導電性エレメント３１０の中心軸線３１２から強磁性コンポーネントをオフセットさせることによって、治療コイル３００は、第１の導電性エレメント３１０が第３の導電性エレメント３３０に近接しているエリア３４０からオフセットされている磁場を発生させるように構成され得る。そのうえ、いくつかの例では、強磁性コンポーネントは、治療コイル３００の一部分または全体を少なくとも部分的に受け入れるかまたは包含するように構成され得る。たとえば、強磁性コンポーネントは、凹部を画定し得、凹部は、治療コイル３００の少なくとも一部分を受け入れるように構成されており、治療コイル３００が凹部の中に配設されているときには、強磁性コンポーネントが導電性エレメント３１０、３２０、３３０のそれぞれの部分を少なくとも部分的に取り囲むようになっている。
【００６５】
いくつかの例では、治療コイル３００は、ベンドを含み得、リターン電流が頭部から巻き起こるようにする角度（たとえば、９０度の角度など）を、治療コイル３００が画定するようになっている。たとえば、導電性エレメント３１０、３２０、３３０の任意の組み合わせは、リターン電流が頭部から巻き起こることを可能にする角度（たとえば、９０度の角度など）を、導電性エレメントに画定させるベンドを画定し得る。さらに、いくつかの例では、治療コイル３００は、リターン電流が頭部から巻き起こることを可能にする角度（たとえば、９０度の角度など）を画定する１つまたは複数の追加的な導電性エレメントを含み得る。
【００６６】
図４Ａおよび図４Ｂは、例示的な治療コイル４００を示しており、例示的な治療コイル４００は、ヒト被験者（図示せず）などのような被験者のターゲット生体構造の中に変化する磁場を発生させるように構成されている。被験者のターゲット生体構造は、たとえば、被験者の脳組織とすることができる。治療コイル４００は、第１の導電性エレメント４１０、第２の導電性エレメント４２０、および強磁性コンポーネント４３０を含む。治療コイル４００は、たとえば、図１に示されているように、ＴＭＳ治療の準備のために、または、ＴＭＳ治療の間に、被験者の頭部に近接して配設され得る。導電性エレメント４１０、４２０および強磁性コンポーネント４３０の組み合わせは、集合的に、たとえば、電磁石と称され得る。治療コイル４００は、図示されているものよりも多いまたは少ない導電性エレメントを含み得るということが認識されるべきである。導電性エレメントは、導電性巻線と称され得る。さらに、また、いくつかの例では、治療コイル４００は、強磁性コンポーネント４３０を含まなくてもよいということが認識されるべきである。
【００６７】
第１の導電性エレメント４１０は、たとえば、図示されているように、形状が実質的に円形とすることができる。第１の導電性エレメント４１０は、内側表面４１２、外側表面４１４、上側表面４１６、および底部表面４１８を画定し得る。第２の導電性巻線４２０は、非円形のまたは非長円形の形状を画定し得る。たとえば、第２の導電性エレメント４２０は、たとえば、図示されているように、三日月形に形状決めされ得る（たとえば、弓形、腎臓、または鎌形に形状決めされる）。
【００６８】
第２の導電性エレメント４２０は、内側表面４２２、外側表面４２４、上側表面４２６、および底部表面４２８を画定し得る。第２の導電性エレメント４２０の外側表面４２４は、凸形部分４２５および凹形部分４２７を含み得る。第１の導電性巻線４１０は、第２の導電性巻線４２０の外側表面４２４の凹形部分４２７に近接して配設され得る。たとえば、第１の導電性巻線４１０の外側表面４１２は、第２の導電性巻線４２０の外側表面４２４の凹形部分４２７に近接して配設され得る。たとえば、第２の導電性巻線４２０の凹形部分４２７は、凹面を画定し得、第１の導電性巻線４１０の少なくとも一部分は、第２の導電性巻線４２０の凹面の中に配設され得る。第１の導電性巻線４１０の少なくとも一部分は、第２の導電性巻線４２０の凹面の中に配設され得るが、いくつかの例では（たとえば、図示されているものなど）、第２の導電性巻線４２０は、第１の導電性巻線４１０をカプセル化していなくてもよい。
【００６９】
第１および第２の導電性エレメント４１０、４２０は、銅などのような、適切な電気伝導度を示す任意の材料から作製され得る。第１および第２の導電性エレメント４１０、４２０は、同じ数のターン（たとえば、アンプターン）、たとえば、図示されているように単一のターンを画定し得る。しかし、いくつかの例では、第１の導電性エレメント４１０が、第１の数のターンを画定し得、一方、第２の導電性エレメント４２０が、異なる第２の数のターンを画定し得るということが認識されるべきである。さらに、いくつかの例では、治療コイル４００は、追加的な導電性エレメント、および／または、複数のループ（たとえば、アンプターン）を画定する導電性エレメントを含み得る。たとえば、第１の導電性エレメント４１０は、１つもしくは複数の追加的なおよびオーバーラップする導電性エレメントを含み得（たとえば、第１の導電性エレメント４１０は、複数のループを画定し得る）、ならびに／または、第２の導電性エレメント４２０は、１つもしくは複数の追加的なおよびオーバーラップする導電性エレメントを含み得る（たとえば、第２の導電性エレメント４２０は、複数のループを画定し得る）。
【００７０】
第１の導電性エレメント４１０および／もしくは第２の導電性エレメント４２０は、導電性材料の単一のモノリシックのピースから形成され得、または、第１および第２の導電性エレメント４１０、４２０のうちの１つもしくは複数は、ワイヤーの複数のストランドによって形成され得る。いくつかの例では、導電性エレメント４１０、４２０は、互いに対して別個に製作および支持されており、たとえば、１つまたは複数の取り付け部材（図示せず）を使用して互いに取り付けられ得る。さらに、治療コイル４００は、第１および第２の導電性巻線４１０、４２０および強磁性コンポーネント４３０を収容するハウジング（図示せず）を含み得る。
【００７１】
強磁性コンポーネント４３０は、適切な強磁性の特性を示す任意の材料、たとえば、粉末状の強磁性の鉄粒子などから作製され得る。強磁性コンポーネント４３０は、本体部分４３２、第１の突出部分４３４、および第２の突出部分４３６を含み得る。本体部分４３２は、上部表面４３８を有し得、上部表面４３８は、第１の導電性巻線４１０の上部表面４１６、および、第２の導電性巻線４２０の上部表面４２６に対して実質的に平行になっている。第１の突出部分４３４は、本体部分４３２の底部表面から延在し得る。第１の突出部分４３４は、第１の導電性エレメント４１０の開口部の中に配設され得る。第１の突出部分４３４は、第１の導電性エレメント４１０の開口部の形状と実質的に同様の断面形状（たとえば、実質的に円形の断面形状）を有し得る。さらに、図示されている例では、第１の突出部分４３４の底部表面４４０は、第１の導電性エレメント４１０の底部表面４１８と実質的に平面的になり得る。しかし、いくつかの例では、第１の突出部分４３４は、それが第１の導電性エレメント４１０を通って延在するように構成され得、第１の突出部分４３４の底部表面４４０が、第１の導電性エレメント４１０の底部表面４１８の平面を越えて延在するようになっているということが認識されるべきである。
【００７２】
第２の突出部分４３６は、本体部分４３２の底部表面から延在し得る。第２の突出部分４３６は、第２の導電性エレメント４２０の開口部の中に配設され得る。第２の突出部分４３６は、第２の導電性エレメント４２０の形状と実質的に同様の断面形状（たとえば、三日月形に形状決めされている断面形状）を有し得る。さらに、図示されている例では、第２の突出部分４３６の底部表面４４２は、第２の導電性エレメント４２０の底部表面４２８の平面を越えて延在している。しかし、いくつかの例では、第２の突出部分４３６の底部表面４４２が、第２の導電性エレメント４２０の底部表面４２８と実質的に平面的になることができるように、第２の突出部分４３６が構成され得るということが認識されるべきである。
【００７３】
診断手順の治療の間に、治療コイル４００は、第１の導電性エレメント４１０が第２の導電性エレメント４２０に近接しているエリアが、被験者のターゲット刺激ゾーンの上方に設置され得るように配設され得る。たとえば、第１の導電性巻線４１０の外側表面４１２が第２の導電性巻線４２０の外側表面４２４の凹形部分４２７に近接して配設されているエリアは、被験者のターゲット刺激ゾーンの上方に設置され得る。その後に、治療コイル４００は、治療システムおよび／または磁気刺激システムのドライブ回路によって駆動され得る。たとえば、駆動されるときに、電流が、第１の導電性エレメント４１０を通って第１の方向（たとえば、図４Ａに図示されているように、下の視点から見たときに時計回り方向）に循環し、一方、電流が、第２の導電性エレメント４２０を通って反対の第２の方向に（たとえば、図４Ａに図示されているように、下の視点から見たときに反時計回りに）循環するように、治療コイル４００が構成され得る。
【００７４】
結果として、治療コイル４００は、第１の導電性巻線４１０の外側表面４１２が第２の導電性巻線４２０の外側表面４２４の凹形部分４２７に近接して配設されているエリアの実質的に下方に、三日月形の形状（たとえば、第２の導電性エレメント４２０の形状と同様）を有するターゲット場所において、活性化ゾーン（たとえば、刺激ゾーン）を誘導する磁場を発生させるように構成され得る。たとえば、治療コイル４００は、また、第２の導電性巻線４２０の外側表面４２４の凹形部分４２７から離れるように配設されている第１の導電性エレメント４１０のエリアに近接する刺激ゾーンを誘導しない状態で、三日月形の形状を有するターゲット場所において活性化ゾーンを誘導する磁場を発生させるように構成され得る。したがって、治療コイル４００は、刺激が望まれないエリア（たとえば、活性化ゾーンの凹面の内部）を包み込むターゲット場所において刺激ゾーンを発生させるために使用され得る。
【００７５】
駆動されるときに、電流が、第１の導電性エレメント４１０を通って第１の方向に循環し、一方、電流が、第２の導電性エレメント４２０を通って反対の第２の方向に循環するように、治療コイル４００が構成され得るので、治療コイル４００は、局所化された活性化ゾーン（たとえば、それも三日月形に形状決めされている）を発生させ得る。すなわち、電流が、第１の導電性エレメント４１０および第２の導電性エレメント４２０を通って反対方向に循環するので、ならびに、第１および第２の導電性エレメント４１０、４２０が互いに同心円状になっていないので、リターン電流は、反対方向に流れる（たとえば、活性化ゾーンの外側の第１および第２の導電性エレメント４１０、４２０を通って流れる電流は、それらが活性化ゾーンを離れるときに反対方向に流れている）。
【００７６】
さらに、第２の導電性エレメント４２０の凹面（たとえば、第２の導電性巻線４２０の外側表面４２４の凹形部分４２７の度数または角度）が調節され、治療コイル４００によって引き起こされる結果として生じる刺激ゾーンを調節し得るということが認識されるべきである。たとえば、いくつかの例では、第２の導電性エレメント４２０は、外側表面４２４の凹面の角度を修正するために調節可能であり得る。たとえば、第２の導電性エレメント４２０は、（たとえば、その中間点において）ヒンジを含み得、凹面のさまざまな度数または角度を有する複数の相互交換可能なセクションから構成され得、全体的にまたは部分的に可撓性の材料から作製され得る。さらに、いくつかの例では、第１の導電性エレメント４１０の形状は、第２の導電性エレメント４２０の外側表面４２４の凹形部分４２７の度数または角度に一致するように調節され得る。最後に、いくつかの例では、第１および第２の導電性エレメント４１０、４２０のうちの一方または両方は、異なっているが対応する湾曲を有する異なるエレメントと置換され得る（たとえば、第２の導電性エレメント４２０を調節可能にすることとは対照的に）。
【００７７】
さらに、第２の導電性エレメント４２０の凸形部分４２５の外側表面４２４の湾曲の角度が調節され、たとえば、発生させられる刺激ゾーンが刺激が望まれないエリアを包み込むことを保証し得る。たとえば、治療コイル４００は、（たとえば、図４Ｂによって提供される斜視図から）凸形部分４２５が上方に患者の眼の上（そこでは、刺激を回避することが望ましいことがある）に湾曲するように配設され得る。
【００７８】
治療コイル４００は、第１および第２の導電性巻線４１０、４２０が駆動されるときに、結果として生じる活性化ゾーンが被験者の脳の中に２つの独立したエリアを包含する（たとえば、三日月形の形状が、脳の２つのエリアを包含する）ように構成され得る。被験者の脳の中のエリアは、脳の異なる機能的な領域と相関付けられ得る。たとえば、治療コイル４００は、被験者の脳の中の２つの異なるエリアを刺激するために使用され得、たとえば、第２の導電性エレメント４２０の一方の側の下方におよびそれに近接して位置付けされている第１のエリア、ならびに、第２の導電性エレメント４２０の他方の側の下方におよびそれに近接して（たとえば、三日月形のいずれかの端部において）位置付けされている第２のエリアなどを刺激するために使用され得る。脳の２つのエリアの中の電流は、同じ方向または異なる方向に（たとえば、時計回りにおよび／または反時計回りに）移動し得る。
【００７９】
治療コイル４００によって発生させられる磁場によって誘導される活性化ゾーンは、刺激ゾーンまたはサブ刺激ゾーンとすることができる。刺激ゾーンは、治療コイル４００によって発生させられるパルス状磁場によって引き起こされる誘導電流が脳のニューロンの脱分極閾値を上回るレベルとすることができ、一方、サブ刺激ゾーンは、誘導電流が脳のニューロンの脱分極閾値を下回るレベルとすることができる。さらに、２つの活性化ゾーンおよび２つの治療エリアを参照して説明されているが、治療コイル４００は、（たとえば、特定の治療または診断手順に応じて、）より多くのまたはより少ない患者の治療エリアのためにより多くのまたはより少ない活性化ゾーンを誘導する磁場を発生させるために使用され得る。
【００８０】
治療コイル４００は、導電性エレメント４１０、４２０および強磁性コンポーネント４３０が互いに支持されるように構成され得る。たとえば、治療コイル４００は、強磁性コンポーネント４３０が導電性エレメント４１０、４２０を支持するように構成され得る。導電性エレメント４１０、４２０および強磁性コンポーネント４３０のうちの一方または両方は、１つまたは複数の相補的な取り付け部材（図示せず）を含み得、１つまたは複数の相補的な取り付け部材は、強磁性コンポーネント４３０への導電性エレメント４１０、４２０の取り付け（たとえば、解放可能な取り付け）をし得るように構成されている。１つまたは複数の取り付け部材は、導電性エレメント４１０、４２０および強磁性コンポーネント４３０が互いに固定して支持されるように構成され得る。１つまたは複数の取り付け部材は、導電性エレメント４１０、４２０および強磁性コンポーネント４３０が互いに移動可能（たとえば、再位置決め可能）であるように構成され得る。
【００８１】
導電性エレメント４１０、４２０が強磁性コンポーネント４３０によって支持されている（たとえば、強磁性コンポーネント４３０に取り付けられている）ときには、導電性エレメント４１０、４２０は、たとえば誘電体を使用して、強磁性コンポーネント４３０から電気的に隔離され得る。誘電体は、空気とすることができ、導電性エレメント４１０、４２０が強磁性コンポーネント４３０に取り付けられているときに、導電性エレメント４１０、４２０は、強磁性コンポーネント４３０から間隔を置いて配置され得る（たとえば、強磁性コンポーネント４３０と直接接触していない）。導電性エレメント４１０、４２０は、任意の適切な電気的に隔離する（たとえば、誘電体）材料から作製されている１つまたは複数の取り付け部材を使用して、強磁性コンポーネント４３０に取り付けられ得る。
【００８２】
さらに、図示されていないが、いくつかの例では、治療コイル４００は、強磁性エレメント４３０を取り囲む導電性エレメントを含み得る。たとえば、導電性エレメントは、強磁性エレメント４３０の上部表面４３８を取り囲み得る。導電性エレメントは、上部表面４３８の上方に持ち上げられ得、導電性エレメントは、強磁性コンポーネント４３０の上部表面４３８の上方に持ち上げられている開口部を画定し得る。さらに、いくつかの例では、導電性エレメントは、第１および第２の導電性エレメント４１０、４２０ならびに強磁性コンポーネント４３０の全体を取り囲み得る。
【００８３】
図示されていないが、いくつかの例では、導電性エレメントのうちの一方または両方は、ベンドを画定し得、導電性エレメントが、リターン電流が患者の頭部から巻き起こることを可能にする所定の角度（たとえば、９０度の角度など）を画定するようになっている。また、いくつかの例では、強磁性コンポーネント４３０の本体部分４３２の上部表面４３８は、アーチ形になっているかまたは丸みを帯び得る。
【００８４】
さらに、いくつかの例では、第１の導電性エレメント４１０の外側表面４１４と第２の導電性エレメント４２０の凹形部分４２７の外側表面４２４との間の間隔は変化し得る（たとえば、凹形部分４２７によって画定される凹面の全体を通して変化することがし得る）ということが認識されるべきである。たとえば、第１の導電性エレメント４１０は、第２の導電性エレメント４２０の凹形部分４２７によって画定される凹面の中にオフセットされ得、または、第１および第２の導電性エレメント４２０ の外側表面は、互いに非相補的になっていてもよい（たとえば、異なる形状および／または湾曲を画定している）。
【００８５】
図５Ａおよび図５Ｂは、例示的な治療コイル５００を示しており、例示的な治療コイル５００は、ヒト被験者（図示せず）などのような被験者のターゲット生体構造の中に変化する磁場を発生させるように構成されている。被験者のターゲット生体構造は、たとえば、被験者の脳組織であり得る。治療コイル５００は、第１の導電性エレメント５１０、第２の導電性エレメント５２０、および強磁性コンポーネント５３０を含む。治療コイル５００は、たとえば、図１に示されているように、ＴＭＳ治療の準備のために、または、ＴＭＳ治療の間に、被験者の頭部に近接して配設され得る。導電性エレメント５１０、５２０および強磁性コンポーネント５３０の組み合わせは、集合的に、たとえば、電磁石と称され得る。治療コイル５００は、図示されているものよりも多いまたは少ない導電性エレメントを含み得るということが認識されるべきである。導電性エレメントは、導電性巻線と称され得る。
【００８６】
第１および第２の導電性エレメント５１０、５２０は、形状が半楕円形になっていてもよい（たとえば、丸みを帯びた長方形の形状になっている）。さらに、いくつかの例では、第１および第２の導電性エレメント５１０、５２０は、別の形状であり得、たとえば、形状が円形などになっていてもよい。いくつかの例では、第１および第２の導電性エレメント５１０、５２０は、一緒に、８の字コイルまたはＢ字形状のコイルを形成し得る。第１の導電性エレメント５１０は、底部表面５１２、上側表面５１４、内側表面５１６、および外側表面５１８を画定し得る。同様に、第２の導電性エレメント５２０は、底部表面５２２、上側表面５２４、内側表面５２６、および外側表面５２８を画定することができる。第１および第２の導電性エレメント５１０、５２０は、たとえば銅などのような、適切な電気伝導度を示す任意の材料から作製され得る。
【００８７】
第１および第２の導電性エレメント５１０、５２０は、同じ数のターン（たとえば、アンプターン）、たとえば、図示されているように単一のターンを画定し得る。しかし、いくつかの例では、第１の導電性エレメント５１０および／または第２の導電性エレメント５２０は、複数のターンを画定し得るということが認識されるべきである。たとえば、いくつかの例では、第１の導電性エレメント５１０が、第１の数のターンを画定し得、一方、第２の導電性エレメント５２０が、異なる第２の数のターンを画定し得る。さらに、いくつかの例では、治療コイル５００は、追加的な導電性エレメント、および／または、複数のループ（たとえば、アンプターン）を画定する導電性エレメントを含み得る。たとえば、第１の導電性エレメント５１０は、１つもしくは複数の追加的なおよびオーバーラップする導電性エレメントを含み得（たとえば、第１の導電性エレメント５１０は、複数のループを画定し得る）、ならびに／または、第２の導電性エレメント５２０は、１つもしくは複数の追加的なおよびオーバーラップする導電性エレメントを含み得る（たとえば、第２の導電性エレメント５２０は、複数のループを画定し得る）。
【００８８】
第１の導電性エレメント５１０および／もしくは第２の導電性エレメント５２０は、導電性材料の単一のモノリシックのピースから形成され得、または、第１および第２の導電性エレメント５１０、５２０のうちの１つもしくは複数は、ワイヤーの複数のストランドによって形成され得る。いくつかの例では、治療コイル５００は、第１および第２の導電性巻線５１０、５２０ならびに強磁性コンポーネント５３０を収容するハウジング（図示せず）を含み得る。
【００８９】
強磁性コンポーネント５３０は、適切な強磁性の特性を示す任意の材料、たとえば、粉末状の強磁性の鉄粒子などから作製され得る。強磁性コンポーネント５３０は、主本体部５３８および複数のポールを含み得、複数のポールは、たとえば、主本体部５３８から延在している、第１のポール５３２、第２のポール５３４、および第３のポール５３６などである。３つのポールを有するものとして図示されているが、いくつかの例では、強磁性コンポーネント５３０は、３つよりも多いまたは少ないポールを含み得る。複数のポール（たとえば、第１、第２、および第３のポール５３２、５３４、５３６）は、主本体部５３８から（たとえば、主本体部５３８の底部表面５３３から）外向きに延在し得る。第３のポール５３６は、第１のポール５３２と第２のポール５３４との間に存在することがあり得る。たとえば、第１、第２、および第３のポール５３２、５３４、５３６は、（たとえば、図示されているように）線形に整合させられ得る。しかし、いくつかの例では、第１、第２、および／または第３のポール５３２、５３４、５３６のうちの１つまたは複数は、非線形の様式で整合させられ得るということが認識されるべきである。
【００９０】
強磁性コンポーネント５３０の主本体部５３８は、上部表面５３１および底部表面５３３を画定し得る。主本体部５３８は、たとえば、図示されているように、湾曲し得る。たとえば、主本体部５３８の上部表面５３１は、凸形表面を画定し得、一方、主本体部５３８の底部表面５３３は、凹形表面を画定し得る。したがって、上部表面５３１は、非平面的になっていてもよく、また、底部表面５３３は、非平面的になっていてもよい。さらに、いくつかの例では、主本体部５３８の上部表面５３１および／または底部表面５３３の湾曲は、図示されているものよりも大きいまたは小さい湾曲を画定し得るということが認識されるべきである。そのうえ、いくつかの例では、主本体部５３８の上部表面５３１および／または底部表面５３３は、平面的（たとえば、平坦）であってもよいということが認識されるべきである。
【００９１】
第１のポール５３２は、第１のポール面５４２を画定し得、第２のポール５３４は、第２のポール面５４４を画定し得、第３のポール５３６は、第３のポール面５４６を画定し得る。第１のポール５３２は、第１の導電性エレメント５１０の開口部の中に配設され得、第２のポール５３４は、第２の導電性エレメント５２０の開口部の中に配設され得る。第１のポール５３２は、第１の導電性エレメント５１０の形状と実質的に同様の断面形状（たとえば、半楕円形の断面形状）を有し得、第２のポール５３４は、第２の導電性エレメント５２０の形状と実質的に同様の断面形状（たとえば、半楕円形の断面形状）を有し得る。さらに、図示されている例では、第１のポール面５４２は、第１の導電性エレメント５１０の底部表面５１２と実質的に平面的になっていることができ、第２のポール面５４４は、第２の導電性エレメント５２０の底部表面５２２と実質的に平面的とすることができる。しかし、いくつかの例では、第１のポール面５４２は、第１の導電性エレメント５１０の底部表面５１２の平面を越えて延在し得、および／または、第２のポール面５４４は、第２の導電性エレメント５２０の底部表面５２２の平面を越えて延在し得るということが認識されるべきである。
【００９２】
図示されていないが、いくつかの例では、強磁性コンポーネント５３０は、たとえば、被験者の頭部の生体構造に対して、調節可能であるように構成され得る（たとえば、強磁性コンポーネント５３０の湾曲が調節可能であり得る）。たとえば、強磁性コンポーネント５３０は、複数のピースを含み得、強磁性コンポーネント５３０の１つまたは複数のピースが、強磁性コンポーネント５３０の１つまたは複数の他のピースに対して調節可能であるように構成され得るようになっており、および／または、強磁性コンポーネント５３０のピースのうちの２つ以上が、（たとえば、強磁性コンポーネント５３０のピース同士の間にヒンジを使用することを通して）互いに対して調節可能（たとえば、枢動可能に調節可能）であるように構成され得るようになっている。
【００９３】
治療コイル５００は、治療コイル５００が被験者の複数の（たとえば、２つの）ターゲットエリアを治療するために使用され得るように、駆動されるように構成され得る。たとえば、治療または診断手順の間に、第１のポール５３２と第３のポール５３６との間の主本体部５３８の底部表面５３３が、第１のターゲットエリアの上方に設置され得、第３のポール５３６と第２のポール５３４との間の主本体部５３８の底部表面５３３が、被験者の第２のターゲットエリアの上方に設置され得るように、治療コイル５００が配設され得る。その後に、治療コイル５００は、治療システムおよび／または磁気刺激システムのドライブ回路によって駆動され得る。たとえば、駆動されるときに、電流が、第１および第２の導電性エレメント５１０、５２０を通って同じ方向（たとえば、図５Ｂに図示されているように、下の視点から見たときに反時計回り方向）に循環するように、治療コイル５００が構成され得る。
【００９４】
結果として、治療コイル５００は、ターゲット場所のそれぞれに１つずつ、２つの活性化ゾーンを誘導する磁場を発生させるように構成され得る。活性化ゾーンは、主本体部５３８の底部表面５３３の実質的に下方に半楕円形の形状（たとえば、形状が丸みを帯びた長方形になっている）をそれぞれ画定し得、ここで、第１の活性化ゾーンは、第１のポール５３２と第３のポール５３６との間の底部表面５３３の下方にあり、第２の活性化ゾーンは、第２のポール５３４と第３のポール５３６との間の底部表面５３３の下方にある。たとえば、治療コイル５００は、また、第３のポール面５４６の下のエリアにおいて刺激ゾーンを誘導しない状態で、２つの活性化ゾーンを誘導する磁場を発生させるように構成され得る。さらに、治療コイル５００によって発生させられるリターン電流は、強磁性コンポーネント５３０のいずれかの端部に（たとえば、第１および第２のポール５３２、５３４に近接して）位置付けされ得る。
【００９５】
治療コイル５００は、第１および第２の導電性エレメント５１０、５２０が駆動されるときに、結果として生じる活性化ゾーンが被験者の脳の中に２つの独立したエリアを包含するように構成され得る。被験者の脳の中のエリアは、脳の異なる機能的な領域と相関付けられ得る。たとえば、治療コイル５００は、被験者の脳の中の２つの異なるエリアを刺激するために使用され得、たとえば、第１のポール面５４２の下方におよびそれに近接して位置付けされている第１のエリア、ならびに、第２のポール面５４４の下方におよびそれに近接して位置付けされている第２のエリアなどを刺激するために使用され得る。脳の２つのエリアの中の電流は、同じ方向または異なる方向に（たとえば、時計回りにおよび／または反時計回りに）移動し得る。すなわち、いくつかの例では、２つの活性化ゾーンは、反対（たとえば、逆平行）方向に進む電流を含み得る。
【００９６】
いくつかの例では、強磁性コンポーネント５３０は、第３のポール５３６を画定し得、第３のポール５３６は、第３のポール面５４６を画定しており、第３のポール面５４６は、台形または平行四辺形の形状のものであるということが認識されるべきである。そのような場合において、第１のポール５３２と第３のポール５３６との間の底部表面５３３、および、第２のポール５３４と第３のポール５３６との間の底部表面５３３は、異なる形状またはサイズを有し得（たとえば、底部表面５３３同士は、互いの非ミラーイメージになっていてもよい）、それは、治療コイル５００によって発生させられる結果として生じる磁場、および、また、結果として生じる活性化ゾーンの形状および／またはサイズを調節し得る。したがって、第３のポール面５４６の形状は、治療コイル５００によって実施される特定の治療または診断手順に基づいて調節され得る。
【００９７】
さらに、いくつかの例では、強磁性コンポーネント５３０は、第１および第２のポール５３２、５３４がより近付けられるように屈曲され得るということが認識されるべきである。そのような場合において、第１のポール５３２と第３のポール５３６との間の底部表面５３３、および、第２のポール５３４と第３のポール５３６との間の底部表面５３３は、異なる形状またはサイズを有し得（たとえば、底部表面５３３同士は、互いの非ミラーイメージになっていてもよい）、それは、治療コイル５００によって発生させられる結果として生じる磁場、および、また、結果として生じる活性化ゾーンの形状および／またはサイズを調節し得る。さらに、強磁性コンポーネント５３０がそのような様式で屈曲されている場合には、結果として生じる２つの活性化ゾーンは、たとえば、図示されている例（そこでは、電流が、逆平行により近い方向で流れている）と比較して、正確に逆平行に（たとえば、反対に）なっている方向に流れる電流を含み得る。
【００９８】
治療コイル５００によって発生させられる磁場によって誘導される活性化ゾーンは、刺激ゾーンまたはサブ刺激ゾーンであり得る。刺激ゾーンは、治療コイル５００によって発生させられるパルス状磁場によって引き起こされる誘導電流が脳のニューロンの脱分極閾値を上回るレベルにあり得、一方、サブ刺激ゾーンは、誘導電流が脳のニューロンの脱分極閾値を下回るレベルにあり得る。さらに、２つの活性化ゾーンおよび２つの治療エリアを参照して説明されているが、治療コイル５００は、（たとえば、特定の治療または診断手順に応じて、）より多くのまたはより少ない患者の治療エリアのためにより多くのまたはより少ない活性化ゾーンを誘導する磁場を発生させるために使用され得る。
【００９９】
治療コイル５００は、導電性エレメント５１０、５２０および強磁性コンポーネント５３０が互いに支持されるように構成され得る。たとえば、治療コイル５００は、強磁性コンポーネント５３０が導電性エレメント５１０、５２０を支持するように構成され得る。導電性エレメント５１０、５２０および強磁性コンポーネント５３０のうちの一方または両方は、１つまたは複数の相補的な取り付け部材（図示せず）を含み得、１つまたは複数の相補的な取り付け部材は、強磁性コンポーネント５３０への導電性エレメント５１０、５２０の取り付け（たとえば、解放可能な取り付け）をし得るように構成されている。１つまたは複数の取り付け部材は、導電性エレメント５１０、５２０および強磁性コンポーネント５３０が互いに固定して支持されるように構成され得る。１つまたは複数の取り付け部材は、導電性エレメント５１０、５２０および強磁性コンポーネント５３０が互いに移動可能（たとえば、再位置決め可能）であるように構成され得る。
【０１００】
導電性エレメント５１０、５２０が強磁性コンポーネント５３０によって支持されている（たとえば、強磁性コンポーネント５３０に取り付けられている）ときには、導電性エレメント５１０、５２０は、たとえば誘電体を使用して、強磁性コンポーネント５３０から電気的に隔離され得る。誘電体は、空気とすることができ、導電性エレメント５１０、５２０が強磁性コンポーネント５３０に取り付けられているときに、導電性エレメント５１０、５２０は、強磁性コンポーネント５３０から間隔を置いて配置され得る（たとえば、強磁性コンポーネント５３０と直接接触していない）。導電性エレメント５１０、５２０は、任意の適切な電気的に隔離する（たとえば、誘電体）材料から作製されている１つまたは複数の取り付け部材を使用して、強磁性コンポーネント５３０に取り付けられ得る。
【０１０１】
図６Ａ〜図６Ｄは、例示的な治療コイル６００を示しており、例示的な治療コイル６００は、ヒト被験者（図示せず）などのような被験者のターゲット生体構造の中に変化する磁場を発生させるように構成されている。被験者のターゲット生体構造は、たとえば、被験者の脳組織とすることができる。治療コイル６００は、第１の導電性エレメント６１０、第２の導電性エレメント６２０、第３の導電性エレメント６６０、第４の導電性エレメント６７０、第１の強磁性コンポーネント６３０、第２の強磁性コンポーネント６８０、および第３の強磁性コンポーネント６９０を含む。治療コイル６００は、たとえば、図１に示されているように、ＴＭＳ治療の準備のために、または、ＴＭＳ治療の間に、被験者の頭部に近接して配設され得る。導電性エレメント６１０、６２０、６６０、６７０および強磁性コンポーネント６３０、６８０、６９０の組み合わせは、集合的に、たとえば、電磁石と称され得る。治療コイル６００は、図示されているものよりも多いまたは少ない導電性エレメントおよび／または強磁性コンポーネントを含み得るということが認識されるべきである。導電性エレメントは、導電性巻線と称され得る。
【０１０２】
第１および第２の導電性エレメント６１０、６２０は、形状が半楕円形になっていてもよい（たとえば、丸みを帯びた長方形の形状になっている）。さらに、いくつかの例では、第１および第２の導電性エレメント６１０、６２０は、別の形状とすることができ、たとえば、形状が円形などになっていてもよい。いくつかの例では、第１および第２の導電性エレメント６１０、６２０は、一緒に、８の字コイルまたはＢ字形状のコイルを形成し得る。第１の導電性エレメント６１０は、底部表面６１２、上側表面６１４、内側表面６１６、および外側表面６１８を画定し得る。同様に、第２の導電性エレメント６２０は、底部表面６２２、上側表面６２４、内側表面６２６、および外側表面６２８を画定し得る。第１および第２の導電性エレメント６１０、６２０は、たとえば銅などのような、適切な電気伝導度を示す任意の材料から作製され得る。
【０１０３】
第１および第２の導電性エレメント６１０、６２０は、同じ数のターン（たとえば、アンプターン）、たとえば、図示されているように単一のターンを画定し得る。しかし、いくつかの例では、第１の導電性エレメント６１０および／または第２の導電性エレメント６２０は、複数のターンを画定し得るということが認識されるべきである。たとえば、いくつかの例では、第１の導電性エレメント６１０が、第１の数のターンを画定し得、一方、第２の導電性エレメント６２０が、異なる第２の数のターンを画定し得る。一方の側（たとえば、一方の導電性エレメント６１０、６２０）において他方よりも多くのターンを画定することによって、治療コイル６００が（たとえば、それぞれの側が同じパワーレベルで駆動されるときに）異なる強度または深さを有する２つの活性化ゾーンを結果として発生させ得る。さらに、いくつかの例では、治療コイル６００は、追加的な導電性エレメント、および／または、複数のループ（たとえば、アンプターン）を画定する導電性エレメントを含み得る。たとえば、第１の導電性エレメント６１０は、１つまたは複数の追加的なおよびオーバーラップする導電性エレメントを含み得る（たとえば、第１の導電性エレメント６１０は、複数のループを画定し得る）、および／または、第２の導電性エレメント６２０は、１つまたは複数の追加的なおよびオーバーラップする導電性エレメントを含み得る（たとえば、第２の導電性エレメント６２０は、複数のループを画定し得る）。
【０１０４】
第１の導電性エレメント６１０および／もしくは第２の導電性エレメント６２０は、導電性材料の単一のモノリシックのピースから形成され得、または、第１および第２の導電性エレメント６１０、６２０のうちの１つもしくは複数は、ワイヤーの複数のストランドによって形成され得る。いくつかの例では、治療コイル６００は、第１および第２の導電性巻線６１０、６２０ならびに第１の強磁性コンポーネント６３０を収容するハウジング（図示せず）を含み得る。
【０１０５】
第１の強磁性コンポーネント６３０は、適切な強磁性の特性を示す任意の材料、たとえば、粉末状の強磁性の鉄粒子などから作製され得る。第１の強磁性コンポーネント６３０は、主本体部６３８および複数のポール を含み得、複数のポールは、たとえば、主本体部６３８から延在している、第１のポール６３２、第２のポール６３４、および第３のポール６３６などである。３つのポールを有するものとして図示されているが、いくつかの例では、第１の強磁性コンポーネント６３０は、３つよりも多いまたは少ないポールを含み得る。複数のポール（たとえば、第１、第２、および第３のポール６３２、６３４、６３６）は、主本体部６３８から（たとえば、主本体部６３８の底部表面６３３から）外向きに延在し得る。第３のポール６３６は、第１のポール６３２と第２のポール６３４との間に存在し得る。たとえば、第１、第２、および第３のポール６３２、６３４、６３６は、（たとえば、図示されているように）線形に整合させられ得る。しかし、いくつかの例では、第１、第２、および／または第３のポール６３２、６３４、６３６のうちの１つまたは複数は、非線形の様式で整合させられ得るということが認識されるべきである。
【０１０６】
第１の強磁性コンポーネント６３０の主本体部６３８は、上部表面６３１および底部表面６３３を画定し得る。主本体部６３８は、たとえば、図示されているように、湾曲し得る。たとえば、主本体部６３８の上部表面６３１は、凸形表面を画定し得、一方、主本体部６３８の底部表面６３３は、凹形表面を画定し得る。したがって、上部表面６３１は、非平面的になっていてもよく、また、底部表面６３３は、非平面的になっていてもよい。さらに、いくつかの例では、主本体部６３８の上部表面６３１および／または底部表面６３３の湾曲は、図示されているものよりも大きいまたは小さい湾曲を画定し得るということが認識されるべきである。そのうえ、いくつかの例では、主本体部６３８の上部表面６３１および／または底部表面６３３は、平面的（たとえば、平坦）であってもよいということが認識されるべきである。
【０１０７】
第１のポール６３２は、第１のポール面６４２を画定し得、第２のポール６３４は、第２のポール面６４４を画定し得、第３のポール６３６は、第３のポール面６４６を画定し得る。第１のポール６３２は、第１の導電性エレメント６１０の開口部の中に配設され得、第２のポール６３４は、第２の導電性エレメント６２０の開口部の中に配設され得る。第１のポール６３２は、第１の導電性エレメント６１０の形状と実質的に同様の断面形状（たとえば、半楕円形の断面形状）を有し得、第２のポール６３４は、第２の導電性エレメント６２０の形状と実質的に同様の断面形状（たとえば、半楕円形の断面形状）を有し得る。さらに、図示されている例では、第１のポール面６４２は、第１の導電性エレメント６１０の底部表面６１２と実質的に平面的とすることができ、第２のポール面６４４は、第２の導電性エレメント６２０の底部表面６２２と実質的に平面的とすることができる。しかし、いくつかの例では、第１のポール面６４２は、第１の導電性エレメント６１０の底部表面６１２の平面を越えて延在し得、および／または、第２のポール面６４４は、第２の導電性エレメント６２０の底部表面６２２の平面を越えて延在し得るということが認識されるべきである。
【０１０８】
図示されていないが、いくつかの例では、第１の強磁性コンポーネント６３０は、たとえば、被験者の頭部の生体構造に対して、調節可能であるように構成され得る（たとえば、第１の強磁性コンポーネント６３０の湾曲が調節可能であり得る）。たとえば、第１の強磁性コンポーネント６３０は、複数のピースを含み得、第１の強磁性コンポーネント６３０の１つもしくは複数のピースが、第１の強磁性コンポーネント６３０の１つもしくは複数の他のピースに対して調節可能であるように構成され得るようになっており、および／または、第１の強磁性コンポーネント６３０のピースのうちの２つ以上が、（たとえば、第１の強磁性コンポーネント６３０のピース同士の間にヒンジを使用することを通して）互いに対して調節可能（たとえば、枢動可能に調節可能）であるように構成され得るようになっている。
【０１０９】
第３および第４の導電性エレメント６６０、６７０は、形状が半楕円形になっていてもよい（たとえば、丸みを帯びた長方形のように形状決めされ得る）。さらに、いくつかの例では、第３および第４の導電性エレメント６６０、６７０は、別の形状とすることができ、たとえば、形状が円形などになっていてもよい。第３の導電性エレメント６６０は、内側表面６６２、外側表面６６４、上側表面６６３、および底部表面６６５を画定し得る。同様に、第４の導電性エレメント６７０は、内側表面６７２、外側表面６７４、上側表面６７３、および底部表面６７５を画定することができる。第４の導電性エレメント６７０は、たとえば、図示されているように、下向きに屈曲させられ得る。たとえば、第４の導電性エレメント６７０の底部表面６７５は、凹形とすることができ、一方、上側表面６７３は、凸形とすることができる。しかし、いくつかの例では、第４の導電性エレメント６７０の上側表面および／または底部表面６７３、６７５のうちの１つまたは複数は、平面的になっていてもよい（たとえば、第４の導電性エレメント６７０が屈曲されないようになっている）ということが認識されるべきである。さらに、第４の導電性エレメント６７０は、第３の導電性エレメント６６０よりも大きい周囲を画定し得る。第３の導電性エレメント６００は、第４の導電性エレメント６７０の開口部の中に少なくとも部分的に存在し得る。すなわち、第４の導電性エレメント６７０は、第３の導電性エレメント６６０を（たとえば、実質的に）取り囲み得る。
【０１１０】
第３および第４の導電性エレメント６６０、６７０は、銅などのような、適切な電気伝導度を示す任意の材料から作製され得る。第３の導電性エレメント６６０および／もしくは第４の導電性エレメント６７０は、導電性材料の単一のモノリシックのピースから形成され得、または、第３および第４の導電性エレメント６６０、６７０のうちの１つもしくは複数は、ワイヤーの複数のストランドによって形成され得る。いくつかの例では、治療コイル６００は、第１、第２、第３、および第４の導電性エレメント６１０、６２０、６６０、６７０ならびに第１、第２、および第３の強磁性コンポーネント６３０、６８０、および６９０を収容するハウジング（図示せず）を含み得る。
【０１１１】
第３および第４の導電性エレメント６６０、６７０は、同じ数のターン（たとえば、アンプターン）、たとえば、図示されているように単一のターンを画定し得る。しかし、いくつかの例では、第３の導電性エレメント６６０および／または第４の導電性エレメント６７０は、複数のターンを画定し得るということが認識されるべきである。たとえば、いくつかの例では、第３の導電性エレメント６６０が、第１の数のターンを画定し得、一方、第４の導電性エレメント６７０が、異なる第２の数のターンを画定し得る。
【０１１２】
第２および第３の強磁性コンポーネント６８０、６９０は、適切な強磁性の特性を示す任意の材料、たとえば、粉末状の強磁性の鉄粒子などから作製され得る。第２および第３の強磁性コンポーネント６８０、６９０は、リターン経路強磁性コンポーネント（たとえば、リターン経路磁気コア）と称され得る。第２の強磁性コンポーネント６８０は、チャネル６８２、底部表面６８４、内側表面６８５、上部表面６８６、外側表面６８７、第１のポール６８８、および第２のポール６８９を画定し得る。同様に、第３の強磁性コンポーネント６９０は、チャネル６９２、底部表面６９４、内側表面６９５、上部表面６９６、外側表面６９７、第１のポール６９８、および第２のポール６９９を画定し得る。第２および第３の強磁性コンポーネント６８０、６９０の底部表面６８４、６９４、上部表面６８６、６９６、第１のポール６８８、６９８、および第２のポール６８９、６９９のそれぞれは、平面的になっていてもよい。しかし、いくつかの例では、第２および第３の強磁性コンポーネント６８０、６９０の底部表面６８４、６９４、上部表面６８６、６９６、第１のポール６８８、６９８、および／または第２のポール６８９、６９９のうちの１つまたは複数は、湾曲していてもよく、または、その他の方法で形状決めされてもよいということが認識されるべきである。
【０１１３】
第２および第３の強磁性コンポーネント６８０、６９０は、湾曲していてもよい。たとえば、第２および第３の強磁性コンポーネント６８０、６９０の内側表面６８５、６９５は、凹形とすることができ、一方、第２および第３の強磁性コンポーネント６８０、６９０の外側表面６８７、６９７は、凸形とすることができる。たとえば、第２および第３の強磁性コンポーネントの内側表面および外側表面６８５、６９５、６８７、６９７の湾曲は、第４の導電性エレメント６７０の内側表面および外側表面の湾曲と実質的に同様とすることができる。しかし、第２および第３の強磁性コンポーネント６８０、６９０の内側表面および外側表面６８５、６９５、６８７、６９７の湾曲は、図６Ａ〜図６Ｄに図示されているものに限定されない。
【０１１４】
第２および第３の強磁性コンポーネント６８０、６９０は、実質的に同じサイズおよび形状とすることができる。しかし、いくつかの例では、第２および第３の強磁性コンポーネント６８０、６９０は、図示されているものとは異なるサイズおよび／または形状を有し得る。さらに、いくつかの例では、第２の強磁性コンポーネント６８０のサイズまたは形状は、（たとえば、治療コイル６００によって発生させられる磁場のサイズおよび／または形状をシフトさせるために）第３の強磁性コンポーネント６９０のサイズまたは形状とは異なっていてもよい。また、いくつかの例では、第２または第３の強磁性コンポーネント６８０、６９０のうちの一方または両方は、治療コイル６００から省略され得る。
【０１１５】
第２および第３の強磁性コンポーネント６８０、６９０のチャネル６８２、６９２のサイズ（たとえば、深さ）および形状は、第４の導電性エレメント６７０がチャネル６８２、６９２の中に受け入れられ得るように構成され得る。すなわち、チャネル６８２、６９２は、第４の導電性エレメント６７０の少なくとも一部分がチャネル６８２、６９２の中に存在することができるように、サイズ決めおよび形状決めされ得る。図６Ａ〜図６Ｄに図示されているものよりも、第４の導電性エレメント６７０の多くまたは少なくが、第２および第３の強磁性コンポーネント６８０、６９０のチャネル６８２、６９２の中に存在し得るということが認識されるべきである。たとえば、チャネル６８２、６９２は、第４の導電性エレメント６７０の底部表面６７５が第２および第３の強磁性コンポーネント６８０、６９０の底部表面６８４、６９４によって画定される平面と非平面的になることができるように構成され得る（たとえば、第４の導電性エレメント６７０は、たとえば、図示されているように、チャネル６８２、６９２を越えてまたはチャネル６８２、６９２から外へ延在し得る）。しかし、いくつかの例では、チャネル６８２、６９２は、第４の導電性エレメント６７０の底部表面６７５が底部表面６８４、６９４によって画定される平面と平面的になり得るように構成され得るということが認識されるべきである。さらに、第２および第３の強磁性コンポーネント６８０、６９０は、（たとえば、図６Ａ〜図６Ｄに図示されているものよりも多くまたは少なく）第４の導電性エレメント６７０の任意の部分を包み込み得る。たとえば、いくつかの例では、第４の導電性エレメント６７０の全体が、第２および第３の強磁性コンポーネント６８０、６９０のチャネル６８２、６９２の中に存在し得る（たとえば、第２および第３の強磁性コンポーネント６８０、６９０は、単一のモノリシックのコンポーネントとすることができる）。
【０１１６】
図６Ｃ〜図６Ｄを参照すると、治療コイル６００は、第１の強磁性コンポーネント６３０の第３のポール６３６が第３の導電性エレメント６６０の開口部の中に存在するように構成され得る。たとえば、第３のポール６３６の第３のポール面６４６は、第３の導電性エレメント６６０の底部表面６６５と実質的に平面的とすることができる。しかし、他の例において、第３のポール面６４６は、第３の導電性エレメント６６０の底部表面６６５と非平面的になっていてもよい（たとえば、第３のポール面６４６は、第３の導電性エレメント６６０を通って延在し得る）ということが認識されるべきである。さらに、第３のポール６３６は、第４の導電性エレメント６７０の開口部の中に（たとえば、部分的に）存在し得る。したがって、たとえば、図示されているように、第１の強磁性コンポーネント６３０の第３のポール６３６が第３および第４の導電性エレメント６６０、６７０の両方の開口部の中に存在するように、および、第３の導電性エレメント６６０が第４の導電性エレメント６７０の開口部の中に存在するように、第３および第４の導電性エレメント６６０、６７０が位置し得る。
【０１１７】
第１、第３、および第４の導電性エレメント６１０、６６０、６７０が（たとえば、強磁性コンポーネント６３０の底部表面６３３の下方において）互いに近接しているエリアが、第１のターゲットエリアの上方に設置され得るように、および、第２、第３、および第４の導電性エレメント６２０、６６０、６７０が（たとえば、第１の強磁性コンポーネント６３０の反対の底部表面６３３の下方において）互いに近接しているエリアが、被験者の第２のターゲットエリアの上方に設置され得るように、治療コイル６００が配設され得る。その後に、治療コイル６００は、治療システムおよび／または磁気刺激システムのドライブ回路によって駆動され得る。たとえば、駆動されるときに、電流が、第１および第２の導電性エレメント６１０、６２０を通って同じ方向（たとえば、図６Ｄに図示されているように、下の視点から見たときに反時計回り方向）に循環するように、ならびに、電流が、第３および第４の導電性エレメント６６０、６７０を通って反対方向（たとえば、図６Ｄに図示されているように、下の視点から見たときに時計回り方向）に循環するように、または、その逆もまた同様であるように、治療コイル６００が構成され得る。
【０１１８】
結果として、治療コイル６００は、ターゲット場所のそれぞれに１つずつ、２つの活性化ゾーンを誘導する磁場を発生させるように構成され得、ここで、活性化ゾーンのそれぞれは、（たとえば、それぞれ、第１、第３、および第４の導電性エレメント６１０、６６０、６７０が互いに近接しているエリアの実質的に下方において、ならびに、第２、第３、および第４の導電性エレメント６２０、６６０、６７０が互いに近接しているエリアの実質的に下方において、）楕円形の形状を有している。たとえば、治療コイル６００は、また、第３のポール面６４６の下のエリアにおいて刺激ゾーンを誘導しない状態で、２つの活性化ゾーンを誘導する磁場を発生させるように構成され得る。
【０１１９】
第３および第４の導電性エレメント６６０、６７０ならびに第２および第３の強磁性コンポーネント６８０、６９０を含めることは、（たとえば、第３および第４の導電性エレメント６６０、６７０または第２および第３の強磁性コンポーネント６８０、６９０の任意の組み合わせが含まれていないときと比較して、）治療コイル６００によって発生させられる磁場によって引き起こされるリターン電流を波及させるように作用し得る。第３および第４の導電性エレメント６６０、６７０ならびに第２および第３の強磁性コンポーネント６８０、６９０の任意の組み合わせは、治療コイル６００の中に含まれ得、たとえば、（たとえば、第１および第２のターゲットエリアの下に）磁場によって生成される２つの活性化ゾーンをさらに明確化（pronounce）もしくは強化し、および／または、２つの活性化ゾーンが融合して単一の活性化ゾーン（たとえば、第３のポール面６４６の下の単一の長円形または円形の形状の活性化ゾーン）になることを防止する。たとえば、第３および第４の導電性エレメント６６０、６７０を含めることは、第２および第３の強磁性コンポーネント６８０、６９０の実質的に下にある、およびそれに近接しているエリアにリターン電流を波及させることによって、治療コイル６００によって発生させられる磁場を歪めることができ、また、第２および第３の強磁性コンポーネント６８０、６９０を含めることは、リターン電流のこの波及を強化し得る。たとえば、第３および第４の導電性エレメント６６０、６７０を含めることは、第３のポール面６４６からより遠くに離れるようにリターン電流を引っ張り、たとえば、２つの活性化ゾーンを強化し、単一の活性化ゾーン（たとえば、１つの大きいリング）が結果として生じることを防止し得る。さらに、第３および第４の導電性エレメント６６０、６７０を含めることは、２つの活性化ゾーンを生成させるときに、治療コイル６００をよりエネルギー効率よくし得る。そして、第２および第３の強磁性コンポーネント６８０、６９０を含めることは、リターン電流が第３のポール面６４６から離れるように発散させ得、それは、２つの活性化ゾーンの内側の電流を強化し得る。
【０１２０】
さらに詳しく説明するために、および、本明細書で説明されている治療コイルのいずれかに適用可能となるように、治療コイルの導電性エレメントが駆動されるときには、電流のループが導電性エレメントを通して生成され得る。電流のループは時間の経過とともに変化している（たとえば、パルス状になっている）ので、電流のループは、この変化に対抗する電流を別の導電性エレメントの中に誘導し得る（たとえば、それは、反対方向に駆動する電流である）。電流のループは、導電性エレメントの形状と同様の形状を有し得るが、活性化ゾーン（および／または、たとえば、電流のループによって引き起こされる磁場）は、導電性エレメントとは異なる形状を有し得る。たとえば、活性化ゾーンは、電流が集束するときに生成され得、それは、より高い電流密度および／またはより大きい電界の活性化ゾーンを生成させ得る。活性化ゾーンは、導電性エレメントがどの程度互いに接近するかということによって画定され得、たとえば、１つまたは複数の強磁性コンポーネント（および／または、たとえば、１つもしくは複数の追加的な導電性エレメント）の追加を通して変化させられ得る。強磁性コンポーネントは、たとえば、２つの活性化ゾーンの間のエリアから離れるようにリターン電流を波及させることによって、局所的な磁場を強化し、電界を強化し得る。
【０１２１】
たとえば、および、図６Ｄを特に参照すると、強磁性コンポーネント６３０は、治療コイル６００を駆動しているときに生成される２つの活性化ゾーンを強化するかまたはさらに明確化し得る。すなわち、強磁性コンポーネント６８０、６９０は、リターン電流が活性化ゾーンを離れていく（たとえば、第３のポール面６４６から離れるようにリターン電流を波及させる）ときに、それぞれの強磁性コンポーネント６８０、６９０に向けてリターン電流を引き出すことによって、電界を強化し得る。その理由は、たとえば、リターン電流が最小の抵抗の経路をとるからである。強磁性コンポーネント６８０、６９０を含まなければ、リターン電流は、より短い経路、たとえば、導電性エレメント６６０によって画定される経路をとり得る。そうであるので、強磁性コンポーネント６８０、６９０は、２つの活性化ゾーンが１つの大きい活性化ゾーン（たとえば、第３のポール面６４６の下のエリアを含む単一の活性化ゾーン）へと組み合わさらない（たとえば、融合しない）ことを保証することを支援し得る。
【０１２２】
治療コイル６００は、導電性エレメント６１０、６２０、６６０、６７０が駆動されるときに、結果として生じる活性化ゾーンが被験者の脳の中に２つの独立したエリアを包含するように構成され得る。被験者の脳の中のエリアは、脳の異なる機能的な領域と相関付けられ得る。たとえば、治療コイル６００は、被験者の脳の中の２つの異なるエリアを刺激するために使用され得、たとえば、第１の強磁性コンポーネント６３０の第１のポール面６４２の下方におよびそれに近接して位置付けされている第１のエリア、ならびに、第２のポール面６４４の下方におよびそれに近接して位置付けされている第２のエリアなどを刺激するために使用され得る。脳の２つのエリアの中の電流は、同じ方向または異なる方向に（たとえば、時計回りにおよび／または反時計回りに）移動し得る。
【０１２３】
治療コイル６００によって発生させられる磁場によって誘導される活性化ゾーンは、刺激ゾーンまたはサブ刺激ゾーンとすることができる。刺激ゾーンは、治療コイル６００によって発生させられるパルス状磁場によって引き起こされる誘導電流が脳のニューロンの脱分極閾値を上回るレベルとすることができ、一方、サブ刺激ゾーンは、誘導電流が脳のニューロンの脱分極閾値を下回るレベルとすることができる。さらに、２つの活性化ゾーンおよび２つの治療エリアを参照して説明されているが、治療コイル６００は、（たとえば、特定の治療または診断手順に応じて、）より多くのまたはより少ない患者の治療エリアのためにより多くのまたはより少ない活性化ゾーンを誘導する磁場を発生させるために使用され得る。
【０１２４】
さらに、いくつかの例では、治療コイル６００は、第３の導電性エレメント６６０の周りに位置することができる追加的な導電性エレメントを含み得る（ならびに／または、たとえば、第３および／もしくは第４の導電性エレメント６６０、６７０は、追加的なターン（たとえば、アンプターン）を含み得る）ということが認識されるべきである。さらに、いくつかの例では、第２の強磁性コンポーネント６８０および／または第３の強磁性コンポーネント６９０は、それが第３および第４の導電性エレメント６６０、６７０の両方をカバーするように形状決めされ得る。たとえば、第２および第３の強磁性コンポーネント６８０、６９０の上部表面６８６、６９６は、第３の導電性エレメント６６０の上部表面６６３の上方に延在し得る。
【０１２５】
治療コイル６００は、導電性エレメント６１０、６２０、６６０、６７０および強磁性コンポーネント６３０、６８０、６９０が互いに支持されるように構成され得る。たとえば、導電性エレメント６１０、６２０、６６０、６７０および強磁性コンポーネント６３０、６８０、６９０のうちの１つまたは複数は、１つまたは複数の相補的な取り付け部材（図示せず）を含み得、１つまたは複数の相補的な取り付け部材は、強磁性コンポーネント６３０、６８０、６９０への導電性エレメント６１０、６２０、６６０、６７０の取り付け（たとえば、解放可能な取り付け）をし得るように構成されている。１つまたは複数の取り付け部材は、導電性エレメント６１０、６２０、６６０、６７０および強磁性コンポーネント６３０、６８０、６９０が互いに固定して支持されるように構成され得る。１つまたは複数の取り付け部材は、導電性エレメント６１０、６２０、６６０、６７０および強磁性コンポーネント６３０、６８０、６９０が互いに移動可能（たとえば、再位置決め可能）であるように構成され得る。
【０１２６】
導電性エレメント６１０、６２０、６６０、６７０が強磁性コンポーネント６３０、６８０、６９０のうちの１つまたは複数によって支持されている（たとえば、強磁性コンポーネント６３０、６８０、６９０のうちの１つまたは複数に取り付けられている）ときには、導電性エレメント６１０、６２０、６６０、６７０は、たとえば誘電体を使用して、強磁性コンポーネント６３０、６８０、６９０から電気的に隔離され得る。誘電体は、空気とすることができ、導電性エレメント６１０、６２０、６６０、６７０が強磁性コンポーネント６３０、６８０、６９０に取り付けられているときに、導電性エレメント６１０、６２０、６６０、６７０は、強磁性コンポーネント６３０、６８０、６９０から間隔を置いて配置され得る（たとえば、強磁性コンポーネント６３０、６８０、６９０と直接接触していない）。導電性エレメント６１０、６２０、６６０、６７０は、任意の適切な電気的に隔離する（たとえば、誘電体）材料から作製されている１つまたは複数の取り付け部材を使用して、強磁性コンポーネント６３０、６８０、６９０のうちの１つまたは複数に取り付けられ得る。
【０１２７】
図７Ａ〜図７Ｄは、例示的な治療コイル７００を示しており、例示的な治療コイル７００は、ヒト被験者（図示せず）などのような被験者のターゲット生体構造の中に変化する磁場を発生させるように構成されている。被験者のターゲット生体構造は、たとえば、被験者の脳組織であり得る。治療コイル７００は、第１の対の導電性エレメント７１０ａ、７１０ｂ、第２の対の導電性エレメント７２０ａ、７２０ｂ、第３の対の導電性エレメント７６０ａ、７６０ｂ、第４の対の導電性エレメント７７０ａ、７７０ｂ、第５の対の導電性エレメント７５０ａ、７５０ｂ、第１の強磁性コンポーネント７３０、第２の強磁性コンポーネント７８０、第３の強磁性コンポーネント７９０、第４の強磁性コンポーネント７４５ａ、および、第５の強磁性コンポーネント７４５ｂを含む。治療コイル７００は、たとえば、図１に示されているように、ＴＭＳ治療の準備のために、または、ＴＭＳ治療の間に、被験者の頭部に近接して配設され得る。導電性エレメント７１０ａ／ｂ、７２０ａ／ｂ、７５０ａ／ｂ、７６０ａ／ｂ、７７０ａ／ｂおよび強磁性コンポーネント７３０、７４５ａ／ｂ、７８０、７９０の組み合わせは、集合的に、たとえば、電磁石と称され得る。治療コイル７００は、図示されているものよりも多いまたは少ない導電性エレメントおよび／または強磁性コンポーネントを含むことがあり得るということが認識されるべきである。導電性エレメントは、導電性巻線と称され得る。
【０１２８】
図７Ａ〜図７Ｂは、治療コイル７００の斜視図を図示しており、一方、図７Ｃ〜図７Ｄは、第４および第５の強磁性コンポーネント７５０、７５５が２つの異なる位置にある状態の治療コイル７００の側面図を図示している。第１、第２、第３、第４、および第５の対の導電性エレメント７１０ａ／ｂ、７２０ａ／ｂ、７６０ａ／ｂ、７７０ａ／ｂ、７５０ａ／ｂの導電性エレメントは、たとえば銅などのような、適切な電気伝導度を示す任意の材料から作製され得る。さらに、それぞれ第１、第２、第３、第４、および第５の対の導電性エレメント７１０ａ／ｂ、７２０ａ／ｂ、７６０ａ／ｂ、７７０ａ／ｂ、７５０ａ／ｂの導電性エレメントは、互いに平行とすることができる（たとえば、第１の導電性エレメント７１０ａの上部表面および／または底部表面は、第１の導電性エレメント７１０ｂの上部表面および／または底部表面に対して平行とすることができる、など）。しかし、いくつかの例では、導電性エレメント７１０ａ／ｂ、７２０ａ／ｂ、７６０ａ／ｂ、７７０ａ／ｂ、７５０ａ／ｂの対のうちの任意の１つまたは複数は、非平行になり得るということが認識されるべきである。
【０１２９】
第１および第２の対の導電性エレメント７１０ａ、７１０ｂ、７２０ａ、７２０ｂの導電性エレメントは、形状が半楕円形になっていてもよい（たとえば、丸みを帯びた長方形の形状になっていてもよい）。さらに、いくつかの例では、第１および第２の対の導電性エレメント７１０ａ、７１０ｂ、７２０ａ、７２０ｂは、別の形状とすることができ、たとえば、形状が円形などになっていてもよい。第１の導電性エレメント７１０ａは、底部表面、上側表面７１４ａ、内側表面７１６ａ、および外側表面７１８ａを画定し得る。同様に、第１の導電性エレメント７１０ｂは、底部表面７１２ｂ、上側表面、内側表面７１６ｂ、および外側表面７１８ｂを画定し得る。さらに、第２の導電性エレメント７２０ａは、底部表面、上側表面７２４ａ、内側表面７２６ａ、および外側表面７２８ａを画定し得る。そして、導電性エレメント７２２ｂは、底部表面７２２ｂ、上側表面、内側表面７２６ｂ、および外側表面７２８ｂを画定し得る。
【０１３０】
第３の対の導電性エレメント７６０ａ、７６０ｂの導電性エレメントは、丸みを帯びた正方形（たとえば、第３のポール面７４６と実質的に同じ形状）によって形状決めされ得る。さらに、いくつかの例では、第３の対の導電性エレメント７６０ａ、７６０ｂの導電性エレメントは、別の形状とすることができ、たとえば、形状が円形などになっていてもよい。第３の導電性エレメント７６０ａは、内側表面７６２ａ、外側表面７６４ａ、上側表面７６３ａ、および底部表面を画定し得、一方、第３の導電性エレメント７６０ｂは、内側表面７６２ｂ、外側表面７６４ｂ、上側表面、および底部表面７６５ｂを画定し得る。
【０１３１】
第４および第５の対の導電性エレメント７７０ａ、７７０ｂ、７５０ａ、７５０ｂの導電性エレメントのそれぞれは、形状が半楕円形になっていてもよい（たとえば、丸みを帯びた長方形のように形状決めされ得る）。さらに、いくつかの例では、第４および第５の対の導電性エレメント７７０ａ、７７０ｂ、７５０ａ、７５０ｂの導電性エレメントは、別の形状とすることができ、たとえば、形状が円形などになっていてもよい。第４の導電性エレメント７７０ａは、内側表面７７２ａ、外側表面７７４ａ、上側表面７７３ａ、および底部表面を画定し得る。同様に、第４の導電性エレメント７７０ｂは、内側表面７７２ｂ、外側表面７７４ｂ、上側表面、および底部表面７７５ｂを画定し得る。さらに、第５の導電性エレメント７５０ａは、内側表面７５２ａ、外側表面７５４ａ、上側表面７５３ａ、および底部表面７５５ａを画定し得る。そして、第５の導電性エレメント７５０ｂは、内側表面７５２ｂ、外側表面７５４ｂ、上側表面、および底部表面７５５ｂを画定し得る。
【０１３２】
第３の対の導電性エレメント７６０ａ、７６０ｂの導電性エレメントの上側表面および底部表面は、平面的（たとえば、平坦）であってもよい。同様に、第４および第５の対の導電性エレメント７７０ａ、７７０ｂ、７５０ａ、７５０ｂの導電性エレメントの上側表面および底部表面は、平面的（たとえば、平坦）であってもよい。しかし、いくつかの例では、第３、第４、または第５の対の導電性エレメント７６０ａ、７６０ｂ、７７０ａ、７７０ｂ、７５０ａ、７５０ｂの導電性エレメントのうちの１つまたは複数は、屈曲しているかまたは湾曲し得る（たとえば、下向きに屈曲させられ得る）ということが認識されるべきである。たとえば、第３、第４、および第５の対の導電性エレメント７６０ａ、７６０ｂ、７７０ａ、７７０ｂ、７５０ａ、７５０ｂの導電性エレメントのいずれかの底部表面は、凹形になっていることができ、一方、第３、第４、および第５の対の導電性エレメント７６０ａ、７６０ｂ、７７０ａ、７７０ｂ、７５０ａ、７５０ｂの導電性エレメントのいずれかの上側表面は、凸形とすることができる。そのような湾曲は、治療コイル７００がターゲット生体構造（たとえば、ヒトの頭部の湾曲）により良好に一致するように設計され得る。
【０１３３】
さらに、第５の対の導電性エレメント７５０ａ／ｂは、第３の対の導電性エレメント７６０ａ／ｂよりも大きい周囲を画定し得、第４の対の導電性エレメント７７０ａ／ｂは、第５の対の導電性エレメント７５０ａ／ｂよりも大きい周囲を画定し得る。第３の導電性エレメント７６０ａは、第５の導電性エレメント７５０ａの開口部および第４の導電性エレメント７７０ａの開口部の中に少なくとも部分的に存在し得、一方、第３の導電性エレメント７７０ｂは、第５の導電性エレメント７５０ｂの開口部および第４の導電性エレメント７７０ｂの開口部の中に少なくとも部分的に存在し得る。さらに、第５の導電性エレメント７５０ａは、第４の導電性エレメント７７０ａの開口部の中に少なくとも部分的に存在し得、一方、第５の導電性エレメント７５０ｂは、第４の導電性エレメント７７０ｂの開口部の中に少なくとも部分的に存在し得る。したがって、第４の導電性エレメント７７０ａは、第５の導電性エレメント７５０ａおよび第３の導電性エレメント７６０ａを（たとえば、実質的に）取り囲み得、一方、第４の導電性エレメント７７０ｂは、第５の導電性エレメント７５０ｂおよび第３の導電性エレメント７６０ｂを（たとえば、実質的に）取り囲み得る。
【０１３４】
第１および第２の対の導電性エレメント７１０ａ、７１０ｂ、７２０ａ、７２０ｂのそれぞれの導電性エレメントは、同じ数のターン（たとえば、アンプターン）、たとえば、図示されているように単一のターンを画定し得る。しかし、いくつかの例では、第１および第２の対の導電性エレメント７１０ａ、７１０ｂ、７２０ａ、７２０ｂの導電性エレメントの任意の１つまたは複数は、複数のターンを画定し得るということが認識されるべきである。さらに、いくつかの例では、治療コイル７００は、追加的な導電性エレメント、および／または、複数のループ（たとえば、アンプターン）を画定する導電性エレメントを含み得る。
【０１３５】
第１および第２の対の導電性エレメント７１０ａ、７１０ｂ、７２０ａ、７２０ｂの導電性エレメントのそれぞれは、導電性材料の単一のモノリシックのピースから形成され得、または、第１および第２の対の導電性エレメント７１０ａ、７１０ｂ、７２０ａ、７２０ｂの導電性エレメントの１つもしくは複数は、ワイヤーの複数のストランドによって形成され得る。いくつかの例では、治療コイル７００は、第１、第２、第３、第４、および第５の対の導電性エレメント７１０ａ／ｂ、７２０ａ／ｂ、７６０ａ／ｂ、７７０ａ／ｂ、７５０ａ／ｂならびに第１、第２、第３、第４、および第５の強磁性コンポーネント７３０、７８０、７８０  、７４５ａ、７４５ｂを収容するハウジング（図示せず）を含み得る。
【０１３６】
第１から第５の導電性エレメント７１０ａ、７２０ａ、７６０ａ、７７０ａ、７５０ａの上側表面によって画定される平面は、互いに実質的に平面的とすることができる。同様に、第１から第５の導電性エレメント７１０ａ、７２０ａ、７６０ａ、７７０ａ、７５０ａの底部表面によって画定される平面は、互いに実質的に平面的とすることができる。しかし、いくつかの例では、導電性エレメント７１０ａ、７２０ａ、７６０ａ、７７０ａ、７５０ａの任意の組み合わせの上側表面、および／または、導電性エレメント７１０ｂ、７２０ｂ、７６０ｂ、７７０ｂ、７５０ｂの任意の組み合わせの底部表面は、互いに非平面的になっていてもよいということが認識されるべきである。たとえば、導電性エレメント７１０ａ／ｂ、７２０ａ／ｂ、７６０ａ／ｂ、７７０ａ／ｂ、７５０ａ／ｂのうちの任意の１つまたは複数は、その上部表面および／または底部表面が他の導電性エレメント７１０ａ／ｂ、７２０ａ／ｂ、７６０ａ／ｂ、７７０ａ／ｂ、７５０ａ／ｂのそれぞれの上部表面および／または底部表面と非平面的になるようにシフトされ得る。たとえば、いくつかの例では、第４の導電性エレメント７５０ｂは、より大きくさせられ得、第４の導電性エレメント７５０ｂの底部表面７７５ｂが他の導電性エレメントの底部表面と非平面的になり得るようになっている（そして、たとえば、第２および第３の強磁性コンポーネント７８０、７９０のうちの一方または両方の底部表面７８４、７９４と平面的になり得る）。
【０１３７】
第１の強磁性コンポーネント７３０は、適切な強磁性の特性を示す任意の材料、たとえば、粉末状の強磁性の鉄粒子などから作製され得る。第１の強磁性コンポーネント７３０は、主本体部７３８および複数のポールを含み得、複数のポールは、たとえば、主本体部７３８から延在している、第１のポール７３２、第２のポール７３４、および第３のポール７３６などである。３つのポールを有するものとして図示されているが、いくつかの例では、第１の強磁性コンポーネント７３０は、３つよりも多いまたは少ないポールを含み得る。複数のポール（たとえば、第１、第２、および第３のポール７３２、７３４、７３６）は、主本体部７３８から（たとえば、主本体部７３８の底部表面７３３から）外向きに延在し得る。第３のポール７３６は、第１のポール７３２と第２のポール７３４との間に存在し得る。たとえば、第１、第２、および第３のポール７３２、７３４、７３６は、（たとえば、図示されているように）線形に整合させられ得る。しかし、いくつかの例では、第１、第２、および／または第３のポール７３２、７３４、７３６のうちの１つまたは複数は、非線形の様式で整合させられ得るということが認識されるべきである。
【０１３８】
第１の強磁性コンポーネント７３０の主本体部７３８は、上部表面７３１および底部表面７３３を画定し得る。主本体部７３８の上部表面７３１および／または底部表面７３３は、平面的（たとえば、平坦）であってもよい。しかし、いくつかの例では、主本体部７３８は、たとえば、治療コイル６００の第１の強磁性コンポーネント６３０によって図示されているように、湾曲し得るということが認識されるべきである。
【０１３９】
第１のポール７３２は、第１のポール面７４２を画定し得、第２のポール７３４は、第２のポール面７４４を画定し得、第３のポール７３６は、第３のポール面７４６を画定し得る。第１のポール７３２は、第１の導電性エレメント７１０ａ／ｂのそれぞれによって画定される開口部の中に配設され得、第２のポール７３４は、第２の導電性エレメント７２０ａ／ｂのそれぞれによって画定される開口部の中に配設され得、第３のポールは、第３の導電性エレメント７６０ａ／ｂのそれぞれによって画定される開口部の中に配設され得る。さらに、第３のポール７３６は、また、第４および第５の導電性エレメント７７０ａ／ｂ、７５０ａ／ｂの開口部の中に（たとえば、部分的に）存在し得る。したがって、第３、第４、および第５の導電性エレメント７６０ａ／ｂ、７７０ａ／ｂ、７５０ａ／ｂは、第１の強磁性コンポーネント７３０の第３のポール７３６が第３、第４、および第５の導電性エレメント７６０ａ／ｂ、７７０ａ／ｂ、７５０ａ／ｂの開口部の中に存在するように位置し得る。
【０１４０】
第１のポール７３２は、第１の導電性エレメント７１０ａ／ｂのそれぞれの形状と実質的に同様である断面形状（たとえば、半楕円形の断面形状）を有し得、第２のポール７３４は、第２の導電性エレメント７２０ａ／ｂのそれぞれの形状と実質的に同様である断面形状（たとえば、半楕円形の断面形状）を有し得、第３のポール７３６は、第３の導電性エレメント７６０ａ／ｂのそれぞれの形状と実質的に同様である断面形状（たとえば、丸みを帯びた角部を伴って実質的に正方形に形状決めされた断面形状）を有し得る。
【０１４１】
さらに、図示されている例では、第１のポール面７４２は、第１の導電性エレメント７１０ｂの底部表面７１２ｂと実質的に平面的とすることができ、第２のポール面７４４は、第２の導電性エレメント７２０ｂの底部表面７２２ｂと実質的に平面的とすることができ、第３のポール面７４６は、第３の導電性エレメント７６０ｂの底部表面７６２ｂと実質的に平面的とすることができる。しかし、いくつかの例では、第１のポール面７４２は、第１の導電性エレメント７１０ｂの底部表面７１２ｂの平面を越えて延在し得、第２のポール面７４４は、第２の導電性エレメント７２０ｂの底部表面７２２ｂの平面を越えて延在し得、および／または、第３のポール面７４６は、第３の導電性エレメント７６０ｂの底部表面７６２ｂの平面を越えて延在し得るということが認識されるべきである。
【０１４２】
第２および第３の強磁性コンポーネント７８０、７９０は、適切な強磁性の特性を示す任意の材料、たとえば、粉末状の強磁性の鉄粒子などから作製され得る。第２の強磁性コンポーネント７８０は、底部表面７８４、内側表面７８５、上部表面７８６、外側表面７８７、第１のポール７８８、および第２のポール７８９を画定し得る。同様に、第３の強磁性コンポーネント７９０は、底部表面７９４、内側表面７９５、上部表面７９６、外側表面７９７、第１のポール７９８、および第２のポール７９９を画定し得る。第２および第３の強磁性コンポーネント７８０、７９０の底部表面７８４、７９４、上部表面７８６、７９６、第１のポール７８８、７９８、および第２のポール７８９、７９９のそれぞれは、平面的（たとえば、平坦）であってもよい。しかし、いくつかの例では、第２および第３の強磁性コンポーネント７８０、７９０の底部表面７８４、７９４、上部表面７８６、７９６、第１のポール７８８、７９８、および第２のポール７８９、７９９のうちの１つまたは複数は、湾曲していてもよく、または、その他の方法で形状決めされてもよいということが認識されるべきである。
【０１４３】
第２および第３の強磁性コンポーネント７８０、７９０の上部表面７８６、７９６は、第４の導電性エレメント７７０ａの上部表面７７６ａと平面的とすることができる。しかし、第２および第３の強磁性コンポーネント７８０、７９０の底部表面７８４、７９４は、第４の導電性エレメント７７０ｂの底部表面７７７ｂによって画定される平面を越えて延在し得る（たとえば、底部表面７８４、７９４は、底部表面７７７ｂと非平面的になっていてもよい）。しかし、いくつかの例では、上部表面７８６、７９６および／または底部表面７８４、７９４のうちの１つまたは複数は、それぞれ、第４の導電性エレメント７７０ａ、７７０ｂの上部表面および／または底部表面と平面的になっていなくてもよいということが認識されるべきである。
【０１４４】
第２および第３の強磁性コンポーネント７８０、７９０は、湾曲していてもよい。たとえば、第２および第３の強磁性コンポーネント７８０、７９０の内側表面７８５、７９５は、凹形とすることができ、一方、外側表面７８７、７９７は、凸形とすることができる。たとえば、第２および第３の強磁性コンポーネントの内側表面および外側表面７８５、７９５、７８７、７９７の湾曲は、第４の導電性エレメント７７０ａ／ｂの外側表面の湾曲と実質的に同様とすることができる。しかし、第２および第３の強磁性コンポーネント７８０、７９０の内側表面および外側表面７８５、７９５、７８７、７９７の湾曲は、図７Ａ〜図７Ｄに図示されているものに限定されない。
【０１４５】
第２および第３の強磁性コンポーネント７８０、７９０は、実質的に同じサイズおよび形状とすることができる。しかし、いくつかの例では、第２および第３の強磁性コンポーネント７８０、７９０は、図示されているものとは異なるサイズおよび／または形状を有し得る。さらに、いくつかの例では、第２の強磁性コンポーネント７８０のサイズまたは形状は、（たとえば、治療コイル７００によって発生させられる磁場のサイズおよび／または形状をシフトさせるために）第３の強磁性コンポーネント７９０のサイズまたは形状とは異なっていてもよい。また、いくつかの例では、第２または第３の強磁性コンポーネント７８０、７９０のうちの一方または両方は、治療コイル７００から省略され得る。
【０１４６】
第２および第３の強磁性コンポーネント７８０、７９０の第１および第２のポール面７８８、７８９、７９８、７９９は、それぞれ、第２および第３の強磁性コンポーネント７８０、７９０の他の表面に対して垂直になり得る。しかし、いくつかの例では、第１および第２のポール面７８８、７８９、７９８、７９９は、角度を付けられていてもよいということが認識されるべきである。たとえば、第１および第２のポール面７８８、７８９、７９８、７９９のうちの任意の１つまたは複数は、それぞれ、第２および第３の強磁性コンポーネント７８０、７９０の他の表面のうちの任意の１つまたは複数と、鋭角または鈍角を形成し得る。たとえば、第１および第２のポール面７８８、７９９は、第２の強磁性コンポーネント７８０の上部表面７８６と鈍角を形成し得、第２の強磁性コンポーネント７８０の底部表面７８４と鋭角を形成し得る。
【０１４７】
第４および第５の強磁性コンポーネント７４５ａ、７４５ｂは、適切な強磁性の特性を示す任意の材料、たとえば、粉末状の強磁性の鉄粒子などから作製され得る。第４の強磁性コンポーネント７４５ａは、内側表面７４６ａ、外側表面、上部表面、左表面および右表面、ならびに、ポール７４９ａを画定する底部表面を画定し得る。同様に、第５の強磁性コンポーネント７４５ｂは、内側表面、外側表面７４７ｂ、上部表面、左表面および右表面、ならびに、ポール７４９ｂを画定する底部表面を画定し得る。第４および第５の強磁性コンポーネント７４５ａ、７４５ｂの上側表面は、それぞれ、第１および第２のポール面７４２、７４４と同様のサイズおよび形状（たとえば、同一のサイズおよび形状）のものとすることができる。さらに、第４および第５の強磁性コンポーネント７４５ａ、７４５ｂの上側表面は、それぞれ、第１および第２のポール面７４２、７４４に対して平行とすることができる。治療コイル７００が使用中のときには、第４および第５の強磁性コンポーネント７４５ａ、７４５ｂの上側表面は、それぞれ、第１および第２のポール面７４２、７４４に近接して設置され得る（および、たとえば、第１および第２のポール面７４２、７４４に潜在的に固定され得る）。
【０１４８】
第４および第５の強磁性コンポーネント７４５ａ、７４５ｂのポール７４９ａ／ｂは、角度を付けられていてもよい。たとえば、第４の強磁性コンポーネント７４５ａのポール面７４９ａは、第４の強磁性コンポーネント７４５ａの内側表面７４６ａと鈍角を形成し得、第４の強磁性コンポーネント７４５ａの外側表面と鋭角を形成し得る。同様に、第５の強磁性コンポーネント７４５ｂのポール面７４９ｂは、第５の強磁性コンポーネント７４５ｂの内側表面と鈍角を形成し得、第５の強磁性コンポーネント７４５ｂの外側表面７４７ｂと鋭角を形成し得る。
【０１４９】
いくつかの例では、第４および第５の強磁性コンポーネント７４５ａ、７４５ｂは、治療コイル７００から省略され得、または、図７Ｄに図示されている第６および第７の強磁性コンポーネント７４５ｃ、７４５ｄなどのような、任意の望ましいサイズおよび形状の他の強磁性コンポーネントと置換され得る。第６および第７の強磁性コンポーネント７４５ｃ、７４５ｄの内側表面および外側表面は、第６および第７の強磁性コンポーネント７４５ｃ、７４５ｄの上部表面に対して垂直になっていなくてもよい（たとえば、一方では、第４および第５の強磁性コンポーネント７４５ａ、７４５ｂの内側表面および外側表面は、第４および第５の強磁性コンポーネント７４５ａ、７４５ｂの上部表面に対して垂直になっていてもよい）。第６および第７の強磁性コンポーネント７４５ｃ、７４５ｄは、第４および第５の強磁性コンポーネント７４５ａ、７４５ｂとは異なって形状決めされ得、結果として、治療コイル７００によって発生させられる磁場は、異なる形状を有する治療エリアの中の電界を含み得る。
【０１５０】
第１の導電性エレメント７１０ｂ、第３の導電性エレメント７６０ｂ、第４の導電性エレメント７７０ｂ、および第５の導電性エレメント７５０ｂが（たとえば、強磁性コンポーネント７３０の底部表面７３３の下方において）互いに近接しているエリアが、第１のターゲットエリアの上方に設置され得るように、ならびに、第２の導電性エレメント７２０ｂ、第３の導電性エレメント７６０ｂ、第４の導電性エレメント７７０ｂ、および第５の導電性エレメント７５０ｂが（たとえば、強磁性コンポーネント７３０の反対の底部表面７３３の下方に）互いに近接しているエリアが、被験者の第２のターゲットエリアの上方に設置され得るように、治療コイル７００が配設され得る。その後に、治療コイル７００は、治療システムおよび／または磁気刺激システムのドライブ回路によって駆動され得る。たとえば、駆動されるときに、電流が、第１および第２の導電性エレメント７１０ａ／ｂ、７２０ａ／ｂを通って同じ方向（たとえば、図７Ｂに図示されているように、下の視点から見たときに時計回り方向）に循環するように、ならびに、電流が、第３、第４、および第５の導電性エレメント７６０ａ／ｂ、７７０ａ／ｂ、７５０ａ／ｂを通って反対方向（たとえば、図７Ｂに図示されているように、下の視点から見たときに反時計回り方向）に循環するように、または、その逆もまた同様であるように、治療コイル７００が構成され得る。
【０１５１】
結果として、治療コイル７００は、ターゲット場所のそれぞれに１つずつ、２つの活性化ゾーンを誘導する磁場を発生させるように構成され得、ここで、活性化ゾーンのそれぞれは、（たとえば、それぞれ、第１の導電性エレメント７１０ｂ、第３の導電性エレメント７６０ｂ、第４の導電性エレメント７７０ｂ、および第５の導電性エレメント７５０ｂが互いに近接しているエリアの実質的に下方において、ならびに、第２の導電性エレメント７２０ｂ、第３の導電性エレメント７６０ｂ、第４の導電性エレメント７７０ｂ、および第５の導電性エレメント７５０ｂが互いに近接しているエリアの実質的に下方において、）楕円形の形状を有している。たとえば、治療コイル７００は、また、第３のポール面７４６の下のエリアにおいて刺激ゾーンを誘導しない状態で、２つの活性化ゾーンを誘導する磁場を発生させるように構成され得る。
【０１５２】
第３、第４、および第５の導電性エレメント７６０ａ／ｂ、７７０ａ／ｂ、７５０ａ／ｂならびに第２および第３の強磁性コンポーネント７８０、７９０を含めることは、（たとえば、第３、第４、および／または第５の導電性エレメント７６０ａ／ｂ、７７０ａ／ｂ、７５０ａ／ｂを含むことなく、ならびに第２および／または第３の強磁性コンポーネント７８０、７９０が含まれていない治療コイル７００と比較して、）治療コイル７００によって発生させられる磁場によって引き起こされるリターン電流を波及させるように作用し得る。第３、第４、および第５の導電性エレメント７６０ａ／ｂ、７７０ａ／ｂ、７５０ａ／ｂならびに第２および第３の強磁性コンポーネント７８０、７９０の任意の組み合わせは、治療コイル７００の中に含まれ得、たとえば、（たとえば、第１および第２のターゲットエリアの下に）磁場によって生成される２つの活性化ゾーンをさらに明確化もしくは強化し、および／または、２つの活性化ゾーンが融合して単一の活性化ゾーン（たとえば、第３のポール面７４６の下の単一の長円形または円形の形状の活性化ゾーン）になることを防止する。たとえば、第３、第４、および第５の導電性エレメント７６０ａ／ｂ、７７０ａ／ｂ、７５０ａ／ｂを含めることは、第２および第３の強磁性コンポーネント７８０、７９０の実質的に下にあり、それに近接しているエリアにリターン電流を波及させることによって、治療コイル７００によって発生させられる磁場を歪め、また、第２および第３の強磁性コンポーネント７８０、７９０を含めることは、リターン電流のこの波及をさらに強化する。たとえば、第３、第４、および第５の導電性エレメント７６０ａ／ｂ、７７０ａ／ｂ、７５０ａ／ｂを含めることは、第３のポール面７４６からより遠くに離れるようにリターン電流を引っ張り、たとえば、２つの活性化ゾーンを強化し、単一の活性化ゾーン（たとえば、１つの大きいリング）が結果として生じることを防止し得る。さらに、第３および第４の導電性エレメント６６０、６７０ を含めることは、２つの活性化ゾーンを生成させるときに、治療コイル６００ をよりエネルギー効率よくし得る。そして、第２および第３の強磁性コンポーネント７８０、７９０を含めることは、リターン電流が第３のポール面７４６から離れるように発散させることがあり、それは、２つの活性化ゾーンの内側の電流を強化することがある。
【０１５３】
別の方式で述べられると、強磁性コンポーネント７８０、７９０は、リターン電流が活性化ゾーンを離れていく（たとえば、第３のポール面７４６から離れるようにリターン電流を波及させる）ときに、それぞれの強磁性コンポーネント７８０、７９０に向けてリターン電流を引き出すことによって、治療コイル７００によって発生させられる電界を強化し得る。その理由は、たとえば、リターン電流が最小の抵抗の経路をとるからである。強磁性コンポーネント７８０、７９０を含まなければ、リターン電流は、より短い経路、たとえば、導電性エレメント７６０によって画定される経路をとり得る。そうであるので、強磁性コンポーネント７８０、７９０は、２つの活性化ゾーンが１つの大きい活性化ゾーン（たとえば、第３のポール面７４６の下のエリアを含む単一の活性化ゾーン）へと組み合わさらない（たとえば、融合しない）ことを保証することを支援し得る。
【０１５４】
さらに、第４および第５の強磁性コンポーネント７４５ａ、７４５ｂ（または、たとえば、第１の強磁性コンポーネント７３０の第１および第２のポール面７４２、７４４に隣接する、異なってサイズ決めおよび／または形状決めされた強磁性コンポーネント）を含めることは、治療コイル７００が２つの活性化ゾーンの相対的な場所をシフトさせることおよび／または２つの活性化ゾーンの形状を調節することを可能にすることができる。たとえば、２つの活性化ゾーンの相対的な場所および／または形状におけるシフトは、患者（患者のターゲット生体構造（たとえば、頭部）は、異なるサイズおよび／または形状のものになっている）を治療するときに望ましいことがある。さらなる例として、２つの活性化ゾーンの相対的な場所および／または形状におけるシフトは、異なる治療および／または診断手順の間に（たとえば、２つの活性化ゾーンと関連付けられたターゲット場所が変化するときに）望ましいことがある。そのように治療コイル７００が設定可能であることは、コイル７００が異なる患者に関しておよび／または異なる治療／診断手順に関して最適化され得る。
【０１５５】
治療コイル７００は、導電性エレメント７１０ａ／ｂ、７２０ａ／ｂ、７６０ａ／ｂ、７７０ａ／ｂ、７５０ａ／ｂが駆動されるときに、結果として生じる活性化ゾーンが被験者の脳の中に２つの独立したエリアを包含するように構成され得る。被験者の脳の中のエリアは、脳の異なる機能的な領域と相関付けられ得る。たとえば、治療コイル７００は、被験者の脳の中の２つの異なるエリアを刺激するために使用され得、たとえば、それぞれ、第４および第５の強磁性コンポーネント７４５ａ、７４５ｂのポール面７４９ａの下方におよびそれに近接して位置付けされている第１のエリア、ならびに、第２のポール面７４９ｂの下方におよびそれに近接して位置付けされている第２のエリアなどを刺激するために使用され得る。脳の２つのエリアの中の電流は、同じ方向または異なる方向に（たとえば、時計回りにおよび／または反時計回りに）移動し得る。
【０１５６】
治療コイル７００によって発生させられる磁場によって誘導される活性化 は、刺激ゾーンまたはサブ刺激ゾーンであり得る。刺激ゾーンは、治療コイル７００によって発生させられるパルス状磁場によって引き起こされる誘導電流が脳のニューロンの脱分極閾値を上回るレベルとすることができ、一方、サブ刺激ゾーンは、誘導電流が脳のニューロンの脱分極閾値を下回るレベルとすることができる。さらに、２つの活性化ゾーンおよび２つの治療エリアを参照して説明されているが、治療コイル７００は、（たとえば、特定の治療または診断手順に応じて、）より多くのまたはより少ない患者の治療エリアのためにより多くのまたはより少ない活性化ゾーンを誘導する磁場を発生させるために使用され得る。
【０１５７】
治療コイル７００は、導電性エレメント７１０ａ／ｂ、７２０ａ／ｂ、７６０ａ／ｂ、７７０ａ／ｂ、７５０ａ／ｂおよび強磁性コンポーネント７３０、７８０、７９０、７４５ａ、７４５ｂが互いに支持されるように構成され得る。たとえば、導電性エレメント７１０ａ／ｂ、７２０ａ／ｂ、７６０ａ／ｂ、７７０ａ／ｂ、７５０ａ／ｂおよび強磁性コンポーネント７３０、７８０、７９０、７４５ａ、７４５ｂのうちの１つまたは複数は、１つまたは複数の相補的な取り付け部材（図示せず）とすることができ、１つまたは複数の相補的な取り付け部材は、強磁性コンポーネント７３０、７８０、７９０、７４５ａ、７４５ｂへの導電性エレメント７１０ａ／ｂ、７２０ａ／ｂ、７６０ａ／ｂ、７７ ａ／ｂ、７５０ａ／ｂの取り付け（たとえば、解放可能な取り付け）を可能にするように構成されている。１つまたは複数の取り付け部材は、導電性エレメント７１０ａ／ｂ、７２０ａ／ｂ、７６０ａ／ｂ、７７ａ／ｂ、７５０ａ／ｂおよび強磁性コンポーネント７３０、７８０、７９０、７４５ａ、７４５ｂが互いに固定して支持されるように構成され得る。１つまたは複数の取り付け部材は、導電性エレメント７１０ａ／ｂ、７２０ａ／ｂ、７６０ａ／ｂ、７７ａ／ｂ、７５０ａ／ｂおよび強磁性コンポーネント７３０、７８０、７９０、７４５ａ、７４５ｂが互いに移動可能（たとえば、再位置決め可能）であるように構成され得る。
【０１５８】
導電性エレメント７１０ａ／ｂ、７２０ａ／ｂ、７６０ａ／ｂ、７７ａ／ｂ、７５０ａ／ｂが強磁性コンポーネント７３０、７８０、７９０、７４５ａ、７４５ｂのうちの１つまたは複数によって支持されている（たとえば、強磁性コンポーネント７３０、７８０、７９０、７４５ａ、７４５ｂのうちの１つまたは複数に取り付けられている）ときには、導電性エレメント７１０ａ／ｂ、７２０ａ／ｂ、７６０ａ／ｂ、７７ａ／ｂ、７５０ａ／ｂは、たとえば誘電体を使用して、強磁性コンポーネント７３０、７８０、７９０、７４５ａ、７４５ｂから電気的に隔離され得る。誘電体は、空気とすることができ、導電性エレメント７１０ａ／ｂ、７２０ａ／ｂ、７６０ａ／ｂ、７７ａ／ｂ、７５０ａ／ｂが強磁性コンポーネント７３０、７８０、７９０、７４５ａ、７４５ｂに取り付けられているときに、導電性エレメント７１０ａ／ｂ、７２０ａ／ｂ、７６０ａ／ｂ、７７ａ／ｂ、７５０ａ／ｂは、強磁性コンポーネント７３０、７８０、７９０、７４５ａ、７４５ｂから間隔を置いて配置され得る（たとえば、強磁性コンポーネント７３０、７８０、７９０、７４５ａ、７４５ｂと直接接触していない）。導電性エレメント７１０ａ／ｂ、７２０ａ／ｂ、７６０ａ／ｂ、７７ａ／ｂ、７５０ａ／ｂは、任意の適切な電気的に隔離する（たとえば、誘電体）材料から作製されている１つまたは複数の取り付け部材を使用して、強磁性コンポーネント７３０、７８０、７９０、７４５ａ、７４５ｂのうちの１つまたは複数に取り付けられ得る。
【０１５９】
図８Ａおよび図８Ｂは、例示的な治療コイル８００を示しており、例示的な治療コイル８００は、ヒト被験者（図示せず）などのような被験者のターゲット生体構造の中に変化する磁場を発生させるように構成されている。被験者のターゲット生体構造は、たとえば、被験者の脳組織とすることができる。治療コイル８００は、第１の導電性エレメント８１０、第２の導電性エレメント８２０、および強磁性コンポーネント８３０を含む。治療コイル８００は、たとえば、図１に示されているように、ＴＭＳ治療の準備のために、または、ＴＭＳ治療の間に、被験者の頭部に近接して配設され得る。導電性エレメント８１０、８２０および強磁性コンポーネント８３０の組み合わせは、集合的に、たとえば、電磁石と称され得る。治療コイル８００は、図示されているものよりも多いまたは少ない導電性エレメントを含み得るということが認識されるべきである。導電性エレメントは、導電性巻線と称され得る。
【０１６０】
第１および第２の導電性エレメント８１０、８２０は、形状が半楕円形になっていてもよい（たとえば、丸みを帯びた正方形の形状の断面を有している）。さらに、いくつかの例では、第１および第２の導電性エレメント８１０、８２０は、別の形状であることがあり、たとえば、形状が円形などになっていてもよい。いくつかの例では、第１および第２の導電性エレメント８１０、８２０は、一緒に、８の字コイルまたはＢ字形状のコイルを形成し得る。第１の導電性エレメント８１０は、上側表面８１２および底部表面８１４を画定し得る。同様に、第２の導電性エレメント８２０は、上側表面８２２および底部表面８２４を画定し得る。上側表面８１２、８２２は、丸みを帯びていることがある。たとえば、上側表面８１２、８２２は、形状が凸形とすることができる。底部表面８１４、８２４は、アーチ形とすることができる。たとえば、底部表面８１４、８２４は、形状が凹形とすることができる。形状が凸形および凹形として図示されているが、第１および第２の導電性エレメント８１０、８２０の上側表面および底部表面のうちの任意の１つまたは複数は、平面的（たとえば、平坦）であってもよい。さらに、そのような例では、第１および／または第２の導電性エレメント８１０、８２０は、１つまたは複数の側部を画定し得る。第１および第２の導電性エレメント８１０、８２０は、たとえば銅などのような、適切な電気伝導度を示す任意の材料から作製され得る。
【０１６１】
第１および第２の導電性エレメント８１０、８２０は、同じ数のターン（たとえば、アンプターン）、たとえば、図示されているように単一のターンを画定し得る。しかし、いくつかの例では、第１の導電性エレメント８１０および／または第２の導電性エレメント８２０は、複数のターンを画定し得るということが認識されるべきである。たとえば、いくつかの例では、第１の導電性エレメント８１０が、第１の数のターンを画定し得、一方、第２の導電性エレメント８２０が、異なる第２の数のターンを画定し得る。さらに、いくつかの例では、治療コイル８００は、追加的な導電性エレメント、および／または、複数のループ（たとえば、アンプターン）を画定する導電性エレメントを含み得る。たとえば、第１の導電性エレメント８１０は、１つまたは複数の追加的なおよびオーバーラップする導電性エレメントを含み得（たとえば、第１の導電性エレメント８１０は、複数のループを画定し得る）、および／または、第２の導電性エレメント８２０は、１つまたは複数の追加的なおよびオーバーラップする導電性エレメントを含み得る（たとえば、第２の導電性エレメント８２０は、複数のループを画定し得る）。
【０１６２】
第１の導電性エレメント８１０および／もしくは第２の導電性エレメント８２０は、導電性材料の単一のモノリシックのピースから形成され得、または、第１および第２の導電性エレメント８１０、８２０のうちの１つもしくは複数は、ワイヤーの複数のストランドによって形成され得る。いくつかの例では、治療コイル８００は、第１および第２の導電性巻線８１０、８２０ならびに強磁性コンポーネント８３０を収容するハウジング（図示せず）を含み得る。
【０１６３】
強磁性コンポーネント８３０は、適切な強磁性の特性を示す任意の材料、たとえば、粉末状の強磁性の鉄粒子などから作製され得る。強磁性コンポーネント８３０は、主本体部８３８ および複数のポールを含み得、複数のポールは、たとえば、主本体部８３２から延在している、第１のポール８３４、第２のポール８３６、第３のポール８３８、および第４のポール８４０などである。４つのポールを有するものとして図示されているが、いくつかの例では、強磁性コンポーネント８３０は、４つよりも多いまたは少ないポールを含み得る。第２のポール８３６は、第１のポール８３４と第４のポール８４０との間に存在し得、第４のポール８１０ は、第２のポール８３６と第３のポール８３８との間に存在し得る。たとえば、第１、第２、第３、および第４のポール８３４、８３６、８３８、８４０は、（たとえば、図示されているように）線形に整合させられ得る。しかし、いくつかの例では、第１、第２、第３、および第４のポール８３４、８３６、８３８、８４０のうちの１つまたは複数は、非線形の様式で整合させられ得るということが認識されるべきである。
【０１６４】
第１のポール８３４および第３のポール８３８は、主本体部８３２から（たとえば、主本体部８３２の底部表面８４３から）外向きに延在し得る。第２のポール８３６は、第１のポール８３４から延在し得（たとえば、第１のポール８３４の内側から延在し得る）、第４のポール８４０は、第３のポール８３８から延在し得る（たとえば、第３のポール８３８の内側から延在し得る）。しかし、いくつかの例では、第２および第４のポール８３６、８４０のうちの１つまたは複数は、主本体部８３２から（たとえば、主本体部８３２の底部表面８４３から）外向きに延在し得るということが認識されるべきである。
【０１６５】
強磁性コンポーネント８３０の主本体部８３２は、上部表面８４２および底部表面８４３を画定し得る。主本体部８３２は、たとえば、図示されているように、湾曲し得る。たとえば、主本体部８３２の上部表面８４２は、凸形表面を画定し得、一方、主本体部８３２の底部表面８４３は、凹形表面を画定し得る。したがって、上部表面８４２は、非平面的になっていてもよく、また、底部表面８４３は、非平面的になっていてもよい。さらに、いくつかの例では、主本体部８３２の上部表面８４２および／または底部表面８４３の湾曲は、図示されているものよりも大きいまたは小さい湾曲を画定し得るということが認識されるべきである。そのうえ、いくつかの例では、主本体部８３２の上部表面８４２および／または底部表面８４３は、平面的（たとえば、平坦）であってもよいということが認識されるべきである。
【０１６６】
第１のポール８３４は、第１のポール面８４４を画定し得、第２のポール８３６は、第２のポール面８４６を画定し得、第３のポール８３８は、第３のポール面８４８を画定し得、第４のポール８４０は、第４のポール面８５０を画定し得る。第１のポール面８４４および第３のポール面８４８は、凹形表面を画定し得る（たとえば、第１および第２の導電性エレメント８１０、８２０の底部表面８１４、８２４と同様の凹形湾曲を有している）。第１のポール８３４は、第１の導電性エレメント８１０の開口部の中に配設され得、第３のポール８３８は、第２の導電性エレメント８２０の開口部の中に配設され得る。第１のポール８３４は、第１の導電性エレメント８１０の形状と実質的に同様の断面形状（たとえば、丸みを帯びた正方形のように形状決めされた断面形状）を有し得、第３のポール８３８は、第２の導電性エレメント８２０の形状と実質的に同様の断面形状（たとえば、丸みを帯びた正方形のように形状決めされた断面形状）を有し得る。
【０１６７】
さらに、図示されている例では、第１のポール面８４４は、第１の導電性エレメント８１０の底部表面８１４を越えて延在し得、第３のポール面８４８は、第２の導電性エレメント８２０の底部表面８２４を越えて延在し得る。具体的には、第１の導電性エレメント８１０の第１のポール面８４４および底部表面８１４は、互いに平行になっていなくてもよく、第２の導電性エレメント８２０の第３のポール面８４８および底部表面８２４は、互いに平行になっていなくてもよい。しかし、いくつかの例では、第１のポール８３４および／または第３のポール８３８は、それぞれ、第１および第２の導電性エレメント８１０、８２０を通って延在し得、第１のポール面８４４および底部表面８１４が互いに平行（たとえば、同心円状の湾曲）であるようになっており、ならびに／または、第３のポール面８４８および底部表面８２４が互いに平行（たとえば、同心円状の湾曲）であるようになっている。さらに、いくつかの例では、第１のポール面８４４は、第１の導電性エレメント８１０の底部表面８１４と実質的に平面的になっていることがあり、および／または第３のポール面８４８は、第２の導電性エレメント８２０の底部表面８２４と実質的に平面的になっていることがあるということが認識されるべきである。
【０１６８】
第２のポール８３６および／または第４のポール８５０ は、（たとえば、図示されているように）フック形状とすることができる。第２のポール８３６および／または第４のポール８５０は、それぞれ、第１および第２の導電性エレメント８１０、８２０を（たとえば、図示されているように、たとえば、少なくとも部分的に）包み込み得る。たとえば、第２のポール８３６は、第１のポール８３４から延在し得、第１の導電性エレメント８１０の上側表面８１２を包み込み得る。たとえば、第２のポール８３６は、第２のポール面８４６が第１の導電性エレメントの底部表面８１４と実質的に平面的になることができるようにサイズ決めおよび形状決めされ得る（たとえば、第２のポール面８４６は、上部表面８１２および底部表面８１４が出会う平面の中に存在し得る）。同様に、第４のポール８４０は、第３のポール８３８から延在し得、第２の導電性エレメント８２０の上側表面８２２を包み込み得る。たとえば、第４のポール８４０は、第４のポール面８５０が第２の導電性エレメント８２０の底部表面８２４と実質的に平面的になることができるようにサイズ決めおよび形状決めされ得る（たとえば、第４のポール面８５０は、上部表面８２２および底部表面８２４が出会う平面の中に存在し得る）。しかし、いくつかの例では、第２のポール８３６および／または第４のポール８５０は、それらのそれぞれのポール面が異なって位置し得るようにサイズ決めおよび形状決めされ得るということが認識されるべきである。
【０１６９】
図示されていないが、いくつかの例では、強磁性コンポーネント８３０は、たとえば、被験者の頭部の生体構造に対して、調節可能であるように構成され得る（たとえば、強磁性コンポーネント８３０の湾曲が調節可能であり得る）。たとえば、強磁性コンポーネント８３０は、複数のピースを含み得、強磁性コンポーネント８３０の１つもしくは複数のピースが、強磁性コンポーネント８３０の１つもしくは複数の他のピースに対して調節可能であるように構成され得るようになっており、および／または、強磁性コンポーネント８３０のピースのうちの２つ以上が、（たとえば、強磁性コンポーネント８３０のピース同士の間にヒンジを使用することを通して）互いに対して調節可能（たとえば、枢動可能に調節可能）であるように構成され得るようになっている。
【０１７０】
治療コイル８００は、治療コイル８００が被験者の複数の（たとえば、２つの）ターゲットエリアを治療するために使用され得るように、駆動されるように構成され得る。たとえば、治療または診断手順の間に、第１の導電性エレメント８１０が第１のポール面８４４と第２のポール面８４６との間を包むエリアが第１のターゲットエリアの上方に設置され得るように、および、第２の導電性エレメント８２０が第３のポール面８４８と第４のポール面８５０との間を包むエリアが被験者の第２のターゲットエリアの上方に設置され得るように、治療コイル８００は配設され得る。その後に、治療コイル８００は、治療システムおよび／または磁気刺激システムのドライブ回路によって駆動され得る。たとえば、駆動されるときに、電流が、第１の導電性エレメント８１０を通って第１の方向（たとえば、図８Ｂに図示されているように、下の視点から見たときに時計回り方向）に循環するように、および、電流が、第２の導電性エレメント８２０を通って反対の第２の方向（たとえば、図８Ｂに図示されているように、下の視点から見たときに反時計回り方向）に循環するように、または、その逆もまた同様であるように、治療コイル８００が構成され得る。
【０１７１】
結果として、治療コイル８００は、ターゲット場所のそれぞれに１つずつ、２つの活性化ゾーンを誘導する磁場を発生させるように構成され得る。活性化ゾーンは、（たとえば、それぞれ、第１の導電性エレメント８１０が第１のポール面８４４と第２のポール面８４６との間を包むエリアの実質的に下方において、および、第２の導電性エレメント８２０が第３のポール面８４８と第４のポール面８５０との間を包むエリアの実質的に下方において、）半楕円形の形状を画定し得る。たとえば、治療コイル８００は、また、強磁性コンポーネント８３０の本体部８４３の中心の下のエリアにおいて刺激ゾーンを誘導しない状態で、２つの活性化ゾーンを誘導する磁場を発生させるように構成され得る。
【０１７２】
さらに、強磁性コンポーネント８３０の第２および第４のポール８３６、８４０を含めることは、第２および第４のポール８３６、８４０を備えない強磁性コンポーネント８３０を含んだ同様の治療コイルによって生成されることとなるシミュレーション ゾーンよりも局所化および分離されている２つの活性化ゾーンを生成させるように作用し得るということが認識されるべきである。したがって、第２および第４のポール８３６、８４０は、治療コイル８００によって発生させられる２つの活性化ゾーンをさらに増強するように作用する。すなわち、第２および第４のポール８３６、８４０は、２つの活性化ゾーンを強化するかまたはさらに明確化することがあり、ここで、たとえば、第２および第４のポール８３６、８４０がより大きくおよび／またはより厚くされるほど、２つの活性化ゾーンがより明確化されるようになる（たとえば、より大きいおよび／またはより厚い第２および第４のポール８３６、８４０は、治療コイル８００によって発生させられる磁場によって引き起こされる電界に関して、より強力な勾配を生成させることを支援する）。さらに、治療コイル８００によって発生させられる２つの活性化ゾーンは、互いのミラーイメージになっていることがある。
【０１７３】
図示されているように、治療コイル８００は、互いに平行になっている２つの活性化ゾーンの中に電界を含む磁場を発生させるように構成され得る。しかし、いくつかの例では、治療コイル８００は、それが互いに平行になっていない２つの活性化ゾーンの中に電界を含む磁場を発生させるように構成され得るということが認識されるべきである。たとえば、治療コイル８００のポール８３４、８３６、８３８、８４０のうちの１つまたは複数は、ポールの中心が治療コイル８００の他のポール８３４、８３６、８３８、８４０のうちの１つまたは複数と平行にならないように整合させられ得る。たとえば、第１および第２のポール８３４、８３６は、互いに平行になっているが、第３および第４のポール８３８、８４０と平行になっていなくてもよい。
【０１７４】
治療コイル８００は、第１および第２の導電性エレメント８１０、８２０が駆動されるときに、結果として生じる活性化ゾーンが被験者の脳の中に２つの独立したエリアを包含するように構成され得る。被験者の脳の中のエリアは、脳の異なる機能的な領域と相関付けられ得る。たとえば、治療コイル８００は、被験者の脳の中の２つの異なるエリアを刺激するために使用され得、たとえば、第１の導電性エレメント８１０の下方におよびそれに近接して位置付けされている第１のエリア、ならびに、第２の導電性エレメント８２０の下方におよびそれに近接して位置付けされている第２のエリアなどを刺激するために使用され得る。脳の２つのエリアの中の電流は、同じ方向または異なる方向に（たとえば、時計回りにおよび／または反時計回りに）移動し得る。
【０１７５】
治療コイル８００によって発生させられる磁場によって誘導される活性化ゾーンは、刺激ゾーンまたはサブ刺激ゾーンとすることができる。刺激ゾーンは、治療コイル８００によって発生させられるパルス状磁場によって引き起こされる誘導電流が脳のニューロンの脱分極閾値を上回るレベルとすることができ、一方、サブ刺激ゾーンは、誘導電流が脳のニューロンの脱分極閾値を下回るレベルとすることができる。さらに、２つの活性化ゾーンおよび２つの治療エリアを参照して説明されているが、治療コイル８００は、（たとえば、特定の治療または診断手順に応じて、）より多くのまたはより少ない患者の治療エリアのためにより多くのまたはより少ない活性化ゾーンを誘導する磁場を発生させるために使用され得る。
【０１７６】
治療コイル８００は、導電性エレメント８１０、８２０および強磁性コンポーネント８３０が互いに支持されるように構成され得る。たとえば、治療コイル８００は、強磁性コンポーネント５３０ が導電性エレメント８１０、８２０を支持するように構成され得る。導電性エレメント８１０、８２０および強磁性コンポーネント８３０のうちの一方または両方は、１つまたは複数の相補的な取り付け部材（図示せず）を含み得、１つまたは複数の相補的な取り付け部材は、強磁性コンポーネント８３０への導電性エレメント８１０、８２０の取り付け（たとえば、解放可能な取り付け）を可能にするように構成されている。１つまたは複数の取り付け部材は、導電性エレメント８１０、８２０および強磁性コンポーネント８３０が互いに固定して支持されるように構成され得る。１つまたは複数の取り付け部材は、導電性エレメント８１０、８２０および強磁性コンポーネント８３０が互いに移動可能（たとえば、再位置決め可能）であるように構成され得る。
【０１７７】
導電性エレメント８１０、８２０が強磁性コンポーネント８３０によって支持されている（たとえば、強磁性コンポーネント８３０に取り付けられている）ときには、導電性エレメント８１０、８２０は、たとえば誘電体を使用して、強磁性コンポーネント８３０から電気的に隔離され得る。誘電体は、空気とすることができ、導電性エレメント８１０、８２０が強磁性コンポーネント８３０に取り付けられているときに、導電性エレメント８１０、８２０は、強磁性コンポーネント８３０から間隔を置いて配置され得る（たとえば、強磁性コンポーネント８３０と直接接触していない）。導電性エレメント８１０、８２０は、任意の適切な電気的に隔離する（たとえば、誘電体）材料から作製されている１つまたは複数の取り付け部材を使用して、強磁性コンポーネント８３０に取り付けられ得る。
【０１７８】
図９Ａおよび図９Ｂは、例示的な治療コイル９００を示しており、例示的な治療コイル９００は、ヒト被験者（図示せず）などのような被験者のターゲット生体構造の中に変化する磁場を発生させるように構成されている。被験者のターゲット生体構造は、たとえば、被験者の脳組織とすることができる。治療コイル９００は、第１の導電性エレメント９１０、第２の導電性エレメント９２０、第３の導電性エレメント９６０、第１の強磁性コンポーネント９３０、第２の強磁性コンポーネント９７０、および第３の強磁性コンポーネント９８０を含む。治療コイル９００は、たとえば、図１に示されているように、ＴＭＳ治療の準備のために、または、ＴＭＳ治療の間に、被験者の頭部に近接して配設され得る。治療コイル９００の導電性エレメントおよび強磁性コンポーネントの組み合わせは、集合的に、たとえば、電磁石と称され得る。治療コイル９００は、図示されているものよりも多いまたは少ない導電性エレメントおよび／または強磁性コンポーネントを含み得るということが認識されるべきである（たとえば、強磁性コンポーネント９７０、９８０の一方または両方が省略され得る）。導電性エレメントは、導電性巻線と称され得る。第１、第２、および第３の導電性エレメント９１０、９２０、９６０は、たとえば銅などのような、適切な電気伝導度を示す任意の材料から作製され得る。
【０１７９】
第１および第２の導電性エレメント９１０、９２０は、形状が半楕円形になっていてもよい（たとえば、丸みを帯びた長方形の形状になっている）。さらに、いくつかの例では、第１および第２の導電性エレメント９１０、９２０は、別の形状とすることができ、たとえば、形状が円形などになっていてもよい。いくつかの例では、第１および第２の導電性エレメント９１０、９２０は、一緒に、８の字コイルまたはＢ字形状のコイルを形成し得る。第１の導電性エレメント９１０は、上側表面９１２、底部表面９１４、内側表面、および外側表面９１６を画定し得る。同様に、第２の導電性エレメント９２０は、上側表面９２２、底部表面９２４、内側表面、および外側表面９２６を画定し得る。第１の導電性エレメント９１０の外側表面９１６は、凹部９１８（たとえば、窪み部）、第１のレッジ部９１９ａ、および第２のレッジ部（図示せず）を画定し得、ここで、凹部  ９１８は、外側表面９１６の第１のレッジ部と第２のレッジ部との間に延在し得る。同様に、第２の導電性エレメント９２０の外側表面９２６は、凹部 ９２８、第１のレッジ部９２９ａ、および第２のレッジ部９２９ｂを画定し得、ここで、凹部９２８は、外側表面９２６の第１のレッジ部９２９ａと第２のレッジ部９２９ｂとの間に延在し得る。さらに、治療コイル９００は、（たとえば、図示されているように）第１の凹部９１８が第２の導電性エレメント９２０に近接して存在するように、および、第２の凹部９２８が（たとえば、第１の導電性エレメントからより遠くに離れるように）治療コイル９００の外側に沿って存在するように構成され得る。しかし、第１および第２の導電性エレメント９１０、９２０は、それらのそれぞれの凹部９１８、９２８が第１の強磁性コンポーネント９３０の第１および第２のポール９３４、９３６の周りのどこかに存在するように位置し得るということが認識されるべきである。
【０１８０】
第３の導電性エレメント９６０は、形状が円形とすることができる。さらに、いくつかの例では、第３の導電性エレメント９６０は、別の形状とすることができ、たとえば、楕円形などになっていてもよい。第３の導電性エレメント９６０は、上側表面９６２、底部表面９６４、内側表面９６６、および外側表面９６８を画定し得る。第３の導電性エレメント９６０は、円形の切頭円錐形のように形状決めされ得る。たとえば、上側表面９６２は、第１の周囲を画定し得、底部表面９６４は、第２の周囲を画定し得、第２の周囲は、第１の周囲よりも大きくし得る。しかし、いくつかの例では、上側表面９６２および底部表面９６４は、同じ周囲を画定し得るということが認識されるべきである。さらに、いくつかの例では、第３の導電性エレメント９６０は、１つまたは複数のベンドまたはキンクを含み得るということが認識されるべきである。たとえば、第３の導電性エレメント９６０は、第３の導電性エレメント９６０の上側表面９６２および底部表面９６４が平面的（たとえば、平坦）にならないように屈曲させられ得る。たとえば、第３の導電性エレメント９６０は、上側表面９６２および底部表面９６４が鋭角をそれぞれ画定するように屈曲させられ得る（たとえば、第３の導電性エレメント９６０が「Ｖ」の断面形状を有するようになっている）。
【０１８１】
第１、第２、および第３の導電性エレメント９１０、９２０、９６０は、同じ数のターン（たとえば、アンプターン）、たとえば、図示されているように単一のターンを画定し得る。しかし、いくつかの例では、第１の導電性エレメント９１０、第２の導電性エレメント９２０、および／または第３の導電性エレメント９６０は、複数のターンを画定し得るということが認識されるべきである。たとえば、いくつかの例では、導電性エレメント９１０、９２０、９６０の任意の組み合わせは、異なる数のターンを画定し得る（たとえば、第３の導電性エレメント９６０は、複数のターンを画定し得、一方、第１および第２の導電性エレメント９１０、９２０は、単一のターンを画定している）。さらに、いくつかの例では、治療コイル９００は、追加的な導電性エレメント、および／または、複数のループ（たとえば、アンプターン）を画定する導電性エレメントを含み得る。
【０１８２】
第１の導電性エレメント９１０、第２の導電性エレメント９２０、および／もしくは第３の導電性エレメント９６０は、導電性材料の単一のモノリシックのピースから形成され得、または、第１、第２、および第３の導電性エレメント９１０、９２０、９６０のうちの１つもしくは複数は、ワイヤーの複数のストランドによって形成され得る。いくつかの例では、治療コイル９００は、導電性エレメント９１０、９２０、９６０および強磁性コンポーネント９３０、９７０、９８０を収容するハウジング（図示せず）を含み得る。
【０１８３】
第１の強磁性コンポーネント９３０は、適切な強磁性の特性を示す任意の材料、たとえば、粉末状の強磁性の鉄粒子などから作製され得る。第１の強磁性コンポーネント９３０は、主本体部９３２および複数のポールを含み得、複数のポールは、たとえば、主本体部９３２から延在している、第１のポール９３４および第２のポール９３６などである。２つのポールを有するものとして図示されているが、いくつかの例では、第１の強磁性コンポーネント９３０は、２つよりも多いまたは少ないポールを含み得る複数のポール（たとえば、第１および第２のポール９３４、９３６）は、主本体部９３２から（たとえば、主本体部９３２の底部表面から）外向きに延在し得る。
【０１８４】
第１の強磁性コンポーネント９３０の主本体部９３２は、突起部９３３を画定し得、突起部９３３は、主本体部９３２の上部表面から上向きに延在している。突起部９３３を備えて図示されているが、いくつかの例では、第１の強磁性コンポーネント９３０は、突起部９３３を含まなくてもよい。主本体部９３２は、たとえば、図示されているように、湾曲し得る。たとえば、主本体部９３２の上部表面は、凸形表面を画定し得、一方、主本体部の底部表面は、平面的な表面（たとえば、平坦な表面）を画定し得る。したがって、上部表面は、非平面的になっていてもよく、底部表面は、平面的になっていてもよい。さらに、いくつかの例では、主本体部９３２の上部表面および／または底部表面の湾曲は、図示されているものよりも大きいまたは小さい湾曲を画定し得るということが認識されるべきである（たとえば、底部表面が湾曲していてもよい）。そのうえ、いくつかの例では、主本体部９３２の上部表面は、平面的（たとえば、平坦）であってもよいということが認識されるべきである。
【０１８５】
第１および第２のポール９３４、９３６は、１つまたは複数のポール面を画定し得る。たとえば、第１のポール９３４は、第１のポール面９４２および第２のポール面９４４を画定し得、第２のポール９３６は、第３のポール面９４６および第４のポール面９４８を画定し得る。第１のポール９３４は、第１の導電性エレメント９１０の開口部の中に配設され得、第２のポール９３６は、第２の導電性エレメント９２０の開口部の中に配設され得る。第１のポール９３４は、第１の導電性エレメント９１０の形状と実質的に同様の断面形状（たとえば、半楕円形の断面形状）を有してもよく、第２のポール９３６は、第２の導電性エレメント９２０の形状と実質的に同様の断面形状（たとえば、半楕円形の断面形状）を有してもよい。
【０１８６】
第１のポール面９４２および第２のポール面９４４は、互いから角度的にオフセットされ得る（たとえば、図示されているように、たとえば鈍角を画定するなど、垂直になっていない）。同様に、第３のポール面９４６および第４のポール面９４８は、互いから角度的にオフセットされ得る（たとえば、図示されているように、たとえば鈍角を画定するなど、垂直になっていない）。第１および第２のポール面９４２、９４４は、第３および第４のポール面９４６、９４８に向けて角度を付けられていてもよい。たとえば、第１のポール面９４２の中心軸線は、（たとえば、本体部９３２の中心の直ぐ下方において）第３のポール面９４６の中心軸線と交差してもよく、一方、第２のポール面９４４の中心軸線は、（たとえば、本体部９３２の中心の直ぐ下方において）第４のポール面９４８の中心軸線と交差してもよい。
【０１８７】
さらに、図示されている例では、第１および第２のポール面９４２、９４４は、第１の導電性エレメント９１０の底部表面９１４の平面を越えて延在し得、第３および第４のポール面９４６、９４８は、第２の導電性エレメント９２０の底部表面９２４の平面を越えて延在することができる。しかし、いくつかの例では、第１および／または第２のポール９３４、９３６のうちの１つまたは複数は、単一のポールを画定し得る、単一のポールは、それぞれ、第１または第２の導電性エレメント９１０、９２０の底部表面９１４、９２４と実質的に平面的になっていることがあるということが認識されるべきである。
【０１８８】
図示されていないが、いくつかの例では、第１の強磁性コンポーネント９３０は、たとえば、被験者の頭部の生体構造に対して、調節可能であるように構成され得る（たとえば、第１の強磁性コンポーネント９３０の湾曲が調節可能であり得る）。たとえば、第１の強磁性コンポーネント９３０は、複数のピースを含み得、第１の強磁性コンポーネント９３０の１つもしくは複数のピースが、第１の強磁性コンポーネント９３０の１つもしくは複数の他のピースに対して調節可能であるように構成され得るようになっており、および／または、第１の強磁性コンポーネント９３０のピースのうちの２つ以上が、（たとえば、第１の強磁性コンポーネント９３０のピース同士の間にヒンジを使用することを通して）互いに対して調節可能（たとえば、枢動可能に調節可能）であるように構成され得るようになっている。
【０１８９】
治療コイル９００は、また、第２および第３の強磁性コンポーネント９７０、９８０を含み得る。第２および第３の強磁性コンポーネント９７０、９８０は、線形形状になっていることがある（たとえば、細長い長方形の断面形状を有している）。第２および第３の強磁性コンポーネント９７０、９８０は、第１の強磁性コンポーネント９３０の第１のポール９３４と第２のポール９３６との間に（および、たとえば、第１の導電性エレメント９１０と第２の導電性エレメント９２０との間に）配設され得る。第２および第３の強磁性コンポーネント９７０、９８０は、（たとえば、第２および第３の強磁性コンポーネント９７０、９８０を含まない状態の治療コイル９００によって発生させられる磁場と比較して、）治療コイル９００によって発生させられる磁場の形状を変更するために使用され得る（たとえば、患者の頭部の中へ深くなるほど磁場が低くなる）。さらに、第２および第３の強磁性コンポーネント９７０、９８０は、また、（たとえば、第２および第３の強磁性コンポーネント９７０、９８０を含まない状態の治療コイル９００によって発生させられる磁場と比較して、）治療コイル９００の電気的な遮蔽を改善することがあり得、ならびに／または、治療コイル９００によって発生させられる磁場によって引き起こされる刺激に近接する表面を低減させ得る。
【０１９０】
第３の導電性エレメント９６０は、たとえば、外部導電性エレメントまたはハロー導電性エレメント（halo conductive element）と称され得る。その理由は、第３の導電性エレメント９６０が患者の冠状面の周りを回るように構成され得るからである。さらに、第１および第２の導電性エレメント９１０、９２０ならびに強磁性コンポーネント９３０、９７０、９８０は、それらが第３の導電性エレメント９６０の開口部の上方に存在するように構成され得る。そうであるので、第３の導電性エレメント９６０は、治療コイル９００の残りの部分に対して外部にあると考えられ得る。たとえば、第１および第２の導電性エレメント９１０、９２０ならびに第１および第２のポール９３４、９３６（たとえば、第１および第２のポール９３４、９３６のポール面９４２、９４４、９４６、９４８のうちの１つまたは複数）の任意の組み合わせ（たとえば、すべてを含む）のそれぞれの中心軸線は、第３の導電性エレメント９６０の開口部を通過し得る。
【０１９１】
さらに、第１および第２の導電性エレメント９１０、９２０は、それらが第３の導電性エレメント９６０の中心軸線から非対称的にオフセットされるように配設され得る。たとえば、第１および第２の導電性エレメント９１０、９２０ならびに強磁性コンポーネント９３０、９７０、９８０は、第３の導電性エレメント９６０の中心軸線からオフセットされ得る。すなわち、第２の導電性エレメント９２０が第３の導電性エレメント９６０に対して存在するよりも、第１の導電性エレメント９１０が第３の導電性エレメント９６０のより近くに存在するように、治療コイル９００は構成され得る。たとえば、第１の導電性エレメント９１０の中心軸線は、第２の導電性エレメント９２０の中心軸線が第３の導電性エレメント９６０に対してあるよりも、第３の導電性エレメント９６０のより近くにあり得る。したがって、本明細書でより詳細に議論されることとなるように、第３の導電性エレメント９６０は、リターン電流を波及させるように、および、活性化ゾーンの外側の電流を低減させる（たとえば、ＴＭＳ手順の間に、たとえば眼、副鼻腔などの周りの刺激に近接する表面を低減させる）ように作用し得る。
【０１９２】
治療コイル９００は、治療コイル９００が被験者の複数の（たとえば、２つの）ターゲットエリアを治療するために使用され得るように、駆動されるように構成され得る。たとえば、治療または診断手順の間に、第１の導電性エレメント９１０が第３の導電性エレメント９６０に近接しているエリアが被験者の第１のターゲットエリアの上方に設置され得るように、治療コイル９００は配設され得る。たとえば、第１の導電性エレメント９１０の外側表面９１６が第３の導電性エレメント９６０の内側表面９６６に近接しているエリアが、被験者の第１のターゲットエリアの上方に設置され得るように、治療コイル９００は配設され得る。さらに、第２および第３の強磁性コンポーネント９７０、９８０の下のエリアが、第２のターゲットエリアの上方に設置され得るように、治療コイル９００は配設され得る。その後に、治療コイル９００は、治療システムおよび／または磁気刺激システムのドライブ回路によって駆動され得る。たとえば、駆動されるときに、電流が、第１および第３の導電性エレメント９１０、９６０を通って１つの方向（たとえば、図９Ｂに図示されているように、下の視点から見たときに時計回り方向）に循環し、一方、電流が、第２の導電性エレメント９２０を通って反対方向（たとえば、図９Ｂに図示されているように、下の視点から見たときに反時計回り方向）に循環するように、治療コイル９００が構成され得る。
【０１９３】
結果として、治療コイル９００は、ターゲット場所のそれぞれに１つずつ、２つの活性化ゾーンを誘導する磁場を発生させるように構成され得る。第１の活性化ゾーンは、（たとえば、第１の導電性エレメント９１０の外側表面９１６が第３の導電性エレメント９６０の内側表面９６６に近接しているエリアの実質的に下方において）細長い長円形の形状を画定し得る。第２の活性化ゾーンは、（たとえば、第２および第３の強磁性コンポーネント９７０、９８０の実質的に下方において）半楕円形の形状を画定し得る。たとえば、第１の活性化ゾーンは、引き伸ばされた丸みを帯びた長方形の形状を画定し得、たとえば、第３の導電性エレメント９６０の湾曲によって画定される湾曲に沿って引き伸ばされている丸みを帯びた長方形の形状を画定し得る。治療コイル９００は、２つの活性化ゾーンを生成させるように構成され得、また、活性化ゾーンの両方に関するリターン電流が治療コイル９００の一方の側にあることを保証することによって、それを行うように構成され得る。たとえば、導電性エレメント９１０、９２０、９６０のリターン電流は、互いに近接して位置し得、一方、活性化ゾーンは、また、互いに近接して位置付けされている。たとえば、第３の導電性エレメント９６０の底部表面９６４および／または外側表面９６８の下方のエリアに近接して、ならびに、第２の導電性エレメント９２０の凹部９２８の下方のエリアに近接して、リターン電流が存在するように（たとえば、リターン電流は、治療コイル９００の一方の側において両方の状況になっている）、治療コイル９００は駆動され得、一方、たとえば、活性化エリアは、上記に説明されている２つのターゲットエリアに近接し得る。さらに、強磁性コンポーネント９７０、９８０を含めることは、２つの活性化ゾーンをさらに分離または明確化するように作用し得るということが認識されるべきである。
【０１９４】
そのうえ、治療コイル９００は、また、第１の活性化ゾーンと第２の活性化ゾーンとの間のエリアの中に刺激ゾーンを誘導しない状態で、２つの活性化ゾーンを誘導する磁場を発生させるように構成され得るということが認識されるべきである。さらに、治療コイル９００は、また、第３の導電性エレメント９６０の底部表面９６４および／または外側表面９６８の下方にあるエリアの中に刺激ゾーンを誘導しないように構成され得る。すなわち、治療コイル９００は、第３の導電性エレメント９６０によって画定される開口部の中および／または下に、複数の活性化ゾーンを誘導するが、第３の導電性エレメント９６０の開口部の下方のエリアの外側には刺激ゾーンを誘導しないように構成され得る。
【０１９５】
さらに、第３の導電性エレメント９６０の中心軸線からの第１および第２の導電性エレメント９１０、９２０ならびに強磁性コンポーネント９３０、９７０、９８０のオフセットに部分的に起因して、第３の導電性エレメント９６０は、リターン電流を波及させるように、および、活性化ゾーンの外側の電流を低減させる（たとえば、ＴＭＳ手順の間に、たとえば眼、副鼻腔などの周りの刺激に近接する表面を低減させる）ように作用し得るということが認識されるべきである。たとえば、第１および第２の導電性エレメント９１０、９２０ならびに強磁性コンポーネント９３０、９７０、９８０の組み合わせは、第１の活性化ゾーン（たとえば、電流が同じ方向に進んでいる場所）を発生させるために第３の導電性エレメント９６０に向けて傾けられるように、および、反対側（たとえば、電流が反対方向に進んでいる場所、したがって、たとえば、電流が互いに交錯しない場所）において第３の導電性エレメント９６０から離れるように傾けられるように構成され得る。
【０１９６】
治療コイル９００は、さまざまな治療および診断手順において使用され得る。たとえば、治療コイル９００は、患者の眼のそれぞれの上方の前頭ポールを刺激するために使用され得る。そのような場合において、患者の眼窩または副鼻腔を通って流れる電流を有することを回避することが望ましい。いくつかの例では、第３の導電性エレメント９６０は、ヘッドバンドのように患者の頭部の周りに配設され得、第１の導電性エレメント９１０が第３の導電性エレメント９６０に近接しているエリアが、被験者の眼の一方の前頭ポールの上方に設置され得、第２および第３の強磁性コンポーネント９７０、９８０の下のエリアが、被験者の眼の他方の前頭ポールの上方に設置され得る。
【０１９７】
治療コイル９００は、導電性エレメントが駆動されるときに、結果として生じる活性化ゾーンが被験者の脳の中に２つの独立したエリアを包含するように構成され得る。被験者の脳の中のエリアは、脳の異なる機能的な領域と相関付けられ得る。たとえば、治療コイル９００は、被験者の脳の中の２つの異なるエリアを刺激するために使用され得、たとえば、第１の導電性エレメント９１０の下方におよびそれに近接して位置付けされている第１のエリア、ならびに、第１の導電性エレメント９１０が第３の導電性エレメント９６０に近接しているエリアの下方におよびそれに近接して位置付けされている第２のエリアなどを刺激するために使用され得る。脳の２つのエリアの中の電流は、同じ方向または異なる方向に（たとえば、時計回りにおよび／または反時計回りに）移動し得る。
【０１９８】
治療コイル９００によって発生させられる磁場によって誘導される活性化ゾーンは、刺激ゾーンまたはサブ刺激ゾーンとすることができる。刺激ゾーンは、治療コイル９００によって発生させられるパルス状磁場によって引き起こされる誘導電流が脳のニューロンの脱分極閾値を上回るレベルとすることができ、一方、サブ刺激ゾーンは、誘導電流が脳のニューロンの脱分極閾値を下回るレベルとすることができる。さらに、２つの活性化ゾーンおよび２つの治療エリアを参照して説明されているが、治療コイル９００は、（たとえば、特定の治療または診断手順に応じて、）より多くのまたはより少ない患者の治療エリアのためにより多くのまたはより少ない活性化ゾーンを誘導する磁場を発生させるために使用され得る。
【０１９９】
治療コイル９００は、導電性エレメント９１０、９２０、９６０および強磁性コンポーネント９３０、９７０、９８０が互いに支持されるように構成され得る。たとえば、治療コイル９００は、第１の強磁性コンポーネント９３０が導電性エレメント９１０、９２０、９６０ならびに第２および第３の強磁性コンポーネント９７０、９８０を支持するように構成され得る。導電性エレメント９１０、９２０、９６０および強磁性コンポーネント９３０、９７０、９８０のうちの１つまたは複数は、１つまたは複数の相補的な取り付け部材（図示せず）を含み得、１つまたは複数の相補的な取り付け部材は、第１の強磁性コンポーネント９３０への導電性エレメント９１０、９２０、９６０ならびに第２および第３の強磁性コンポーネント９７０、９８０の取り付け（たとえば、解放可能な取り付け）を可能にするように構成されている。１つまたは複数の取り付け部材は、導電性エレメント９１０、９２０、９６０および強磁性コンポーネント９３０、９７０、９８０が互いに固定して支持されるように構成され得る。１つまたは複数の取り付け部材は、導電性エレメント９１０、９２０、９６０および強磁性コンポーネント９３０、９７０、９８０が互いに移動可能（たとえば、再位置決め可能）であるように構成され得る。
【０２００】
導電性エレメント９１０、９２０、９６０ならびに第２および第３の強磁性コンポーネント９７０、９８０が第１の強磁性コンポーネント９３０によって支持されている（たとえば、第１の強磁性コンポーネント９３０に取り付けられている）ときには、導電性エレメント９１０、９２０、９６０は、たとえば誘電体を使用して、強磁性コンポーネント９３０、９７０、９８０から電気的に隔離され得る。誘電体は、空気とすることができ、導電性エレメント９１０、９２０、９６０が強磁性コンポーネント９３０、９７０、９８０に取り付けられているときに、導電性エレメント９１０、９２０、９６０は、強磁性コンポーネント９３０、９７０、９８０から間隔を置いて配置され得る（たとえば、強磁性コンポーネント９３０、９７０、９８０と直接接触していない）。導電性エレメント９１０、９２０、９６０ならびに第２および第３の強磁性コンポーネント９７０、９８０は、任意の適切な電気的に隔離する（たとえば、誘電体）材料から作製されている１つまたは複数の取り付け部材を使用して、第１の強磁性コンポーネント９３０に取り付けられ得る。さらに、いくつかの例では、第１および第２の導電性エレメント９１０、９２０ならびに強磁性コンポーネント９３０、９７０、９８０の組み合わせは、互いに支持され得、一方、第３の導電性エレメント９６０は、治療コイル９００の中におよび治療コイル９００から外へ相互交換され得るということが認識されるべきである。
【０２０１】
図１０Ａ〜図１０Ｂは、例示的な治療コイル１０００を示しており、例示的な治療コイル１０００は、ヒト被験者（図示せず）などのような被験者のターゲット生体構造の中に変化する磁場を発生させるように構成されている。被験者のターゲット生体構造は、たとえば、被験者の脳組織とすることができる。治療コイル１０００は、第１の導電性エレメント１０１０、第２の導電性エレメント１０２０、第３の導電性エレメント１０３０、第１の強磁性コンポーネント１０４０、および第２の強磁性コンポーネント１０５０を含む。治療コイル１０００は、たとえば、図１に示されているように、ＴＭＳ治療の準備のために、または、ＴＭＳ治療の間に、被験者の頭部に近接して配設され得る。導電性エレメント１０１０、１０２０、１０３０および強磁性コンポーネント１０４０、１０５０の組み合わせは、集合的に、たとえば、電磁石と称され得る。治療コイル１０００は、図示されているものよりも多いまたは少ない導電性エレメントおよび／または強磁性コンポーネントを含み得るということが認識されるべきである。導電性エレメントは、導電性巻線と称され得る。
【０２０２】
第１、第２、および第３の導電性エレメント１０１０、１０２０、１０３０は、たとえば銅などのような、適切な電気伝導度を示す任意の材料から作製され得る。第１および第２の導電性エレメント１０１０、１０２０は、１つまたは複数のベンドを含み得る。たとえば、第１の導電性エレメント１０１０は、Ｂ字形状のコイルを形成し得、同様に、第２の導電性エレメント１０２０は、Ｂ字形状のコイルを形成し得る。第１の導電性エレメント１０１０は、底部表面１０１２、上側表面１０１４、内側表面１０１６、および外側表面１０１８を画定し得る。第２の導電性エレメント１０２０は、底部表面１０２２、上側表面１０２４、内側表面１０２６、および外側表面１０２８を画定し得る。
【０２０３】
第３の導電性エレメント１０３０は、形状が半楕円形になっていてもよい（たとえば、丸みを帯びた長方形の形状になっている）。さらに、いくつかの例では、第３の導電性エレメント１０３０は、別の形状とすることができ、たとえば、形状が円形になっていてもよい。第３の導電性エレメント１０３０は、底部表面１０３２、上側表面１０３４、内側表面１０３６、および外側表面１０３８を画定し得る。第２の導電性エレメント１０２０は、第３の導電性エレメント１０３０の開口部の中に配設され得る。たとえば、第３の導電性エレメント１０３０は、第２の導電性エレメント１０２０を取り囲むように構成され得る。さらに、第１、第２、および／または第３の導電性エレメントは、湾曲していてもよい。たとえば、第１、第２、および／または第３の導電性エレメントの上側表面１０１４、１０２４、１０３４は、凹形になっていてもよく、一方、第１、第２、および／または第３の導電性エレメントの底部表面１０１２、１０２２、１０３２は、凸形とすることができる。しかし、いくつかの例では、第１、第２、および／または第３の導電性エレメント１０１０、１０２０、１０３０の上側表面および／または底部表面１０１４、１０１２、１０２４、１０２２、１０３４、１０３２のうちの１つまたは複数は、平面的（たとえば、平坦）であってもよいということが認識されるべきである。
【０２０４】
第１、第２、および／または第３の導電性エレメント１０１０、１０２０、１０３０は、同じ数のターン（たとえば、アンプターン）、たとえば、図示されているように単一のターンを画定し得る。しかし、いくつかの例では、第１、第２、および／または第３の導電性エレメント１０１０、１０２０、１０３０のうちの任意の１つまたは複数は、複数のターンを画定し得るということが認識されるべきである。さらに、第１、第２、および／または第３の導電性エレメント１０１０、１０２０、１０３０の任意の組み合わせは、第１、第２、および／または第３の導電性エレメント１０１０、１０２０、１０３０のうちの別のものとは異なる数のターンを画定し得る。そのうえ、いくつかの例では、治療コイル１０００は、追加的な導電性エレメント、および／または、複数のループ（たとえば、アンプターン）を画定する導電性エレメントを含み得るということが認識されるべきである。たとえば、第１の導電性エレメント１０１０は、１つもしくは複数の追加的なおよびオーバーラップする導電性エレメントを含み得（たとえば、第１の導電性エレメント１０１０は、複数のループを画定し得る）、第２の導電性エレメント１０２０は、１つもしくは複数の追加的なおよびオーバーラップする導電性エレメントを含み得（たとえば、第２の導電性エレメント１０２０は、複数のループを画定し得る）、ならびに／または、第３の導電性エレメント１０３０は、１つもしくは複数の追加的なおよびオーバーラップする導電性エレメントを含み得る（たとえば、第３の導電性エレメント１０３０は、複数のループを画定し得る）。第１、第２、および／もしくは第３の導電性エレメント１０１０、１０２０、１０３０は、個別に、導電性材料の単一のモノリシックのピースから形成され得、または、第１、第２、および／もしくは第３の導電性エレメント１０１０、１０２０、１０３０のうちの１つもしくは複数は、ワイヤーの複数のストランドによって形成され得る。
【０２０５】
第１および第２の強磁性コンポーネント１０４０、１０５０は、適切な強磁性の特性を示す任意の材料、たとえば、粉末状の強磁性の鉄粒子などから作製され得る。第１の強磁性コンポーネント１０４０は、主本体部１０４１および複数のポールを含み得、複数のポールは、たとえば、主本体部１０４１から延在している、第１のポール１０４２および第２のポール１０４３などである。同様に、第２の強磁性コンポーネント１０５０は、主本体部１０５１および複数のポールを含み得、複数のポールは、たとえば、主本体部１０５１から延在している、第１のポール１０５２および第２のポール１０５３などである。第１の強磁性コンポーネント１０４０の第１および第２のポール１０４２、１０４３は、主本体部１０４１から（たとえば、主本体部１０４１の底部表面１０４５から）外向きに延在し得る。同様に、第２の強磁性コンポーネント１０５０の第１および第２のポール１０５２、１０５３は、主本体部１０５１から（たとえば、主本体部１０５１の底部表面１０５５から）外向きに延在し得る。２つのポールを有するものとして図示されているが、いくつかの例では、第１および第２の強磁性コンポーネント１０４０、１０５０のうちの一方または両方は、２つよりも多いまたは少ないポールを含み得る。さらに、いくつかの例では、第１の強磁性コンポーネント１０４０は、第２の強磁性コンポーネント１０５０とは異なる数のポールを含み得る。
【０２０６】
第１の強磁性コンポーネント１０４０の主本体部１０４１は、上部表面１０４４および底部表面１０４５を画定し得る。第１の強磁性コンポーネント１０４０の主本体部１０４１の上部表面１０４４および／または底部表面１０４５は、平面的（たとえば、平坦）であってもよい。しかし、いくつかの例では、主本体部１０４１は、たとえば、治療コイル６００の第１の強磁性コンポーネント６３０によって図示されているように、湾曲していてもよいということが認識されるべきである。同様に、第２の強磁性コンポーネント１０５０の主本体部１０５１は、上部表面１０５４および底部表面１０５５を画定し得る。第２の強磁性コンポーネント１０５０の主本体部１０５１の上部表面１０５４および／または底部表面１０５５は、平面的（たとえば、平坦）であってもよい。しかし、いくつかの例では、主本体部１０５１は、たとえば、治療コイル６００の第１の強磁性コンポーネント６３０によって図示されているように、湾曲していてもよいということが認識されるべきである。
【０２０７】
第１の強磁性コンポーネント１０４０の第１のポール１０４２は、第１のポール面１０４６を画定し得、第２のポール１０４３は、第２のポール面１０４７を画定し得る。第１のポール１０４２は、第１の導電性エレメント１０１０によって画定される開口部（たとえば、「Ｂ」形状の第１のループ）の中に配設され得、一方、第２のポール１０４３は、第２の導電性エレメント１０２０によって画定される開口部（たとえば、「Ｂ」形状の第１のループ）の中に配設され得る。同様に、第２の強磁性コンポーネント１０５０の第１のポール１０５２は、第１のポール面１０５６を画定し得、第２のポール１０５３は、第２のポール面１０５７を画定し得る。第１のポール１０５２は、第１の導電性エレメント１０１０によって画定される開口部（たとえば、「Ｂ」形状の第２のループ）の中に配設され得、一方、第２のポール１０５３は、第２の導電性エレメント１０２０によって画定される開口部（たとえば、「Ｂ」形状の第２のループ）の中に配設され得る。したがって、第１および第２の強磁性コンポーネント１０４０、１０５０の第１および第２のポール面１０４２、１０４３、１０５２、１０５３は、第１および第２の導電性エレメント１０１０、１０２０の開口部の中に配設され得る。
【０２０８】
第１の強磁性コンポーネント１０４０の第１のポール１０４２および第２のポール１０４３は、（たとえば、第１および第２の導電性エレメント１０１０、１０２０によって画定される「Ｂ」形状の単一のループと同様の）正方形に形状決めされた断面形状を有し得る。同様に、第２の強磁性コンポーネント１０５０の第１のポール１０５２および第２のポール１０５３は、（たとえば、第１および第２の導電性エレメント１０１０、１０２０によって画定される「Ｂ」形状の単一のループと同様の）正方形に形状決めされた断面形状を有し得る。
【０２０９】
さらに、図示されている例では、第１の強磁性コンポーネント１０４０の第１のポール面１０４６は、第１の導電性エレメント１０１０の底部表面１０１６と実質的に平面的とすることができ、第２のポール面１０４７は、第２の導電性エレメント１０２０の底部表面１０２６と実質的に平面的とすることができる。同様に、第２の強磁性コンポーネント１０５０の第１のポール面１０５６は、第１の導電性エレメント１０１０の底部表面１０１６と実質的に平面的とすることができ、第２のポール面１０５７は、第２の導電性エレメント１０２０の底部表面１０２６と実質的に平面的とすることができる。しかし、いくつかの例では、第１および第２の強磁性コンポーネント１０４０、１０５０の第１および／または第２のポール面１０４６、１０４７、１０５６、１０５７のうちの１つまたは複数は、それぞれの第１および第２の導電性エレメント１０１０、１０２０の底部表面１０１６、１０２６の平面を越えて延在し得るということが認識されるべきである。
【０２１０】
図示されていないが、いくつかの例では、第１および／または第２の強磁性コンポーネント１０４０、１０５０のうちの一方または両方は、たとえば、被験者の頭部の生体構造に対して、調節可能であるように構成され得る（たとえば、強磁性コンポーネント１０４０、１０５０の湾曲が調節可能であり得る）。たとえば、第１および／もしくは第２の強磁性コンポーネント１０４０、１０５０は、複数のピースを含み得、強磁性コンポーネント１０４０、１０５０の１つもしくは複数のピースが、強磁性コンポーネント１０４０、１０５０の１つもしくは複数の他のピースに対して調節可能であるように構成され得るようになっており、ならびに／または、強磁性コンポーネント１０４０、１０５０のピースのうちの２つ以上が、（たとえば、強磁性コンポーネント１０４０、１０５０のピース同士の間にヒンジを使用することを通して）互いに対して調節可能（たとえば、枢動可能に調節可能）であるように構成され得るようになっている。
【０２１１】
治療コイル１０００は、治療コイル１０００が被験者の複数の（たとえば、２つの）ターゲットエリアを治療するために使用され得るように、駆動されるように構成され得る。たとえば、治療または診断手順の間に、第１の導電性エレメント１０１０が第１の強磁性コンポーネント１０４０の底部表面１０４５の下において第３の導電性エレメント１０３０に近接しているエリアが、第１のターゲットエリアの上方に設置され得るように、および、第１の導電性エレメント１０１０が第２の強磁性コンポーネント１０５０の底部表面１０５５の下において第３の導電性エレメント１０３０に近接しているエリアが、被験者の第２のターゲットエリアの上方に設置され得るように、治療コイル１０００は配設され得る。その後に、治療コイル１０００は、治療システムおよび／または磁気刺激システムのドライブ回路によって駆動され得る。たとえば、駆動されるときに、電流が、第１の導電性エレメント１０１０を通って第１の同じ方向（たとえば、図１０Ｂに図示されているように、下の視点から見たときに反時計回り方向）に循環するように、ならびに、電流が、第２および第３の導電性エレメント１０２０、１０３０を通って異なる第２の方向（たとえば、図１０Ｂに図示されているように、下の視点から見たときに時計回り方向）に循環するように、治療コイル１０００が構成され得る。
【０２１２】
結果として、治療コイル１０００は、ターゲット場所のそれぞれに１つずつ、２つの活性化ゾーンを誘導する磁場を発生させるように構成され得る。活性化ゾーンは、（たとえば、それぞれ、第１の導電性エレメント１０１０が第１の強磁性コンポーネント１０４０の底部表面１０４５の下において第３の導電性エレメント１０３０に近接しているエリアに近接する第１のターゲットエリアにおいて、および、 第１の導電性エレメント１０１０が第２の強磁性コンポーネント１０５０の底部表面１０５５の下において第３の導電性エレメント１０３０に近接しているエリアに近接する第２のターゲットエリアにおいて、）半楕円形の形状を画定し得る。たとえば、治療コイル１０００は、また、第１の強磁性コンポーネント１０４０と第２の強磁性コンポーネント１０５０との間のエリアの中に刺激ゾーンを誘導しない状態で、２つの活性化ゾーンを誘導する磁場を発生させるように構成され得る。
【０２１３】
２つの活性化ゾーンは、同じ方向に流れる電流を有し得る。たとえば、第１および第３の導電性エレメント１０１０、１０３０が互いに対して最も近くなっている場所において、第１の導電性エレメント１０１０および第３の導電性エレメント１０３０を通って流れる電流が、同じ方向に流れているので、治療コイル１０００は、同じ方向に流れる電流を有する２つの活性化ゾーンを発生させるように構成され得る。いくつかの例示的な手順では、第１の強磁性コンポーネント１０４０の第１のポール面１０４６が患者の一方の眼に近接して配設され、第１のポール面１０５６が患者の他方の眼に近接して配設され、第１および第２の強磁性コンポーネント１０４０、１０５０の第２のポール面１０４７、１０５７が患者の頭部の上部の近くに位置付けされるように、治療コイル１０００は配設され得る。
【０２１４】
いくつかの例では、強磁性コンポーネント１０４０、１０５０のうちの一方または両方は、強磁性コンポーネント１０４０、１０５０が互いに対して平行にならないようにシフトされ得るということが認識されるべきである。そのような場合において、治療コイル１０００は、図１０Ａ〜図１０Ｂの図示されている実施形態からシフトされている２つの活性化ゾーンを発生させるように構成され得る。あるいは、または追加的に、いくつかの例では、強磁性コンポーネント１０４０、１０５０のうちの一方または両方は、長さが延長または短縮され得る。最後に、いくつかの例では、導電性エレメント１０１０、１０２０、１０３０のうちの１つまたは複数は、平面的とすることができ、たとえば、治療コイル１０００が異なる頭部形状を収容するように構成され得るようになっている。
【０２１５】
治療コイル１０００は、第１、第２、および第３の導電性エレメント１０１０、１０２０、１０３０が駆動されるときに、結果として生じる活性化ゾーンが被験者の脳の中に２つの独立したエリアを包含するように構成され得る。被験者の脳の中のエリアは、脳の異なる機能的な領域と相関付けられ得る。たとえば、治療コイル１０００は、被験者の脳の中の２つの異なるエリアを刺激するために使用され得、たとえば、第１の強磁性コンポーネントの第２のポール面１０４７の下方におよびそれに近接して位置付けされている第１のエリア、ならびに、第２の強磁性コンポーネントの第２のポール面１０５７の下方におよびそれに近接して位置付けされている第２のエリアなどを刺激するために使用され得る。脳の２つのエリアの中の電流は、同じ方向または異なる方向に（たとえば、時計回りにおよび／または反時計回りに）移動し得る。
【０２１６】
治療コイル１０００によって発生させられる磁場によって誘導される活性化ゾーンは、刺激ゾーンまたはサブ刺激ゾーンとすることができる。刺激ゾーンは、治療コイル１０００によって発生させられるパルス状磁場によって引き起こされる誘導電流が脳のニューロンの脱分極閾値を上回るレベルとすることができ、一方、サブ刺激ゾーンは、誘導電流が脳のニューロンの脱分極閾値を下回るレベルとすることができる。さらに、２つの活性化ゾーンおよび２つの治療エリアを参照して説明されているが、治療コイル１０００は、（たとえば、特定の治療または診断手順に応じて、）より多くのまたはより少ない患者の治療エリアのためにより多くのまたはより少ない活性化ゾーンを誘導する磁場を発生させるために使用され得る。
【０２１７】
いくつかの例では、治療コイル１０００は、第１、第２、および第３の導電性巻線１０１０、１０２０、１０３０ならびに第１および第２の強磁性コンポーネント１０４０、１０５０を収容するハウジング（図示せず）を含み得る。また、いくつかの例では、第１の強磁性コンポーネント１０４０の第１のポール が、一方の導電性エレメントの開口部の中に配設されるように構成されている場合、および、第２の強磁性コンポーネント１０５０の第１のポール面が、他方の導電性エレメントの開口部の中に配設されるように構成されている場合、第１の導電性エレメント１０１０は、２つの半楕円形の導電性エレメントと交換され得る。同様に、第２の導電性エレメント１０２０は、また、２つの半楕円形の導電性エレメントと交換され得る。
【０２１８】
治療コイル１０００は、導電性エレメント１０１０、１０２０、１０３０および強磁性コンポーネント１０４０、１０５０が互いに支持されるように構成され得る。たとえば、治療コイル１０００は、強磁性コンポーネント１０４０、１０５０が導電性エレメント１０１０、１０２０、１０３０を支持するように構成され得る。導電性エレメント１０１０、１０２０、１０３０および強磁性コンポーネント１０４０、１０５０のうちの一方または両方は、１つまたは複数の相補的な取り付け部材（図示せず）を含み得、１つまたは複数の相補的な取り付け部材は、強磁性コンポーネント１０４０、１０５０への導電性エレメント１０１０、１０２０、１０３０の取り付け（たとえば、解放可能な取り付け）を可能にするように構成されている。１つまたは複数の取り付け部材は、導電性エレメント１０１０、１０２０、１０３０および強磁性コンポーネント１０４０、１０５０が互いに固定して支持されるように構成され得る。１つまたは複数の取り付け部材は、導電性エレメント１０１０、１０２０、１０３０および強磁性コンポーネント１０４０、１０５０が互いに移動可能（たとえば、再位置決め可能）であるように構成され得る。
【０２１９】
導電性エレメント１０１０、１０２０、１０３０が強磁性コンポーネント１０４０、１０５０によって支持されている（たとえば、強磁性コンポーネント１０４０、１０５０に取り付けられている）ときには、導電性エレメント１０１０、１０２０、１０３０は、たとえば誘電体を使用して、強磁性コンポーネント１０４０、１０５０から電気的に隔離され得る。誘電体は、空気であり得、導電性エレメント１０１０、１０２０、１０３０が強磁性コンポーネント１０４０、１０５０に取り付けられているときに、導電性エレメント１０１０、１０２０、１０３０は、強磁性コンポーネント１０４０、１０５０から間隔を置いて配置され得る（たとえば、強磁性コンポーネント１０４０、１０５０と直接接触していない）。導電性エレメント１０１０、１０２０、１０３０は、任意の適切な電気的に隔離する（たとえば、誘電体）材料から作製されている１つまたは複数の取り付け部材を使用して、強磁性コンポーネント１０４０、１０５０に取り付けられ得る。
【０２２０】
図１１Ａ〜図１１Ｈは、例示的な治療コイル１１００を示しており、例示的な治療コイル１１００は、ヒト被験者（図示せず）などのような被験者のターゲット生体構造の中に変化する磁場を発生させるように構成されている。被験者のターゲット生体構造は、たとえば、被験者の脳組織とすることができる。治療コイル１１００は、第１の導電性エレメント１１１０、第２の導電性エレメント１１２０、第３の導電性エレメント１１３０、第１の強磁性コンポーネント１１４０、第２の強磁性コンポーネント１１５０、第３の強磁性コンポーネント１１６０、第４の強磁性コンポーネント１１７０、第５の強磁性コンポーネント１１７５、第６の強磁性コンポーネント１１８０、第７の強磁性コンポーネント１１８５、第８の強磁性コンポーネント１１９０ａ、および第９の強磁性コンポーネント１１９０ｂを含む。治療コイル１１００は、たとえば、図１に示されているように、ＴＭＳ治療の準備のために、または、ＴＭＳ治療の間に、被験者の頭部に近接して配設され得る。導電性エレメントおよび強磁性コンポーネントの組み合わせは、集合的に、たとえば、電磁石と称され得る。導電性エレメントは、導電性巻線と称され得る。
【０２２１】
図１１Ｃ〜図１１Ｈにおいて、強磁性コンポーネント（たとえば、第１、第２、第３、第９、および第１０  の強磁性コンポーネント１１４０、１１５０、１１６０、１１９０ａ、１１９０ｂ）は、図示および説明の目的のために、治療コイル１１００から分離され得る。しかし、治療コイル１１００が使用されるときには、強磁性コンポーネント（たとえば、第１、第２、第３、第９、および第１０の強磁性コンポーネント１１４０、１１５０、１１６０、１１９０ａ、１１９０ｂ）自身同士の間のギャップ、ならびに／または、強磁性コンポーネント（たとえば、第１、第２、第３、第９、および第１０の強磁性コンポーネント１１４０、１１５０、１１６０、１１９０ａ、１１９０ｂ）と導電性エレメントとの間のギャップが、低減または排除され得るということが認識されるべきである。さらに、より詳細に本明細書で説明されているように、治療コイル１１００は、図示されているものよりも多いまたは少ない導電性エレメントおよび／または強磁性コンポーネントを含み得る。たとえば、強磁性コンポーネントの任意の組み合わせは、たとえば、治療または診断手順（たとえば、ターゲット生体構造）、患者（たとえば、患者の頭部）のサイズおよび／または形状などに基づいて、治療コイル１１００から排除され得る。
【０２２２】
図１１Ａ〜図１１Ｂは、第１の導電性エレメント１１１０、第２の導電性エレメント１１２０、および第３の導電性エレメント１１３０を図示している。第１、第２、および第３の導電性エレメント１１１０、１１２０、１１３０は、たとえば銅などのような、適切な電気伝導度を示す任意の材料から作製され得る。第１の導電性エレメント１１１０は、形状が半楕円形になっていてもよい（たとえば、丸みを帯びた正方形の形状になっている）。しかし、いくつかの例では、第１の導電性エレメント１１１０は、別の形状とすることができ、たとえば、形状が円形になっていてもよいということが認識されるべきである。第１の導電性エレメント１１１０は、内側表面１１１２、外側表面１１１４、上側表面１１１３、および底部表面１１１５を画定し得る。
【０２２３】
第２および第３の導電性エレメント１１２０、１１３０は、形状が半楕円形になっていてもよい（たとえば、丸みを帯びた長方形のように形状決めされ得る）。さらに、いくつかの例では、第２および第３の導電性エレメント１１２０、１１３０は、別の形状とすることができ、たとえば、形状が円形になっていてもよいということが認識されるべきである。第２の導電性エレメント１１２０は、内側表面１１２２、外側表面１１２４、上側表面１１２３、および底部表面１１２５を画定し得る。同様に、第３の導電性エレメント１１３０は、内側表面１１３２、外側表面１１３４、上側表面１１３３、および底部表面１１３５を画定し得る。第２および／または第３の導電性エレメント１１２０、１１３０は、たとえば、図示されているように、下向きに屈曲させられ得る。たとえば、第２の導電性エレメント１１２０の底部表面１１２５は、凹形にとすることができ、一方、上側表面１１２３は、凸形とすることができる。同様に、第３の導電性エレメント１１３０の底部表面１１３５は、凹形とすることができ、一方、上側表面１１３３は、凸形とすることができる。しかし、いくつかの例では、第２および／または第３の導電性エレメント１１２０、１１３０の上側表面および／または底部表面１１２３／１１２５、１１３３／１１３５のうちの１つまたは複数は、平面的とすることができる（たとえば、第２および／または第３の導電性エレメント１１２０、１１３０が屈曲させられないようになっている）ということが認識されるべきである。
【０２２４】
第３の導電性エレメント１１３０は、第２の導電性エレメント１１２０よりも大きい周囲を画定し得、第２の導電性エレメント１１２０は、第１の導電性エレメント１１１０よりも大きい周囲を画定し得る。第１の導電性エレメント１１１０は、第２の導電性エレメント１１２０の開口部の中に少なくとも部分的に存在し得、第２の導電性エレメント１１２０は、第３の導電性エレメント１１３０の開口部の中に少なくとも部分的に存在し得る。すなわち、第３の導電性エレメント１１３０は、第１および／または第２の導電性エレメント１１１０、１１２０のうちの１つまたは複数を取り囲む（たとえば、全体的にまたは実質的に取り囲む）ことができ、第２の導電性エレメント１１２０は、第１の導電性エレメント１１１０を取り囲む（たとえば、全体的にまたは実質的に取り囲む）ことができる。
【０２２５】
第１、第２、および／もしくは第３の導電性エレメント１１１０、１１２０、１１３０は、導電性材料の単一のモノリシックのピースから形成され得、または、第１、第２、および／もしくは第３の導電性エレメント１１１０、１１２０、１１３０のうちの１つもしくは複数は、ワイヤーの複数のストランドによって形成され得る。第１、第２、および／または第３の導電性エレメント１１１０、１１２０、１１３０の任意の組み合わせは、同じ数のターン（たとえば、アンプターン）、たとえば、図示されているように単一のターンを画定し得る。しかし、いくつかの例では、第２の導電性エレメント１１２０および／または第３の導電性エレメント１１３０は、複数のターンを画定し得るということが認識されるべきである。たとえば、いくつかの例では、第１の導電性エレメント１１００が、第１の数のターンを画定し得、一方、第２および／または第３の導電性エレメント１１２０、１１３０のうちの一方または両方が、異なる第２の数のターンを画定し得る。
【０２２６】
図１１Ｃ〜図１１Ｄは、第１の導電性エレメント１１１０、第２の導電性エレメント１１２０、第３の導電性エレメント１１３０、および第１の強磁性コンポーネント１１４０を図示している。第１の強磁性コンポーネント１１４０は、適切な強磁性の特性を示す任意の材料、たとえば、粉末状の強磁性の鉄粒子などから作製され得る。第１の強磁性コンポーネント１１４０は、上部表面１１４２、底部表面１１４４、および、８つの外側表面（ラベル付けされていない）を画定し得る。上部表面１１４２、底部表面１１４４、および外側表面のそれぞれは、平面的とすることができる。しかし、いくつかの例では、上部表面１１４２、底部表面１１４４、および／または、外側表面の任意の組み合わせのうちの１つまたは複数は、湾曲していてもよく、または、その他の方法で形状決めされてもよいということが認識されるべきである。底部表面１１４４は、第１の強磁性コンポーネント１１４０のポール面と称され得る。
【０２２７】
第１の強磁性コンポーネント１１４０は、第１の強磁性コンポーネント１１４０が第１の導電性エレメント１１１０の開口部の中に少なくとも部分的に存在することができるように、サイズ決めおよび形状決めされ得る。たとえば、第１の強磁性コンポーネント１１４０は、より幅の広い上部部分１１４５およびより幅の狭い底部部分１１４８を含み得る。たとえば、第１の強磁性コンポーネント１１４０は、第１の強磁性コンポーネント１１４０の断面形状が「Ｔ」形状になるように形状決めされ得る。しかし、いくつかの例では、第１の強磁性コンポーネント１１４０は、他の形状とすることができ、たとえば、全体を通して均一な幅を画定し得るということが認識されるべきである。
【０２２８】
上部部分１１４５は、反対の側部１１４６、１１４７を含み得る。上部部分１１４５は、第１の導電性エレメント１１１０の上部表面１１１３の上方に、および、第１の導電性エレメント１１１０の開口部の外側に存在し得、一方、底部部分１１４８は、第１の導電性エレメント１１１０の開口部の中に（たとえば、部分的にまたは全体的に）存在し得る。さらに、第１の強磁性コンポーネント１１４０の底部表面１１４４は、第１の導電性エレメント１１１０の底部表面１１１５と平面的になっていてもよく、または、（たとえば、示されているように）非平面的になっていてもよい。最後に、第１の強磁性コンポーネント１１４０は、第２または第３の導電性エレメント１１２０、１１３０のうちの１つまたは複数の開口部の中に（たとえば、部分的にまたは全体的に）存在し得る（その理由は、たとえば、第１の導電性エレメント１１１０が、第２または第３の導電性エレメント１１２０、１１３０の１つまたは複数の開口部の中に少なくとも部分的に存在し得るからである）ということが認識されるべきである。
【０２２９】
図１１Ｅ〜図１１Ｆは、第１の導電性エレメント１１１０、第２の導電性エレメント１１２０、第３の導電性エレメント１１３０、第１の強磁性コンポーネント１１４０、第２の強磁性コンポーネント１１５０、および第３の強磁性コンポーネント１１６０を図示している。第２および第３の強磁性コンポーネント１１５０、１１６０は、適切な強磁性の特性を示す任意の材料、たとえば、粉末状の強磁性の鉄粒子などから作製され得る。第２の強磁性コンポーネント１１５０は、上部表面１１５２、底部表面１１５４、第１のポール面１１５６、および第２のポール面１１５８を画定し得る。第２の強磁性コンポーネント１１５０は、たとえば、図示されているように、湾曲していてもよい。たとえば、上部表面１１５２は、凸形表面を画定し得、一方、底部表面１１５４は、凹形表面を画定し得る。したがって、上部表面１５２は、非平面的とすることができ、底部表面１１５４は、非平面的とすることができる。さらに、いくつかの例では、第２の強磁性コンポーネント１１５０の上部表面１１５２および／または底部表面１１５４の湾曲は、図示されているものよりも大きいまたは小さい湾曲を画定し得るということが認識されるべきである。そのうえ、いくつかの例では、第２の強磁性コンポーネント１１５０の上部表面１１５２および／または底部表面１１５４は、平面的（たとえば、平坦）であってもよいということが認識されるべきである。
【０２３０】
第３の強磁性コンポーネント１１６０は、上部表面１１６２、底部表面１１６４、第１のポール面１１６６、および第２のポール面１１６８を画定し得る。第３の強磁性コンポーネント１１６０は、たとえば、図示されているように、湾曲していてもよい。たとえば、上部表面１１６２は、凸形表面を画定し得、一方、底部表面１１６４は、凹形表面を画定し得る。したがって、上部表面１６２ は、非平面的とすることができ、底部表面１１６４は、非平面的とすることができる。さらに、いくつかの例では、第３の強磁性コンポーネント１１６０の上部表面１１６５２ および／または底部表面１１６４の湾曲は、図示されているものよりも大きいまたは小さい湾曲を画定し得るということが認識されるべきである。そのうえ、いくつかの例では、第３の強磁性コンポーネント１１６０の上部表面１１６２および／または底部表面１１６４は、平面的（たとえば、平坦）であってもよいということが認識されるべきである。さらに、第２および第３の強磁性コンポーネント１１５０、１１６０の第１および第２のポール面１１５６、１１５８、１１６６、１１６８は、平面的（たとえば、平坦）になっているものとして図示されているが、第２および第３の強磁性コンポーネント１１５０、１１６０の第１および第２のポール面１１５６、１１５８、１１６６、１１６８の任意の組み合わせが湾曲していてもよい。
【０２３１】
（たとえば、図１１Ｅの斜視図から）持ち上げられているものとして図示されているが、第２および第３の強磁性コンポーネント１１５０、１１６０は、（たとえば、治療コイル１１００が使用中のときには）第１の強磁性コンポーネント１１４０と整合するように低下させられ得る。たとえば、第２の強磁性コンポーネント１１５０の第１のポール面１１５６は、第１の強磁性コンポーネント１１４０の側部１１４６に近接して配設され得、第３の強磁性コンポーネント１１６０の第１のポール面１１６６は、第１の強磁性コンポーネント１１４０の側部１１４７に近接して配設され得る。そうであるので、第２および第３の強磁性コンポーネント１１５０、１１６０の上部表面１１５２、１１６２は、第１の強磁性コンポーネントの上部表面１１４２と整合し得、底部表面１１５４、１１６４は、第１の強磁性コンポーネント１１４０の上部部分１１４５と底部部分１１４８との間のインターフェースと整合し得、第１、第２、および第３の強磁性コンポーネント１１４０、１１５０、１１６０の外側表面は整合し得る。さらに、いくつかの例では、第１の強磁性コンポーネント１１４０と整合するように低下させられているときには、第２および第３の強磁性コンポーネント１１５０、１１６０の第２のポール面１１５８、１１６８は、第３の導電性エレメント１１３０の底部表面１１３５と平面的とすることができる。
【０２３２】
第１、第２、および第３の強磁性コンポーネント１１４０、１１５０、１１６０は、（たとえば、図示されているように）線形に整合させられ得る。たとえば、第１、第２、および第３の強磁性コンポーネント１１４０、１１５０、１１６０の外側表面は、同じ平面の中に存在し得る。しかし、いくつかの例では、第１、第２、および／または第３の強磁性コンポーネント１１４０、１１５０、１１６０のうちの１つまたは複数は、非線形の様式で整合させられ得るということが認識されるべきである。
【０２３３】
第２および第３の強磁性コンポーネント１１５０、１１６０は、実質的に同じサイズおよび形状とすることができる。しかし、いくつかの例では、第２および第３の強磁性コンポーネント１１５０、１１６０は、図示されているものとは異なるサイズおよび／または形状を有し得る。さらに、いくつかの例では、第２の強磁性コンポーネント１１５０のサイズまたは形状は、（たとえば、治療コイル１１００によって発生させられる磁場のサイズおよび／または形状をシフトさせるために）第３の強磁性コンポーネント１１６０のサイズまたは形状とは異なっていてもよい。
【０２３４】
図１１Ｇ〜図１１Ｈは、第１の導電性エレメント１１１０、第２の導電性エレメント１１２０、第３の導電性エレメント１１３０、第１の強磁性コンポーネント１１４０、第２の強磁性コンポーネント１１５０、第３の強磁性コンポーネント１１６０、第４の強磁性コンポーネント１１７０、第５の強磁性コンポーネント１１７５、第６の強磁性コンポーネント１１８０、第７の強磁性コンポーネント１１８５、第８の強磁性コンポーネント１１９０ａ、および第９の強磁性コンポーネント１１９０ｂを図示している。第４、第５、第６、第７、第８、および第９の強磁性コンポーネント１１７０、１１７５、１１８０、１１８５、１１９０ａ、１１９０ｂは、適切な強磁性の特性を示す任意の材料、たとえば、粉末状の強磁性の鉄粒子などから作製され得る。
【０２３５】
第４の強磁性コンポーネント１１７０は、外側表面１１７１、内側表面（図示せず）、上側表面１１７２、底部表面１１７３、および、２つの端部表面１１７４ａ、１１７４ｂを画定し得る。同様に、第６の強磁性コンポーネント１１８０は、外側表面１１８１、内側表面１１８１ａ、上側表面１１８２、底部表面１１８３、および、２つの端部表面１１８４ａ、１１８４ｂを画定し得る。第４および第６の強磁性コンポーネント１１７０、１１８０の上側表面１１７２、１１８２、底部表面１１７３、１１８３、および端部表面１１７４ａ／ｂ、１１８４ａ／ｂのそれぞれは、平面的とすることができる。しかし、いくつかの例では、第４および第６の強磁性コンポーネント１１７０、１１８０の上側表面１１７２、１１８２、底部表面１１７３、１１８３、および、端部表面１１７４ａ／ｂ、１１８４ａ／ｂのうちの１つまたは複数は、湾曲していてもよく、または、その他の方法で形状決めされてもよいということが認識されるべきである。
【０２３６】
第４および第６の強磁性コンポーネント１１７０、１１８０は、湾曲していてもよい。たとえば、第４および第６の強磁性コンポーネント１１７０、１１８０の内側表面は、凹形とすることができ、一方、第４および第６の強磁性コンポーネント１１７０、１１８０の外側表面１１７１、１１８１は、凸形とすることができる。たとえば、第４および第６の強磁性コンポーネント１１７０、１１８０の内側表面および外側表面の湾曲は、それぞれ、第５および第７の強磁性エレメント１１７５、１１８５の外側表面の湾曲と実質的に同様とすることができ、および／または、第３の導電性エレメント１１３０の湾曲と同様とすることができる。しかし、第４および第６の強磁性コンポーネント１１７０、１１８０の内側表面および外側表面の湾曲は、図１３Ｇ〜図１３Ｈ に図示されているものに限定されない。
【０２３７】
第４および第６の強磁性コンポーネント１１７０、１１８０は、実質的に同じサイズおよび形状とすることができる。しかし、いくつかの例では、第４および第６の強磁性コンポーネント１１７０、１１８０は、図示されているものとは異なるサイズおよび／または形状を有し得る。さらに、いくつかの例では、第４の強磁性コンポーネント１１７０のサイズまたは形状は、（たとえば、治療コイル１１００によって発生させられる磁場のサイズおよび／または形状をシフトさせるために）第６の強磁性コンポーネント１１８０のサイズまたは形状とは異なっていてもよい。
【０２３８】
第５の強磁性コンポーネント１１７５は、上側表面１１７６、外側表面１１７７、底部表面（図示せず）、および内側表面１１７８を画定し得る。同様に、第７の強磁性コンポーネント１１８５は、上側表面１１８６、外側表面１１８７、底部表面１１８８、および内側表面１１８９を画定し得る。第５および第７の強磁性コンポーネント１１７５、１１８５は、湾曲していてもよい（たとえば、部分的に湾曲していてもよい）。たとえば、第５および第７の強磁性コンポーネント１１７５、１１８５の外側表面１１７７、１１８７は、凸形とすることができる。たとえば、第５および第７の強磁性コンポーネント１１７５、１１８５は、半円形の断面形状を有し得る。
【０２３９】
第５および第７の強磁性コンポーネント１１７５、１１８５の内側表面は、平面的（たとえば、平坦）であってもよい。たとえば、第５および第７の強磁性コンポーネント１１７５、１１８５の内側表面は、第１の強磁性コンポーネント１１４０の外側表面に対して平行とすることができる。第４および第５の強磁性コンポーネント１１７０、１１７５の組み合わせは、第１、第２、および／または第３の導電性エレメント１１１０、１１２０、１１３０のうちの１つまたは複数の一部分（たとえば、上部部分および外側部分）をカバーし得る。同様に、第６および第７の強磁性コンポーネント１１８０、１１８５の組み合わせは、第１、第２、および／または第３の導電性エレメント１１１０、１１２０、１１３０のうちの１つまたは複数の一部分（たとえば、上部部分および外側部分）をカバーし得る。
【０２４０】
さらに、いくつかの例では、第２および第３の強磁性コンポーネント１１５０、１１６０が第１の強磁性コンポーネント１１４０と整合させられているときには、第５および／または第７の強磁性コンポーネント１１７５、１１８５の内側表面と第１、第２、および第３の強磁性コンポーネント１１４０、１１５０、１１６０の外側表面との間に、ギャップが存在し得る。しかし、いくつかの例では、第２および第３の強磁性コンポーネント１１５０、１１６０が第１の強磁性コンポーネント１１４０と整合させられているときに、第５および／または第７の強磁性コンポーネント１１７５、１１８５の内側表面と第１、第２、および第３の強磁性コンポーネント１１４０、１１５０、１１６０の外側表面との間に、ギャップが存在していなくてもよいということが認識されるべきである。
【０２４１】
第８の強磁性コンポーネント１１９０ａは、外側表面１１９６ａ、上部表面１１９２ａ、左表面および右表面、ならびに、ポール１１９４ａを画定する底部表面を画定し得る。同様に、第９の強磁性コンポーネント１１９０ｂは、外側表面１１９６ｂ、上部表面１１９２ｂ、左表面および右表面、ならびに、ポール１１９４ｂを画定する底部表面を画定し得る。第８および第９の強磁性コンポーネント１１９０ａ、１１９０ｂの上側表面は、それぞれ、第２のポール面１１５８、１１６８と同様のサイズおよび形状（たとえば、同一のサイズおよび形状）のものとすることができる。さらに、第８および第９の強磁性コンポーネント１１９０ａ、１１９０ｂの上側表面は、それぞれ、第２のポール面１１５８、１１６８に対して平行とすることができる。治療コイル１１００が使用中のときには、第８および第９の強磁性コンポーネント１１９０ａ、１１９０ｂの上側表面は、それぞれ、第２のポール面１１５８、１１６８に近接して設置され得る（および、たとえば、第２のポール面１１５８、１１６８に潜在的に固定され得る）。
【０２４２】
第８および第９の強磁性コンポーネント１１９０ａ、１１９０ｂのポール１１５８、１１６８は、角度を付けられていてもよい。たとえば、第８の強磁性コンポーネント１０９０ ａのポール面１１５８は、第８の強磁性コンポーネント１０９０ａの上側表面１１９２ａと鋭角を形成し得る。同様に、第９の強磁性コンポーネント１０９０ ｂのポール面１１６８は、第９の強磁性コンポーネント１０９０ｂの上側表面１１９２ｂと鋭角を形成し得る。いくつかの例では、第８および第９の強磁性コンポーネント１１９０ａ、１１９０ｂは、治療コイル１１００から省略され得、または、図７Ｃに図示されている第４および第５の強磁性コンポーネント７４５ａ、７４５ｂ、ならびに／もしくは、図７Ｄに図示されている第６および第７の強磁性コンポーネント７４５ｃ、７４５ｄなどのような、任意の望ましいサイズおよび形状の他の強磁性コンポーネントと置換され得る。
【０２４３】
図１１Ｃ〜図１１Ｈにおいて、強磁性コンポーネント（たとえば、第１、第２、第３、第９、および第１０の 強磁性コンポーネント１１４０、１１５０、１１６０、１１９０ａ、１１９０ｂ）は、図示および説明の目的のために、治療コイル１１００から分離され得る。しかし、治療コイル１１００が使用されるときには、強磁性コンポーネント（たとえば、第１、第２、第３、第９、および第１０の強磁性コンポーネント１１４０、１１５０、１１６０、１１９０ａ、１１９０ｂ）自身同士の間のギャップ、ならびに／または、強磁性コンポーネント（たとえば、第１、第２、第３、第９、および第１０の強磁性コンポーネント１１４０、１１５０、１１６０、１１９０ａ、１１９０ｂ）と導電性エレメントとの間のギャップが、低減または排除され得るということが認識されるべきである。
【０２４４】
第１、第２、および第３の導電性エレメント１０１０、１０２０、１０３０が第２の強磁性コンポーネント１１５０の底部表面１１５４に近接しているエリアが、第１のターゲットエリアの上方に設置され得るように、ならびに、第１、第２、および第３の導電性エレメント１０１０、１０２０、１０３０が第３の強磁性コンポーネント１１６０の底部表面１１６４に近接しているエリアが、被験者の第２のターゲットエリアの上方に設置され得るように（または、たとえば、第９の強磁性コンポーネント１１９０ｂが含まれている場合には、ポール１１９４ｂが、第２のターゲットエリアの上方に設置され得る）、治療コイル１１００が配設され得る。その後に、治療コイル１１００は、治療システムおよび／または磁気刺激システムのドライブ回路によって駆動され得る。たとえば、駆動されるときに、電流が、第１、第２、および第３の導電性エレメント１１１０、１１２０、１１３０を通って同じ方向（たとえば、図１１Ｈに図示されているように、下の視点から見たときに反時計回り方向）に循環するように、または、その逆もまた同様であるように、治療コイル１１００が構成され得る。
【０２４５】
結果として、治療コイル１１００は、ターゲット場所のそれぞれに１つずつ、２つの活性化ゾーンを誘導する磁場を発生させるように構成され得、ここで、活性化ゾーンのそれぞれは、（たとえば、それぞれ、第１、第２、および第３の導電性エレメント１０１０、１０２０、１０３０が第２の強磁性コンポーネント１１５０の底部表面１１５４に近接しているエリアの実質的に下方において、ならびに、第１、第２、および第３の導電性エレメント１０１０、１０２０、１０３０が第３の強磁性コンポーネント１１６０の底部表面１１６４に近接しているエリアの実質的に下方において、）楕円形の形状を有している。たとえば、治療コイル１１００は、また、第１の強磁性コンポーネント１１４０の底部表面１１４４の下のエリアにおいて刺激ゾーンを誘導しない状態で、２つの活性化ゾーンを誘導する磁場を発生させるように構成され得る。
【０２４６】
さらに、第４、第５、第６、および第７の強磁性コンポーネント１１７０、１１７５、１１８０、１１８５を含めることは、（たとえば、第４、第５、第６、および第７の強磁性コンポーネント１１７０、１１７５、１１８０、１１８５が含まれていないときと比較して、）治療コイル１０００ によって発生させられる磁場によって引き起こされるリターン電流を波及させるように作用し、たとえば、磁場によって生成される（たとえば、第１および第２のターゲットエリアの下の）２つの活性化ゾーンをさらに明確化し、２つの活性化ゾーンが融合して単一の活性化ゾーン（たとえば、第１の強磁性コンポーネント１１４０の底部表面１１４４の下のエリアを含む単一の長円形または円形の形状の活性化ゾーン）になることを防止し得る。すなわち、第４、第５、第６、および第７の強磁性コンポーネント１１７０、１１７５、１１８０、１１８５を含めることは、第４および第６の強磁性コンポーネント１１７０、１１８０の実質的に下にあり、それに近接しているエリアにリターン電流を波及させることによって、治療コイル１１００によって発生させられる磁場を歪める。たとえば、第４、第５、第６、および第７の強磁性コンポーネント１１７０、１１７５、１１８０、１１８５を含めることは、第１の強磁性コンポーネント１０４０の底部表面１１４４からより遠くに離れるようにリターン電流を引っ張り、たとえば、２つの活性化ゾーンを強化し、単一の活性化ゾーン（たとえば、１つの大きいリング）が結果として生じることを防止し得る。すなわち、強磁性コンポーネント１１７０、１１７５、１１８０、１１８５を含まない場合には、リターン電流は、より短い経路、たとえば、第１の導電性エレメント１０１０によって画定される経路をとり得る。そうであるので、強磁性コンポーネント１１７０、１１７５、１１８０、１１８５は、２つの活性化ゾーンが１つの大きい活性化ゾーン（たとえば、第１の強磁性コンポーネント１０４０ の底部表面１１４４の下のエリアを含む単一の活性化ゾーン）へと組み合わさらない（たとえば、融合しない）ことを保証することを支援し得る。
【０２４７】
治療コイル１１００は、図示されているものよりも多いまたは少ない導電性エレメントおよび／または強磁性コンポーネントを含み得るということが認識されるべきである。たとえば、強磁性コンポーネントの任意の組み合わせは、たとえば、治療または診断手順（たとえば、ターゲット生体構造）、患者（たとえば、患者の頭部）のサイズおよび／または形状などに基づいて、治療コイル１１００から排除され得る。いくつかの例では、第８および第９の強磁性コンポーネント１１９０ａ、１１９０ｂは、（たとえば、患者の頭部サイズおよび／または形状に起因して）省略され得る。さらに、いくつかの例では、第４、第５、第６、および／または第７の強磁性コンポーネント１１７０、１１７５、１１８０、１１８５の任意の組み合わせは、たとえば、治療または診断手順（たとえば、特定のターゲットエリア）に基づいて省略され得る。たとえば、第４、第５、第６、および／または第７の強磁性コンポーネント１１７０、１１７５、１１８０、１１８５の任意の組み合わせの省略は、刺激ゾーンの分離に対する変化、２つの刺激ゾーンの中の電界の相対的な方向に対する変化、刺激ゾーンのうちの１つまたは複数の形状に対する変化、リターン電流に対する変化または移動、および／または、脳神経の刺激の低減などを結果として生じ得る。
【０２４８】
治療コイル１１００は、導電性エレメント１１１０、１１２０、１１３０が駆動されるときに、結果として生じる活性化ゾーンが被験者の脳の中に２つの独立したエリアを包含するように構成され得る。被験者の脳の中のエリアは、脳の異なる機能的な領域と相関付けられ得る。たとえば、治療コイル１１００は、被験者の脳の中の２つの異なるエリアを刺激するために使用され得、たとえば、第２の強磁性コンポーネント１１５０の第２のポール面１１５８の下方におよびそれに近接して位置付けされている第１のエリア、ならびに、第３の強磁性コンポーネント１１６０の第２のポール面１１６８の下方におよびそれに近接して位置付けされている第２のエリアなどを刺激するために使用され得る。脳の２つのエリアの中の電流は、同じ方向または異なる方向に（たとえば、時計回りにおよび／または反時計回りに）移動し得る。
【０２４９】
治療コイル１１００によって発生させられる磁場によって誘導される活性化ゾーンは、刺激ゾーンまたはサブ刺激ゾーンとすることができる。刺激ゾーンは、治療コイル１１００によって発生させられるパルス状磁場によって引き起こされる誘導電流が脳のニューロンの脱分極閾値を上回るレベルとすることができ、一方、サブ刺激ゾーンは、誘導電流が脳のニューロンの脱分極閾値を下回るレベルとすることができる。さらに、２つの活性化ゾーンおよび２つの治療エリアを参照して説明されているが、治療コイル１１００は、（たとえば、特定の治療または診断手順に応じて、）より多くのまたはより少ない患者の治療エリアのためにより多くのまたはより少ない活性化ゾーンを誘導する磁場を発生させるために使用され得る。
【０２５０】
いくつかの例では、治療コイル１１００は、導電性エレメント１１１０、１１２０、１１３０および強磁性コンポーネント１１４０、１１５０、１１６０、１１７０、１１７５、１１８０、１１８５、１１９０ａ、１１９０ｂの任意の組み合わせを収容するハウジング（図示せず）を含み得る。治療コイル１１００は、導電性エレメント１１１０、１１２０、１１３０および強磁性コンポーネント１１４０、１１５０、１１６０、１１７０、１１７５、１１８０、１１８５、１１９０ａ、１１９０ｂが互いに支持されるように構成され得る。たとえば、導電性エレメント１１１０、１１２０、１１３０および強磁性コンポーネント１１４０、１１５０、１１６０、１１７０、１１７５、１１８０、１１８５、１１９０ａ、１１９０ｂのうちの１つまたは複数は、１つまたは複数の相補的な取り付け部材（図示せず）を含み得、１つまたは複数の相補的な取り付け部材は、強磁性コンポーネント１１４０、１１５０、１１６０、１１７０、１１７５、１１８０、１１８５、１１９０ａ、１１９０ｂへの導電性エレメント１１１０、１１２０、１１３０の取り付け（たとえば、解放可能な取り付け）を可能にするように構成されている。１つまたは複数の取り付け部材は、導電性エレメント１１１０、１１２０、１１３０および強磁性コンポーネント１１４０、１１５０、１１６０、１１７０、１１７５、１１８０、１１８５、１１９０ａ、１１９０ｂが互いに固定して支持されるように構成され得る。１つまたは複数の取り付け部材は、導電性エレメント１１１０、１１２０、１１３０および強磁性コンポーネント１１４０、１１５０、１１６０、１１７０、１１７５、１１８０、１１８５、１１９０ａ、１１９０ｂが互いに移動可能（たとえば、再位置決め可能）であるように構成され得る。
【０２５１】
導電性エレメント１１１０、１１２０、１１３０が強磁性コンポーネント１１４０、１１５０、１１６０、１１７０、１１７５、１１８０、１１８５、１１９０ａ、１１９０ｂのうちの１つまたは複数によって支持されている（たとえば、強磁性コンポーネント１１４０、１１５０、１１６０、１１７０、１１７５、１１８０、１１８５、１１９０ａ、１１９０ｂのうちの１つまたは複数に取り付けられている）ときには、導電性エレメント１１１０、１１２０、１１３０は、たとえば誘電体を使用して、強磁性コンポーネント１１４０、１１５０、１１６０、１１７０、１１７５、１１８０、１１８５、１１９０ａ、１１９０ｂから電気的に隔離され得る。誘電体は、空気とすることができ、導電性エレメント１１１０、１１２０、１１３０が強磁性コンポーネント１１４０、１１５０、１１６０、１１７０、１１７５、１１８０、１１８５、１１９０ａ、１１９０ｂに取り付けられているときに、導電性エレメント１１１０、１１２０、１１３０は、強磁性コンポーネント１１４０、１１５０、１１６０、１１７０、１１７５、１１８０、１１８５、１１９０ａ、１１９０ｂから間隔を置いて配置され得る（たとえば、強磁性コンポーネント１１４０、１１５０、１１６０、１１７０、１１７５、１１８０、１１８５、１１９０ａ、１１９０ｂと直接接触していない）。導電性エレメント１１１０、１１２０、１１３０は、任意の適切な電気的に隔離する（たとえば、誘電体）材料から作製されている１つまたは複数の取り付け部材を使用して、強磁性コンポーネント１１４０、１１５０、１１６０、１１７０、１１７５、１１８０、１１８５、１１９０ａ、１１９０ｂのうちの１つまたは複数に取り付けられ得る。
【０２５２】
図１２は、例示的なＴＭＳ治療プロセス１２００のフロー図である。ＴＭＳ治療プロセス１２００は、たとえば、本明細書で説明されている例示的なＴＭＳデバイスのうちの１つなど（たとえば、治療コイル３００、４００、５００、６００、７００、８００、９００、１０００、または１１００のいずれか）、ＴＭＳデバイスを使用して実施され得る。
【０２５３】
１２０２において、ＴＭＳデバイス（たとえば、治療コイル）は、ＴＭＳ治療プロセス１２００における使用のために選択され得る。ＴＭＳデバイスは、（たとえば、治療コイル３００、４００、５００、６００、７００、８００、９００、１０００、または１１００による）静的な構成とすることができ、または、調節可能なおよび／もしくは再構成可能な構成を有し得る。選択されるＴＭＳデバイスが静的な構成を有する場合には、治療プロセス１２００は、１２０８へ 進む ことができる。選択されるＴＭＳデバイスが調節可能なおよび／または再構成可能な構成を有する場合には、治療プロセス１２００は、１２０４へ進むことができる。
【０２５４】
１２０４において、ＴＭＳデバイスに関して所望の治療構成が決定され得る。この決定は、所望の治療場所における被験者の生体構造に基づいて行われ得る。たとえば、決定は、被験者の頭部のサイズ、治療されるべき被験者の脳の一部分、および／または、特定の治療もしくは診断手順のうちの１つまたは複数にしたがって行われ得る。
【０２５５】
１２０６において、ＴＭＳデバイスは、決定された治療構成にしたがって、調節および／または再構成され得る。たとえば、ＴＭＳデバイス１１００が治療プロセス１２００のためのＴＭＳデバイスとして選択される場合には、１つまたは複数の強磁性コンポーネント（たとえば、第８のおよび／または第９の強磁性コンポーネント１１９０ａ、１１９０ｂ）を除去および／または交換することによって、治療コイルが再構成され得る。決定された治療構成にしたがってＴＭＳデバイスが調節および／または再構成されたときには、治療プロセス１２００は、１２０８へ進むことができる。
【０２５６】
１２０８において、ＴＭＳデバイスは、被験者の上の所望の治療場所に近接して（たとえば、被験者の頭部に近接して）位置決めされ得る。たとえば、ＴＭＳデバイスが位置決め装置に装着されている場合には、位置決め装置は、ＴＭＳデバイスの１つまたは複数の治療コイルが被験者の頭部の上の皮膚の場所の近くに配設されるように動作させられ得る。
【０２５７】
１２１０において、ＴＭＳデバイスは、被験者の中に（たとえば、被験者の頭部の中に）磁場を発生させるように動作させられ得る。たとえば、ＴＭＳデバイスと電気的に連通している制御回路が、電流のパルスをＴＭＳデバイスに送達するように動作させられ得る。１２１２において、ＴＭＳデバイスによって発生させられる磁場は、被験者の生体構造の１つまたは複数の部分（たとえば、被験者の脳の中の１つまたは複数の活性化ゾーン）を刺激するために使用され得る。例では、被験者の脳の１つまたは複数の部分は、１つまたは複数の刺激サイクルにしたがって刺激され得、それぞれの刺激サイクルは、５秒の刺激を含み、５秒レスト期間がそれに続く状態になっている。刺激は、たとえば、おおよそ１５ヘルツ（１５Ｈｚ）の周波数レートで実施され得る。
【０２５８】
治療プロセス１２００は、被験者の運動 神経の境界を決定するためにＴＭＳデバイスを使用することを含み得る。ＴＭＳデバイスは、局所化が運動閾値場所手順の間に必要とされないように構成され得る。たとえば、ＴＭＳデバイス（たとえば、治療コイル３００、４００、５００、６００、７００、８００、９００、１０００、または１１００のいずれか）は、運動閾値場所を包含する（たとえば、前後方向に）被験者の脳のストリップ形状の領域を刺激する磁場を被験者の脳の中に発生させるように構成され得る。運動閾値場所は、ＴＭＳデバイスの局所化を使用して決定され得る。たとえば、位置決めのインディケーションが観察されるまで（たとえば、被験者の親指が移動するかまたはピクピク動き、運動閾値場所を示すまで）、ＴＭＳデバイスは、被験者の頭部のエリアの上方を移動させられ得る。運動閾値場所は、たとえば、おおよそ１Ｈｚの刺激周波数レートを使用して決定され得る。運動閾値場所から、ＴＭＳデバイスは、被験者の上の所望の治療場所へ移動させられ得る。例では、所望の治療場所は、決定された運動閾値場所から前方におおよそ５センチメートル（５ｃｍ）とすることができる。
【０２５９】
本明細書で説明されている例示的な治療コイル（たとえば、治療コイル３００、４００、５００、６００、７００、８００、９００、１０００、または１１００のいずれか）などのような、ＴＭＳデバイスは、複数の病状または障害、たとえば、鬱病、失禁、および体重管理の問題を治療するために使用され得る。そのような治療は、たとえば、例示的なＴＭＳ治療プロセス１２００にしたがって例示的なＴＭＳデバイスを使用することによって、被験者に適用され得る。例示的なＴＭＳデバイスは、他の病状または障害を治療するために使用され得る。たとえば、ＴＭＳデバイスは、筋肉のリハビリテーションにおいて使用され得る。ＴＭＳデバイスは、末梢神経系障害の治療において使用され得る。
【０２６０】
例示的なＴＭＳデバイスは、以下の治療文脈のうちの１つまたは複数において使用され得、それは、大鬱病性障害、てんかん、統合失調症、パーキンソン病、トゥレット症候群、筋萎縮性側索硬化症（ＡＬＳ）、多発性硬化症（ＭＳ）、アルツハイマー病、注意欠陥多動性障害（ＡＤＨＤ）、肥満、双極性障害および／または躁病、不安障害（たとえば、広場恐怖症、社会不安障害、急性ストレス障害、全般性不安障害を伴うおよび伴わないパニック障害）、心的外傷後ストレス障害（ＰＴＳＤ）、強迫性障害（ＯＣＤ）、疼痛（たとえば、片頭痛、三叉神経痛）、慢性疼痛障害（たとえば、糖尿病性神経障害、帯状疱疹後神経痛に起因する疼痛）、特発性疼痛障害（たとえば、線維筋痛症、局所的な筋膜性疼痛症候群）、脳卒中後のリハビリテーション（神経可塑性誘導）、耳鳴り、統合を促進させるために植え込まれたニューロンの刺激、物質関連障害（たとえば、アルコール、コカイン、アンフェタミン、カフェイン、ニコチン、大麻などに関する依存症、乱用、および／または離脱診断）、脊髄損傷および再生および／またはリハビリテーション、頭部損傷、睡眠不足の逆転、原発性睡眠障害（たとえば、原発性不眠症、原発性過眠症、または概日リズム睡眠障害）、認知機能改善、認知症、月経前不快気分障害（ＰＭＳ）、薬物送達システム（たとえば、薬物に対して細胞膜透過性を変化させること）、タンパク質合成の誘導（たとえば、転写および翻訳の誘導）、吃音、失語症、嚥下障害、本態性振戦、および摂食障害（たとえば、過食症、拒食症、多食症）を含む。
【０２６１】
例示的なＴＭＳデバイスが、治療用途以外の使用のために用いられ得るということが認識されるべきである。たとえば、例示的なＴＭＳデバイスは、被験者の中の１つまたは複数の病状の診断を実施するために（たとえば、例示的なＴＭＳ治療プロセス１２００にしたがって）使用され得る。図示するために、例示的なＴＭＳデバイスは、薬物もしくは他の療法に対する被験者の反応を診断するために使用され得、および／または、そのような療法の有効性を定量化するために使用され得る。たとえば、医薬品は、中枢神経系の性能に効果（たとえば、直接的な効果または二次的な効果）があるということが知られ得る。そのような効果は、たとえば、ＴＭＳを提供することによって、および、誘発電位、運動応答、伝導速度、または他の応答のうちの１つまたは複数を観察することによって、例示的なＴＭＳデバイスを使用して観察され得る。１つまたは複数のそのような応答の観察された変化は、たとえば、医薬品の性能を定量化するために、または、医薬品の最適な投与を決定するために使用され得る。
【０２６２】
例示的なＴＭＳデバイスは、たとえば、神経学的反応を観察することによって、被験者の中の１つまたは複数の病理の診断を実施するために（たとえば、例示的なＴＭＳ治療プロセス１２００にしたがって）使用され得る。そのような病理は、それに限定されないが、変性疾患、外傷の程度、疾患の進行、全身性欠乏症、および先天性異常を含み得る。図示するために、例示的なＴＭＳデバイスは、たとえば、運動機能障害、アルツハイマー病、パーキンソン病、ＡＬＳ、ＭＳ、糖尿病性神経障害、慢性脱髄性神経障害、急性脱髄性神経障害、てんかん、ビタミンＢ１２欠乏症（たとえば、悪性貧血）、ビタミンＥ欠乏症、神経サルコイドーシス、耳鳴り、および脳卒中の診断の中で使用され得る。例示的なＴＭＳデバイスは、そのような病理に関する治療の有効性を評価するために使用され得る。たとえば、ＴＭＳデバイスは、たとえば、抗けいれん薬、アルツハイマー薬、抗精神病薬、鎮痛薬、抗不安薬、催眠薬（鎮静剤）、鎮痛剤（中央）、ＡＤＨＤ薬、または麻酔薬など、医薬品の効果を査定および／または測定するために使用され得る。
【０２６３】
本明細書で説明されている例示的なＴＭＳデバイス（たとえば、治療コイル３００、４００、５００、６００、７００、８００、９００、１０００、または１１００のいずれか）は、それらの図示されている構成に限定されないということが認識されるべきである。たとえば、例示的なＴＭＳデバイスのうちの第１のものからの１つまたは複数のコンポーネントは、例示的なＴＭＳデバイスのうちの第２のものの中に実装され得る。例示的な図示において、第４の強磁性コンポーネント７４５ａおよび／または第５の強磁性コンポーネント７４５ｂは、治療コイル５００および／または治療コイル６００に追加され得る。別の例示的な図示において、治療コイル６００の第２の強磁性コンポーネント６８０および／または第３の強磁性コンポーネント６９０は、治療コイル１１００の第４、第５、第６、および／または第７の強磁性コンポーネント１１７０、１１７５、１１８０、１１８５と置換され得る。例示的なＴＭＳデバイスのこれらの構成および他の異なる構成は、本開示の範囲および精神から逸脱することなく実装され得るということを当業者は認識することとなる。
【図１】
2021514247.tif 000003
【図２】
2021514247.tif 000004
【図３】
2021514247.tif 000005
【図４Ａ】
2021514247.tif 000006
【図４Ｂ】
2021514247.tif 000007
【図５Ａ】
2021514247.tif 000008
【図５Ｂ】
2021514247.tif 000009
【図６Ａ】
2021514247.tif 000010
【図６Ｂ】
2021514247.tif 000011
【図６Ｃ】
2021514247.tif 000012
【図６Ｄ】
2021514247.tif 000013
【図７Ａ】
2021514247.tif 000014
【図７Ｂ】
2021514247.tif 000015
【図７Ｃ】
2021514247.tif 000016
【図７Ｄ】
2021514247.tif 000017
【図８Ａ】
2021514247.tif 000018
【図８Ｂ】
2021514247.tif 000019
【図９Ａ】
2021514247.tif 000020
【図９Ｂ】
2021514247.tif 000021
【図１０Ａ】
2021514247.tif 000022
【図１０Ｂ】
2021514247.tif 000023
【図１１Ａ】
2021514247.tif 000024
【図１１Ｂ】
2021514247.tif 000025
【図１１Ｃ】
2021514247.tif 000026
【図１１Ｄ】
2021514247.tif 000027
【図１１Ｅ】
2021514247.tif 000028
【図１１Ｆ】
2021514247.tif 000029
【図１１Ｇ】
2021514247.tif 000030
【図１１Ｈ】
2021514247.tif 000031
【図１２】
2021514247.tif 000032
【手続補正書】
【提出日】令和2年10月20日(2020.10.20)
【手続補正１】
【補正対象書類名】特許請求の範囲
【補正対象項目名】全文
【補正方法】変更
【補正の内容】
【特許請求の範囲】
【請求項１】
患者を治療または診断するためのシステムであって、
第１の導電性巻線および第２導電性巻線を含む電磁石と、
前記電磁石に電気的に結合されたドライブ回路と、
前記ドライブ回路を制御して、パルス状磁場を発生させるために前記電磁石に電流を提供するように構成されたコントローラーと、を備え、 
前記第１の導電性巻線は、内側表面および外側表面を画定し、前記外側表面は、凸部および凹部を含み、前記第２の導電性巻線は、前記第１の導電性巻線の前記外側表面の凹面部分に近接して存在することを特徴とするシステム。
【請求項２】
請求項１に記載のシステムであって、前記第１の導電性巻線は、三日月形状である、ことを特徴とするシステム。
【請求項３】
請求項１に記載のシステムであって、前記第１の導電性巻線の外側凹形セグメントは、凹面を画定し、前記第２の導電性巻線の少なくとも一部分は、前記第１の導電性巻線の前記凹面の中に存在する、ことを特徴とするシステム。
【請求項４】
請求項１に記載のシステムであって、前記第１の導電性巻線は、前記第２の導電性巻線をカプセル化していない、ことを特徴とするシステム。
【請求項５】
請求項１に記載のシステムであって、前記第１の導電性巻線は、非円形または非楕円形を画定する、ことを特徴とするシステム。
【請求項６】
請求項１に記載のシステムであって、互いに、前記第１の導電性巻線および前記第２の導電性巻線は、腎臓形状を形成している、ことを特徴とするシステム。
【請求項７】
請求項１に記載のシステムであって、前記第１の導電性巻線および前記第２の導電性巻線は、互いに所定の相対的な距離に構成され、前記第１の導電性巻線および前記第２の導電性巻線が駆動されるときに、被験者の脳の中に少なくとも２つの独立した活性化ゾーンを発生させる、ことを特徴とするシステム。
【請求項８】
請求項７に記載のシステムであって、前記活性化ゾーンは、刺激ゾーンであり、前記刺激ゾーンは、誘導電流が前記脳のニューロンの脱分極閾値を上回っている前記脳の領域を含む、ことを特徴とするシステム。
【請求項９】
請求項８に記載のシステムであって、
第１の刺激ゾーンは、第１の方向に移動する電流を含み、
第２の刺激ゾーンは、第２の方向に移動する電流を含む、
ことを特徴とするシステム。
【請求項１０】
請求項７に記載のシステムであって、前記第１の刺激ゾーンおよび前記第２の刺激ゾーンは、前記脳の２つの異なる機能的な領域に関係する、ことを特徴とするシステム。
【請求項１１】
請求項１に記載のシステムであって、前記第１の導電性巻線は、第１の数のターンを含み、前記第２の導電性巻線は、第２の数のターンを含み、前記第１および前記第２の数のターンとは異なる、ことを特徴とするシステム。
【請求項１２】
請求項１に記載のシステムであって、前記電磁石は、磁気コアをさらに含む、ことを特徴とするシステム。
【請求項１３】
前記請求項１２に記載のシステムであって、前記磁気コアは、粉末状の磁気材料を含むことを特徴とするシステム。
【請求項１４】
請求項１２に記載のシステムであって、前記磁気コアは、積層された磁気材料を含む、ことを特徴とするシステム。
【請求項１５】
請求項１２に記載のシステムであって、前記磁気コアは、アモルファス磁気材料を含む、ことを特徴とするシステム。
【請求項１６】
請求項１２に記載のシステムであって、前記磁気コアは、鉄、ニッケル、もしくはコバルトの合金のうちの１つもしくは複数を含む、ことを特徴とするシステム。
【請求項１７】
請求項１２に記載のシステムであって、前記磁気コアは、ガドリニウム、ネオジム、またはホルミウムなどのレアアース元素もしくは合金を含む、ことを特徴とするシステム。
【請求項１８】
請求項１２に記載のシステムであって、前記磁気コアは、２つのポールを画定する単一の強磁性コンポーネントを含み 、第１のポールは、実質的に円形の断面形状を画定し、第２のポールは、三日月形の断面形状を画定する、ことを特徴とするシステム。
【請求項１９】
請求項１８に記載のシステムであって、前記第１のポールは第１のポール面を画定し、前記第２のポールは第２のポール面を画定し、前記第１のポールおよび前記第２のポール面とは、互いに非平面である、ことを特徴とするシステム。
【請求項２０】
請求項１２に記載のシステムであって、前記磁気コアは、複数の強磁性コンポーネントを含む、ことを特徴とするシステム。
【国際調査報告】
2021514247.tif 000033
2021514247.tif 000034
2021514247.tif 000035